(57)【要約】【課題】本発明は、所定の処理対象に対して行われる処理の処理能力を容易に向上させるようにする。【解決手段】本発明は、処理対象に対して行われた処理の処理手法及びその評価値を含む蓄積情報データＤ４を情報蓄積部４に複数ユーザ分蓄積し、提示情報選択部５により啓発対象ユーザの処理手法と蓄積情報データＤ４に含まれる処理手法とを比較し、提示情報選択部５により複数の蓄積情報データＤ４の中から比較結果に応じて蓄積情報データＤ４を選択すると共に、当該選択した蓄積情報データＤ４の中から所定の条件を満たす評価値を含む蓄積情報データＤ４を最終的に選択し、情報提示部６でその蓄積情報データＤ４に含まれる処理手法を提示することにより、啓発対象ユーザに提示した処理手法により当該啓発対象ユーザ自身の処理手法の向上を促すことができ、所定の処理対象に対して行われる処理の処理能力を容易に向上させることができる。【選択図】図１
2008090862.tif 000002
【特許請求の範囲】
【請求項１】
ユーザにより処理対象に対して行われた処理の処理手法及び当該処理に対する評価値を含む蓄積情報を複数ユーザ分蓄積する蓄積手段と、
特定ユーザの上記処理手法と、上記蓄積手段に蓄積している上記蓄積情報に含まれる上記処理手法とを比較する比較手段と、
上記蓄積手段に蓄積している複数の上記蓄積情報の中から上記比較手段による比較結果に応じて上記蓄積情報を選択すると共に、当該選択した蓄積情報の中から所定の条件を満たす上記評価値を含む上記蓄積情報を最終的に選択する情報選択手段と、
上記情報選択手段によって最終的に選択された上記蓄積情報に含まれる上記処理手法を上記特定ユーザに提示する提示手段と
を具えることを特徴とする情報処理装置。
【請求項２】
上記情報選択手段は、
上記蓄積手段に蓄積している複数の上記蓄積情報の中から上記比較結果に応じて、上記特定ユーザの上記処理手法と類似する処理手法を含む上記蓄積情報を選択すると共に、当該選択した蓄積情報の中から上記所定の条件を満たす上記評価値を含む上記蓄積情報を最終的に選択する
ことを特徴とする請求項１に記載の情報処理装置。
【請求項３】
上記情報選択手段は、
上記蓄積手段に蓄積している複数の上記蓄積情報の中から上記比較結果に応じて、上記特定ユーザの上記処理手法と異なる処理手法を含む上記蓄積情報を選択すると共に、当該選択した蓄積情報の中から上記所定の条件を満たす上記評価値を含む上記蓄積情報を最終的に選択する
ことを特徴とする請求項１に記載の情報処理装置。
【請求項４】
上記情報選択手段は、
上記蓄積手段に蓄積している複数の上記蓄積情報の中から上記比較結果に応じて、上記蓄積情報を選択すると共に、当該選択した蓄積情報の中から所定の閾値以上の評価値を含む上記蓄積情報を最終的に選択する
ことを特徴とする請求項１に記載の情報処理装置。
【請求項５】
上記情報選択手段は、
上記蓄積手段に蓄積している複数の上記蓄積情報の中から上記比較結果に応じて、上記蓄積情報を選択すると共に、当該選択した蓄積情報の中から所定の閾値以下の評価値を含む上記蓄積情報を最終的に選択する
ことを特徴とする請求項１に記載の情報処理装置。
【請求項６】
上記蓄積手段は、
上記処理手法及び上記評価値と共に上記処理対象を含む上記蓄積情報を上記複数ユーザ分蓄積し、
上記情報選択手段は、
上記蓄積手段に蓄積している複数の上記蓄積情報の中から上記比較結果に応じて、上記特定ユーザの処理した上記処理対象に類似する処理対象を含む上記蓄積情報を選択すると共に、当該選択した蓄積情報の中から上記所定の条件を満たす上記評価値を含む上記蓄積情報を最終的に選択する
ことを特徴とする請求項１に記載の情報処理装置。
【請求項７】
上記蓄積手段は、
上記ユーザにより上記処理対象となるボールを打つ上記処理の上記処理手法となる打法及び当該処理に対する上記評価値となる成績を含む上記蓄積情報を上記複数ユーザ分蓄積し、
上記提示手段は、
上記情報選択手段によって選択された上記蓄積情報に含まれる上記打法及び上記成績を上記特定ユーザに提示する
ことを特徴とする請求項１に記載の情報処理装置。
【請求項８】
コンピュータに、
ユーザにより処理対象に対して行われた処理の処理手法及び当該処理に対する評価値を含む蓄積情報を複数ユーザ分蓄積する蓄積ステップと、
特定ユーザの上記処理手法と、上記蓄積ステップで蓄積している上記蓄積情報に含まれる上記処理手法とを比較する比較ステップと、
上記蓄積ステップで蓄積している複数の上記蓄積情報の中から上記比較ステップで得た比較結果に応じて上記蓄積情報を選択すると共に、当該選択した蓄積情報の中から所定の条件を満たす上記評価値を含む上記蓄積情報を最終的に選択する情報選択ステップと、
上記情報選択ステップで最終的に選択した上記蓄積情報に含まれる上記処理手法を上記特定ユーザに提示する提示ステップと
を実行させるための情報処理プログラム。
【発明の詳細な説明】
【技術分野】
【０００１】
本発明は情報処理装置及び情報処理プログラムに関し、特に所定の処理対象に対してユーザが処理を行う場合に適用して好適なものである。
【背景技術】
【０００２】
従来、ユーザが所定の処理対象に対して行う処理としては、野球のバッティング練習において処理対象となるボールをバットで打つという処理や、処理対象となる動画像から当該動画像の一部分の表示対象（以下、これをオブジェクトと呼ぶ）を指定するための領域を抽出する処理、さらには処理対象となる動画像からオブジェクトの輪郭を抽出する処理等のように種々のものがある。
【発明の開示】
【発明が解決しようとする課題】
【０００３】
ところでかかる処理を行う際のユーザの処理能力を向上させるには、バットでボールを打つ打法や、動画像からオブジェクトを指定するための領域（以下、これをオブジェクト指定領域と呼ぶ）を抽出する領域抽出手法、動画像からオブジェクトの輪郭を抽出する輪郭抽出手法（以下、これら打法、領域抽出手法及び輪郭抽出手法をまとめて処理手法と呼ぶ）に対して処理能力の高い指導者を探して指導を依頼するような面倒な方法が取られており、ユーザ自身の処理能力を容易には向上させ難いという問題があった。
【０００４】
本発明は以上の点を考慮してなされたもので、所定の処理対象に対して行われる処理の処理能力を容易に向上させ得る情報処理装置及び情報処理プログラムを提案しようとするものである。
【課題を解決するための手段】
【０００５】
かかる課題を解決するため本発明においては、ユーザにより処理対象に対して行われた処理の処理手法及び当該処理に対する評価値を含む蓄積情報を蓄積手段に複数ユーザ分蓄積し、比較手段により特定ユーザの処理手法と、蓄積手段に蓄積している蓄積情報に含まれる処理手法とを比較し、情報選択手段により蓄積手段に蓄積している複数の蓄積情報の中から比較手段による比較結果に応じて蓄積情報を選択すると共に、当該選択した蓄積情報の中から所定の条件を満たす評価値を含む蓄積情報を最終的に選択し、提示手段により情報選択手段によって最終的に選択された蓄積情報に含まれる処理手法を特定ユーザに提示するようにした。
【０００６】
従って、特定ユーザに提示した処理手法により当該特定ユーザ自身の処理手法の向上を促すことができる。
【発明の効果】
【０００７】
本発明によれば、ユーザにより処理対象に対して行われた処理の処理手法及び当該処理に対する評価値を含む蓄積情報を蓄積手段に複数ユーザ分蓄積し、比較手段により特定ユーザの処理手法と、蓄積手段に蓄積している蓄積情報に含まれる処理手法とを比較し、情報選択手段により蓄積手段に蓄積している複数の蓄積情報の中から比較手段による比較結果に応じて蓄積情報を選択すると共に、当該選択した蓄積情報の中から所定の条件を満たす評価値を含む蓄積情報を最終的に選択し、提示手段により情報選択手段によって最終的に選択された蓄積情報に含まれる処理手法を特定ユーザに提示するようにしたことにより、特定ユーザに提示した処理手法により当該特定ユーザ自身の処理手法の向上を促すことができ、かくして所定の処理対象に対して行われる処理の処理能力を容易に向上させ得る情報処理装置及び情報処理プログラムを実現することができる。
【発明を実施するための最良の形態】
【０００８】
以下図面について、本発明の一実施の形態を詳述する。
【０００９】
（１）第１の実施の形態
図１において、１は全体として第１の実施の形態による情報処理装置を示し、個々のユーザによって行われた野球のバッティング練習（処理対象となるボールをバットで打つという打法）の様子をそれぞれ１台のビデオカメラ（図示せず）で撮像して生成されたバッティング動画像データＤ１を取り込む毎に、当該取り込んだバッティング動画像データＤ１を蓄積する。
【００１０】
また情報処理装置１は、バッティング動画像データＤ１を取り込む毎に、すでに蓄積しているバッティング動画像データＤ１から、その時点にバッティング練習を行ったユーザ（以下、これを特に啓発対象ユーザと呼ぶ）の打法（すなわち啓発対象ユーザの処理対象に対する処理手法）を改善するために手助けになると思われるバッティング動画像データＤ１を選択して提示することにより、啓発対象ユーザに自分の打法における改善箇所の啓発を促すようになされている。
【００１１】
この場合、情報処理装置１は、情報入力部２、処理傾向情報抽出部３、情報蓄積部４、提示情報選択部５及び情報提示部６から構成されており、当該情報入力部２、処理傾向情報抽出部３、情報蓄積部４、提示情報選択部５、情報提示部６において啓発対象ユーザに自分の打法の改善箇所を啓発させるために実行する各種処理を第１の啓発促進プログラムに従ってソフトウェア的に実現する。
【００１２】
すなわち情報処理装置１は、図２に示すように第１の啓発促進プログラムに従って第１の啓発促進処理手順ＲＴ１の開始ステップから入り、続くステップＳＰ１へ移る。
【００１３】
ステップＳＰ１において情報処理装置１は、外部で啓発対象ユーザのバッティング練習の様子を撮像して生成されたバッティング動画像データＤ１を情報入力部２に取り込む。
【００１４】
この際、情報処理装置１は、図３に示すように、情報入力部２に所定の操作部（図示せず）を介して啓発対象ユーザの氏名及び当該啓発対象ユーザの打法に対する評価値となる打率（例えば野球のペナントレース中におけるその時点までの啓発対象ユーザの打率（成績））のユーザ情報Ｓ１が入力される。
【００１５】
これにより情報処理装置１は、情報入力部２で取得した啓発対象ユーザの氏名及び打率とバッティング動画像データＤ１とからなる入力情報を当該情報入力部２から図４に示す入力情報データＤ２として処理傾向情報抽出部３に送出して、続くステップＳＰ２へ移る。
【００１６】
ここで図５に示すように、バッティング動画像データＤ１に基づくバッティング動画像１０は、時間的に連続する複数のフレーム画像１０Ａ、……、１０Ｎ、……により啓発対象ユーザの画像（以下、これをユーザ画像と呼ぶ）１１がバッターボックス内で構えた状態からバット１２でボール１３を打ち終わるまでの様子を２次元平面的に展開している。
【００１７】
そして、かかるバッティング動画像１０は、各フレーム画像１０Ａ、……、１０Ｎ、……において、ユーザ画像１１の腰、肩、肘、膝等の複数の関節や頭頂部及び両手、ボール１３、バット１２のグリップ１２Ａ及び先端１２Ｂにそれぞれ所定の色の丸印等でなるマーク１４が予め付けられている。
【００１８】
従ってステップＳＰ２において情報処理装置１は、処理傾向情報抽出部３により、入力情報データＤ２に含まれるバッティング動画像データＤ１に対して所定の画像処理を施してバッティング動画像１０における各マーク１４の位置の変化を認識し、これによりユーザ画像１１がバッターボックス内で構えた状態からバット１２でボール１３を打つ瞬間までの腰及び肩の回転角度を検出する。
【００１９】
また情報処理装置１は、図６に示すように処理傾向情報抽出部３により、画像処理によって、バッティング動画像１０を構成する複数のフレーム画像１０Ａ、……、１０Ｎ、……のうちバット１２でボール１３を打つ瞬間を捉えたフレーム画像（以下、これを特にインパクト時フレーム画像と呼ぶ）１０Ｎを検出し、当該検出したインパクト時フレーム画像１０Ｎにおいて、ユーザ画像１１の両足のつま先を結ぶ基準仮想直線ＳＫＬ１（この基準仮想直線ＳＫＬ１は地面に相当する）を引く。
【００２０】
そして情報処理装置１は、処理傾向情報抽出部３によりインパクト時フレーム画像１０Ｎにおいて、基準仮想直線ＳＫＬ１と並行でボール１３上のマーク１４Ａを通るコース検出用仮想直線ＣＫＬ１を引き、当該基準仮想直線ＳＫＬ１及びコース検出用仮想直線ＣＫＬ１間の最短距離Ｄ１（すなわち基準仮想直線ＳＫＬ１及びコース検出用仮想直線ＣＫＬ１の双方と直交する垂線ＳＬ１に沿った当該基準仮想直線ＳＫＬ１及びコース検出用仮想直線ＣＫＬ１間の距離）を、啓発対象ユーザが実際にバットでボールを打った瞬間（すなわちインパクトの瞬間）における当該ボールの地面からの高さ（以下、これをボールコースと呼ぶ）として検出する。
【００２１】
これに加えて情報処理装置１は、処理傾向情報抽出部３によりインパクト時フレーム画像１０Ｎにおいて、基準仮想直線ＳＫＬ１と並行でバット１２のグリップ１２Ａ上のマーク１４Ｂを通る第１の高低差検出用仮想直線ＷＫＬ１と、当該基準仮想直線ＳＫＬ１と並行でバット１２の先端１２Ｂ上のマーク１４Ｃを通る第２の高低差検出用仮想直線ＷＫＬ２とを引き、当該第１及び第２の高低差検出用仮想直線ＷＫＬ１及びＷＫＬ２間の最短距離Ｄ２（すなわち第１及び第２の高低差検出用仮想直線ＷＫＬ１及びＷＫＬ２の双方と直交する垂線ＳＬ２に沿った当該第１及び第２の高低差検出用仮想基準ＷＫＬ１及びＷＫＬ２間の距離）を、啓発対象ユーザが実際にバットでボールを打った瞬間における当該バットのグリップと先端との高低差（以下、これをバット高低差と呼ぶ）として検出する。
【００２２】
このようにして情報処理装置１は、図７に示すように処理傾向情報抽出部３により、バッティング動画像１０から啓発対象ユーザがバッターボックス内で構えた状態からバットでボールを打つ瞬間までの腰及び肩の回転角度と、ボールコースと、バット高低差とを検出すると、これらを啓発対象ユーザがバットでボールをどのように打っているかを表す処理傾向情報とする。
【００２３】
そして情報処理装置１は、処理傾向情報抽出部３により、バッティング動画像１０から抽出した処理傾向情報を処理傾向情報データＤ３とし、当該処理傾向情報データＤ３及び入力情報データＤ２同士を対応付けて蓄積情報データＤ４として情報蓄積部４に送出すると共に、その処理傾向情報データＤ３をそのまま提示情報選択部５に送出した後、続くステップＳＰ３及びステップＳＰ４へ移る。
【００２４】
ステップＳＰ３において情報処理装置１は、情報蓄積部４により、蓄積情報データＤ４を例えば図８に示すように入力情報データＤ２同士と処理傾向情報データＤ３同士とにまとめて記憶してステップＳＰ５へ移る。
【００２５】
またステップＳＰ４において情報処理装置１は、ステップＳＰ３の処理と並行して提示情報選択部５により、処理傾向情報データＤ３に含まれるボールコース（以下、これを比較用基準ボールコースと呼ぶ）及びバット高低差（以下、これを比較用基準バット高低差と呼ぶ）の値と、情報蓄積部４においてステップＳＰ３で記憶した啓発対象ユーザの蓄積情報データＤ４を除いたすでに蓄積している他の全ての蓄積情報データ（以下、これらを特に過去蓄積情報データと呼ぶ）Ｄ４に処理傾向情報データＤ３として含まれるボールコース（以下、これを過去ボールコースと呼ぶ）及びバット高低差（以下、これを過去バット高低差と呼ぶ）の値とを比較する。
【００２６】
これにより情報処理装置１は、図９に示すように提示情報選択部５により、過去蓄積情報データＤ４の中から、比較用基準ボールコースの値（図６について上述したインパクト時フレーム画像１０Ｎにおける基準仮想直線ＳＫＬ１及びコース検出用仮想直線ＣＫＬ１間の最短距離Ｄ１の値）を中心とした所定のコース閾値範囲ＳＨ１内の値を示す過去ボールコースの情報を含み、かつ比較用基準バット高低差の値（図６について上述したインパクト時フレーム画像１０Ｎにおける第１及び第２の高低差検出用仮想直線ＷＫＬ１及びＷＫＬ２間の最短距離Ｄ２の値）を中心とした所定の高低差閾値範囲ＳＨ２内の値を示す過去バット高低差の情報を含む過去蓄積情報データＤ４を選択する。
【００２７】
因みに、図９に示す一対のハッチングの入った丸印Ｄ１及びＤ２は、啓発対象ユーザに対する処理傾向情報である比較用基準ボールコースの値及び比較用基準バット高低差の値を示し、他の一対の三角印や四角印等はそれぞれ１つの過去蓄積情報データＤ４に処理傾向情報として含まれる過去ボールコースの値及び過去バット高低差の値を示す。
【００２８】
次いで情報処理装置１は、提示情報選択部５により、比較用基準ボールコースの値及び比較用基準バット高低差の値を用いて選択した過去蓄積情報データＤ４の中から、当該過去蓄積情報データＤ４に含まれる打率の情報同士を比較することにより、最も良い打率（すなわち最も高い評価値）を入力情報データＤ２の一部として含む過去蓄積情報データＤ４を選択する。
【００２９】
このようにして情報処理装置１は、提示情報選択部５により図１０に示すように、情報蓄積部４にすでに蓄積していた全ての過去蓄積情報データＤ４の中から、啓発対象ユーザの打法に対する処理傾向情報の比較用基準ボールコース及び比較用基準バット高低差を限定基準として用いて当該啓発対象ユーザの打法に類似する打法でバッティング練習を行ったユーザの過去蓄積情報データＤ４を選択した後（すなわち選択対象の過去蓄積情報データＤ４の数を限定した後）、当該選択した過去蓄積情報データＤ４の中からこれらに含まれる打率を選定基準として用いて打率の最も良いユーザの過去蓄積情報データＤ４を最終的に選択する。
【００３０】
これにより情報処理装置１は、図１１示すように提示情報選択部５により、情報蓄積部４から、最終的に選択した過去蓄積情報データＤ４に入力情報データＤ２として含まれるバッティング動画像データＤ１及び打率の情報を提示情報データＤ５として読み出すと共に、当該読み出した提示情報データＤ５を情報提示部６に送出してステップＳＰ５へ移る。
【００３１】
ステップＳＰ５において情報処理装置１は、情報提示部６により提示情報データＤ５に基づくバッティング動画像及び打率の情報を当該情報提示部６に設けられたモニタ及びスピーカ（図示せず）を介して出力して啓発対象ユーザに提示した後、ステップＳＰ６へ移って第１の啓発促進処理手順ＲＴ１を終了する。
【００３２】
このようにして情報処理装置１は、啓発対象ユーザに例えば打法が似ているものの、当該啓発対象ユーザよりも打率の良い他のユーザのバッティング動画像を再生して提示することにより、当該啓発対象ユーザの打法と他のユーザの打法との異なる箇所を啓発対象ユーザの打法における改善箇所として見つけさせ、かくして改善箇所を他のユーザの打法に真似て改善させ得るようになされている。
【００３３】
因みに第１の実施の形態の場合、情報処理装置１は、啓発対象ユーザに提示情報を提示している状態で、所定の操作部を介して提示情報の追加命令Ｃ１が入力されることによりこれを情報入力部２に取り込むと、当該追加命令Ｃ１を情報入力部２から処理傾向情報抽出部３を介して提示情報選択部５に送出する。
【００３４】
そして情報処理装置１は、提示情報選択部５により情報蓄積部４から、最終的に選択した過去蓄積情報データＤ４に処理傾向情報データＤ３として含まれる腰及び肩の回転角度の情報を読み出し、当該読み出した腰及び肩の回転角度の情報を、啓発対象ユーザの処理傾向情報データＤ３に含まれる腰及び肩の回転角度の情報と共に追加提示情報データＤ６として情報提示部６に送出する。
【００３５】
これにより情報処理装置１は、情報提示部６により、追加提示情報データＤ６に基づく腰及び肩の回転角度の情報をモニタ及びスピーカを介して出力して啓発対象ユーザに提示し、かくして啓発対象ユーザに自分の打法と、他のユーザの打法との異なる箇所をバッティング動画像のみならずに腰や肩の回転角度の数値としての違いからも見つけさせることができるようになされている。
【００３６】
以上の構成において、情報処理装置１は、外部で啓発対象ユーザのバッティング練習の様子を撮像して生成されたバッティング動画像データＤ１を情報入力部２に取り込み、この際、情報入力部２に入力された啓発対象ユーザの打率の情報と共に入力情報データＤ２とする。
【００３７】
そして情報処理装置１は、バッティング動画像データＤ１に基づくバッティング動画像１０から啓発対象ユーザの打法に対する処理傾向情報を抽出し、当該抽出した処理傾向情報でなる処理傾向情報データＤ３をバッティング動画像データＤ１と共に蓄積情報データＤ４として情報蓄積部４に記憶する。
【００３８】
このとき情報処理装置１は、啓発対象ユーザの処理傾向情報データＤ３と、情報蓄積部４にすでに蓄積している過去蓄積情報データＤ４に含まれる処理傾向情報データＤ３とを比較することにより当該過去蓄積情報データＤ４の中から、啓発対象ユーザの打法と類似する他のユーザの打法を撮像して生成されたバッティング動画像データＤ１を含む過去蓄積情報データＤ４を選択する。
【００３９】
次いで情報処理装置１は、その選択した過去蓄積情報データＤ４に含まれる打率の情報同士を比較して当該打率の最も良いユーザの過去蓄積情報データＤ４を最終的に選択し、その選択した過去蓄積情報データＤ４に含まれるバッティング動画像データＤ１に基づくバッティング動画像を提示情報として啓発対象ユーザに提示するようにした。
【００４０】
従ってこの情報処理装置１は、処理能力の優れた指導者を特には必要とせずに、提示情報により啓発対象ユーザに自分の打法における改善箇所の啓発を促して、当該啓発対象ユーザの打法と他のユーザの打法との異なる箇所をその啓発対象ユーザに自分の打法における改善箇所として見つけさせることができると共に、その改善箇所を他のユーザの打法に真似て改善させることができる。
【００４１】
また情報処理装置１は、啓発対象ユーザに提示情報を提示している際に、提示情報の追加命令Ｃ１が入力されると、これに応じて、最終的に選択した過去蓄積情報データＤ４に処理傾向情報として含まれる腰及び肩の回転角度の情報を、啓発対象ユーザの処理傾向情報データＤ３に含まれる腰及び肩の回転角度の情報と共に追加提示情報として啓発対象ユーザに提示するようにした。
【００４２】
従って情報処理装置１は、追加提示情報によっても啓発対象ユーザに自分の打法における改善箇所の啓発を促し、当該啓発対象ユーザの打法と他のユーザの打法との異なる箇所を、バッティング動画像を目視させて見つけさせることに加えて腰や肩の回転角度の数値としての違いとしても啓発対象ユーザに自分の打法における改善箇所として的確に見つけさせることができると共に、その改善箇所を他のユーザの打法に真似て改善させることができる。
【００４３】
以上の構成によれば、啓発対象ユーザのバッティング練習の様子を撮像して生成されたバッティング動画像１０と当該啓発対象ユーザの打率の情報とを、そのバッティング動画像１０から抽出した啓発対象ユーザの打法に対する処理傾向情報と共に蓄積情報データＤ４として情報蓄積部４に記憶すると共に、当該啓発対象ユーザの打法に対する処理傾向情報と、情報蓄積部４にすでに蓄積している過去蓄積情報データＤ４に含まれる処理傾向情報とを比較して当該過去蓄積情報データＤ４の中から啓発対象ユーザの打法と類似する他のユーザの打法をバッティング動画像として含む過去蓄積情報データＤ４を選択した後、その選択した過去蓄積情報データＤ４に含まれる打率の情報同士を比較して当該打率の最も良いユーザの過去蓄積情報データＤ４を最終的に選択し、当該最終的に選択した過去蓄積情報データＤ４に含まれるバッティング動画像を提示情報として啓発対象ユーザに提示するようにしたことにより、提示情報によって啓発対象ユーザに自分の打法における改善箇所の啓発を促して当該啓発対象ユーザの打法と他のユーザの打法との異なる箇所をその啓発対象ユーザに自分の打法における改善箇所として見つけさせると共に、当該見つけさせた改善箇所を他のユーザの打法に真似て改善させることができ、かくして処理対象となるボールを打つという処理の処理能力を容易に向上させ得る情報処理装置を実現することができる。
【００４４】
なお上述した第１の実施の形態においては、啓発対象ユーザの処理傾向情報データＤ３と、情報蓄積部４にすでに蓄積している過去蓄積情報データＤ４に含まれる処理傾向情報データＤ３とを比較することにより当該過去蓄積情報データＤ４の中から、啓発対象ユーザの打法と類似する他のユーザの打法を撮像して生成されたバッティング動画像データＤ１を含む過去蓄積情報データＤ４を選択した後、その選択した過去蓄積情報データＤ４に含まれる打率の情報同士を比較して当該打率の最も良いユーザの過去蓄積情報データＤ４を最終的に選択するようにした場合について述べたが、本発明はこれに限らず、啓発対象ユーザの処理傾向情報データＤ３と、情報蓄積部４にすでに蓄積している過去蓄積情報データＤ４に含まれる処理傾向情報データＤ３とを比較することにより当該過去蓄積情報データＤ４の中から、啓発対象ユーザの打法と類似する他のユーザの打法を撮像して生成されたバッティング動画像データＤ１を含む過去蓄積情報データＤ４を選択し、当該選択した１又は複数の過去蓄積情報データＤ４に含まれるバッティング動画像データＤ１に基づくバッティング動画像を提示情報として啓発対象ユーザに提示するようにしても良い。
【００４５】
このようにすれば、啓発対象ユーザに打率の異なる複数のユーザのバッティング動画像を順次提示情報として提示することができるため、上述した第１の実施の形態の場合よりも、啓発対象ユーザに自分の打法における改善箇所を更に多く見つけさせることができる。
【００４６】
また啓発対象ユーザの処理傾向情報データＤ３と、情報蓄積部４にすでに蓄積している過去蓄積情報データＤ４に含まれる処理傾向情報データＤ３とを比較して複数の過去蓄積情報データＤ４の中から最終的な過去蓄積情報データＤ４を選択することにより、上述した第１の実施の形態に比べて選択時の処理負荷を低減させることもできる。
【００４７】
また上述した第１の実施の形態においては、啓発対象ユーザに他のユーザのバッティング動画像を提示情報として提示するようにした場合について述べたが、本発明はこれに限らず、過去蓄積情報データＤ４に啓発対象ユーザの過去の蓄積情報データＤ４が含まれており、当該啓発対象ユーザの過去の蓄積情報データＤ４を選択したときには、その蓄積情報データＤ４に含まれるバッティング動画像データＤ１に基づくバッティング動画像を提示情報として啓発対象ユーザに提示するようにしても良い。この場合には、例えば啓発対象ユーザの現在の打法よりも過去の打法の方が打率が良いと、現在の打法における改善箇所を過去の打率の良かったときの打法と比較させて容易に見つけさせることができる。
【００４８】
さらに上述した第１の実施の形態においては、啓発対象ユーザに提示する提示情報を選択する場合、全ての過去蓄積情報データＤ４を用いるようにした場合について述べたが、本発明はこれに限らず、個々の啓発対象ユーザに対する提示情報の提示履歴を蓄積しておき、啓発対象ユーザに提示する提示情報を選択する場合、その提示履歴に基づいて、過去の提示に用いた過去蓄積情報データＤ４を除いた他の過去蓄積情報データＤ４を用いるようにしても良い。
【００４９】
このようにすれば、啓発対象ユーザに過去に提示した提示情報を再び提示することを防止して新たな提示情報を提示することができることにより啓発対象ユーザに新たな視点で打法における改善箇所の啓発を促すことができる。因みに、啓発対象ユーザに提示する提示情報を選択する場合には、提示対象のユーザに拘わらずに提示情報の提示に利用した過去蓄積情報データＤ４をその後の提示情報の選択には用いないように強制的な規制を施すことでも、かかる処理を実現することができる。
【００５０】
さらに上述した第１の実施の形態においては、図１０について上述した選択条件を用いて提示情報を選択するようにした場合について述べたが、本発明はこれに限らず、図１２に示すような種々の選択条件をいずれか１つ、又は図１２に示す種々の選択情報と図１０について上述した選択条件とを合わせて１又は複数の選択条件を選択的に用いて提示情報を選択するようにしても良い。
【００５１】
ここで、図１２に示す種々の選択条件について詳述すると、情報処理装置１は、まず第１の選択条件を用いる場合、提示情報選択部５により、比較用基準ボールコースの値と、全ての過去蓄積情報データＤ４に含まれる過去ボールコースの値とを比較することによりコース閾値範囲ＳＨ１内の値を示す過去ボールコースの情報を含む過去蓄積情報データＤ４を選択した後、その選択した過去蓄積情報データＤ４の中から当該過去蓄積情報データＤ４に含まれる打率の情報同士を比較して最も良い打率を含む過去蓄積情報データＤ４を最終的に選択して当該最終的に選択した過去蓄積情報データＤ４に含まれるバッティング動画像を啓発対象ユーザに提示する。
【００５２】
この場合、情報処理装置１は、啓発対象ユーザの打ったボールとほぼ同じボールコースのボールを打った複数の打法の中から、打率の最も良い打法を啓発対象ユーザに提示して、当該啓発対象ユーザに自分の打法における改善箇所を啓発させることができる。
【００５３】
また情報処理装置１は、第２の選択条件を用いる場合、提示情報選択部５により、啓発対象ユーザの処理傾向情報データＤ３に含まれる比較用基準ボールコースの値と、情報蓄積部４にすでに蓄積されている過去蓄積情報データＤ４に含まれる過去ボールコースの値とを比較すると共に、当該過去蓄積情報データＤ４に含まれる打率（以下、これを過去打率と呼ぶ）の情報同士を比較することによりコース閾値範囲ＳＨ１内の値を示す過去ボールコースの情報を含み、かつ予め設定された所定の閾値以上の値を有する過去打率を含む過去蓄積情報データＤ４を選択する。
【００５４】
そして情報処理装置１は、提示情報選択部５により、その選択した過去蓄積情報データＤ４に含まれる過去バット高低差の値と、比較用基準バット高低差の値とを比較することにより、当該選択した過去蓄積情報データＤ４の中から高低差閾値範囲ＳＨ２外の値を示し、かつ比較用基準バット高低差の値との違いが最大である過去バット高低差の情報を含む過去蓄積情報データＤ４を最終的に選択して当該最終的に選択した過去蓄積情報データＤ４に含まれるバッティング動画像を啓発対象ユーザに提示する。
【００５５】
この場合、情報処理装置１は、啓発対象ユーザの打ったボールとほぼ同じボールコースのボールを打ち、かつある程度打率の良い複数の打法の中から、バットの振り方が最も異なる打法を啓発対象ユーザに提示して、当該啓発対象ユーザに自分の打法における改善箇所を啓発させることができる。
【００５６】
さらに情報処理装置１は、第３の選択条件を用いる場合、提示情報選択部５により、啓発対象ユーザの処理傾向情報データＤ３に含まれる比較用基準ボールコースの値と、情報蓄積部４にすでに蓄積されている過去蓄積情報データＤ４に含まれる過去ボールコースの値とを比較すると共に、当該過去蓄積情報データＤ４に含まれる過去打率の情報同士を比較することによりコース閾値範囲ＳＨ１内の値を示す過去ボールコースの情報を含み、かつ予め設定された所定の閾値以上の値を有する過去打率を含む過去蓄積情報データＤ４を選択する。
【００５７】
そして情報処理装置１は、提示情報選択部５により、その選択した過去蓄積情報データＤ４の中から無作為に例えば１つの過去蓄積情報データＤ４を最終的に選択して当該最終的に選択した過去蓄積情報データＤ４に含まれるバッティング動画像を啓発対象ユーザに提示する。
【００５８】
この場合、情報処理装置１は、啓発対象ユーザの打ったボールとほぼ同じボールコースのボールを打ち、かつある程度打率の良い複数の打法の中から無作為に選択した打法を啓発対象ユーザに提示することにより、当該啓発対象ユーザに自分の打法における改善箇所をある程度偶然性に期待して啓発させることができる。
【００５９】
さらに情報処理装置１は、第４の選択条件を用いる場合、提示情報選択部５により、啓発対象ユーザの処理傾向情報データＤ３に含まれる比較用基準ボールコース及び比較用基準バット高低差の値と、情報蓄積部４にすでに蓄積されている過去蓄積情報データＤ４に含まれる過去ボールコース及び過去バット高低差の値とを比較することによりコース閾値範囲ＳＨ１内の値を示す過去ボールコースの情報を含み、かつ高低差閾値範囲ＳＨ２内の値を示す過去バット高低差の情報を含む過去蓄積情報データＤ４を選択する。
【００６０】
そして情報処理装置１は、提示情報選択部５により、その選択した過去蓄積情報データＤ４の中から、これらに含まれる過去打率の情報同士を比較することにより最もわるい打率を含む過去蓄積情報データＤ４を最終的に選択して当該最終的に選択した過去蓄積情報データＤ４に含まれるバッティング動画像を啓発対象ユーザに提示する。
【００６１】
この場合、情報処理装置１は、啓発対象ユーザの打法と類似する複数の打法の中から打率の最もわるい打法を啓発対象ユーザに提示することにより、啓発対象ユーザに自分の打法における改善箇所を啓発させることができる。因みに、かかる第４の選択条件を用いれば、最終的に選択した打法の提示により啓発対象ユーザに反面教師的に自分の打法の良い箇所を再確認させることもできる。
【００６２】
さらに情報処理装置１は、第５の選択条件を用いる場合、例えば啓発対象ユーザの処理傾向情報データＤ３に当該啓発対象ユーザの打率（以下、これを比較用基準打率と呼ぶ）の情報を格納しておき、提示情報選択部５により、啓発対象ユーザの処理傾向情報データＤ３に含まれる比較用基準ボールコース、比較用基準バット高低差及び比較用基準打率の値と、情報蓄積部４にすでに蓄積されている過去蓄積情報データＤ４に含まれる過去ボールコース、過去バット高低差及び過去打率の値とを比較することによりコース閾値範囲ＳＨ１内の値を示す過去ボールコースの情報と、高低差閾値範囲ＳＨ２内の値を示す過去バット高低差と、比較用基準打率の値を中心とした所定の打率閾値範囲内の値を示す過去打率とを共に含む過去蓄積情報データＤ４を選択する。
【００６３】
そして情報処理装置１は、提示情報選択部５により、その選択した過去蓄積情報データＤ４の中から、これらに含まれる過去打率の情報同士を比較することにより最も良い打率を含む過去蓄積情報データＤ４を最終的に選択して当該最終的に選択した過去蓄積情報データＤ４に含まれるバッティング動画像を啓発対象ユーザに提示する。
【００６４】
この場合、情報処理装置１は、啓発対象ユーザの打法と類似で、かつ実力（すなわち打率）もほとんど同じ複数の打法のうちで最も打率の良い打法を啓発対象ユーザに提示することにより、提示した打法と啓発対象ユーザの打法との違いがわずかであるため、当該啓発対象ユーザに自分の打法における改善箇所を容易に啓発させることができる。
【００６５】
さらに情報処理装置１は、第６の選択条件を用いる場合、提示情報選択部５により、情報蓄積部４にすでに蓄積されている過去蓄積情報データＤ４の中から無作為に例えば１つの過去蓄積情報データＤ４を選択して当該選択した過去蓄積情報データＤ４に含まれるバッティング動画像を啓発対象ユーザに提示する。
【００６６】
この場合、情報処理装置１は、無作為に選択した打法を啓発対象ユーザに提示することにより、当該啓発対象ユーザに自分の打法における改善箇所を全面的に偶然性に期待して啓発させることができる。
【００６７】
因みに情報処理装置１では、上述した第５の選択条件を用いる場合、啓発対象ユーザの処理傾向情報データＤ３に打率の情報を格納しておかなくても、提示情報選択部５により、情報蓄積部４に蓄積している全ての蓄積情報データＤ４（啓発対象ユーザの蓄積情報データＤ４を含む）に含まれている打率の情報を用いることで最終的な蓄積情報データＤ４の選択を実現することもできる。
【００６８】
また上述した各選択条件において打率の情報を用いるときには、打率の最小及び最大や、所定の閾値以上の打率等の規定にしなくても、所定の閾値以下の打率や、啓発対象ユーザの打率よりも良い又はわるい打率、啓発対象ユーザの打率から所定の閾値以上離れた値の打率、啓発対象ユーザの打率から所定の第１の閾値以上離れ、かつ第２の閾値以下の打率、さらには啓発対象ユーザの打率とほぼ同じ（類似する）打率等の条件でも過去蓄積情報データＤ４を選択することができる。
【００６９】
さらに蓄積情報データＤ４の選択に用いる選択条件としては、図１０について上述した選択条件及び図１２について上述した第１乃至第６の選択条件のそれぞれ一部を入れ換えた選択条件や、腰や肩の回転角度を用いる選択条件等のように、この他にも種々の選択条件を用いることができる。
【００７０】
これに加えて情報処理装置１では、図１０及び図１２について上述した選択条件において限定基準のボールコースやバット高低差、打率をそれぞれ個別に用いるようにしたが、限定基準の比較用基準ボールコース、比較用基準バット高低差及び比較用基準打率等を少なくとも２つ以上用いて例えば２乗和の平方根を算出し、ユークリッド空間内でその算出結果を基準とした所定の閾値空間と過去ボールコース、過去バット高低差及び過去打率等の同様に少なくとも２つ以上を用いて２乗和の平方根を算出した結果とを比較して過去蓄積情報データＤ４を限定するようにしても良い。
【００７１】
また情報処理装置１では、限定基準の比較用基準ボールコース、比較用基準バット高低差及び比較用基準打率等を少なくとも２つ以上用いて例えば差分絶対値和を算出し、得られた算出結果を基準とした所定の閾値空間と、過去ボールコース、過去バット高低差及び過去打率等の同様に少なくとも２つ以上を用いて差分絶対値和を算出した結果とを比較して過去蓄積情報データＤ４を限定するようにしても良い。
【００７２】
さらに情報処理装置１では、限定基準の比較用基準ボールコース、比較用基準バット高低差及び比較用基準打率等を中心とした所定のコース閾値範囲ＳＨ１、高低差閾値範囲ＳＨ２及び打率閾値範囲等の少なくとも２つ以上を積算し、得られた積空間と、過去ボールコース、過去バット高低差及び過去打率等の少なくとも２つ以上とを比較して過去蓄積情報データＤ４を限定するようにしても良い。
【００７３】
同様に情報処理装置１では、図１０及び図１２について上述した選択条件において選定基準のバット高低差及び打率もそれぞれ個別に用いるようにしたが、選定基準の比較用基準バット高低差及び比較用基準打率等を少なくとも２つ以上用いて例えば２乗和の平方根を算出し、ユークリッド空間内でその算出結果を基準とした所定の閾値空間と過去バット高低差及び過去打率等の同様に少なくとも２つ以上を用いて２乗和の平方根を算出した結果とを比較して最終的な過去蓄積情報データＤ４を選択するようにしても良い。
【００７４】
また情報処理装置１では、選定基準の比較用基準バット高低差及び比較用基準打率等を少なくとも２つ以上用いて例えば差分絶対値和を算出し、得られた算出結果を基準とした所定の閾値空間と過去バット高低差及び過去打率等の同様に少なくとも２つ以上を用いて差分絶対値和を算出した結果とを比較して最終的な過去蓄積情報データＤ４を選択するようにしても良い。
【００７５】
さらに情報処理装置１では、選定基準の比較用基準バット高低差及び比較用基準打率等を中心とした所定の高低差閾値範囲ＳＨ２及び打率閾値範囲等の少なくとも２つ以上を積算し、得られた積空間と、過去バット高低差及び過去打率等の同様に少なくとも２つ以上とを比較して最終的な過去蓄積情報データＤ４を選択するようにしても良い。
【００７６】
さらに上述した第１の実施の形態においては、情報蓄積部４に入力情報データＤ２及び処理傾向情報データＤ３からなる蓄積情報データＤ４を蓄積するようにした場合について述べたが、本発明はこれに限らず、少なくとも入力情報データＤ２を蓄積情報データとして情報蓄積部４に蓄積するようにしても良く、この場合には提示情報を選択する際に、その都度、啓発対象ユーザの入力情報データＤ２及び蓄積情報データ（すなわち入力情報データＤ２）から処理傾向情報を抽出すれば良い。
【００７７】
さらに上述した第１の実施の形態においては、図２について上述した第１の啓発促進処理手順ＲＴ１に示す一連の処理に、啓発対象ユーザにより処理対象（ボール）に対して行われる処理手法を表す情報として、バッティング練習の様子を１台のビデオカメラで撮像して生成されたバッティング動画像１０を利用するようにした場合について述べたが、本発明はこれに限らず、啓発対象ユーザによるバッティング練習の様子や野球の試合中における啓発対象ユーザの打撃の様子を２台のビデオカメラで撮像して生成された３次元動画像でなるバッティング動画像を利用し、又はバッティング練習の様子や野球の試合中における啓発対象ユーザの打撃の様子を複数の角度から撮像して得られ複数の２次元及び又は３次元動画像を利用するようにしても良い。
【００７８】
因みに、かかる３次元動画像でなるバッティング動画像を利用すれば、当該バッティング動画像を画像処理することにより啓発対象ユーザの打法に対する処理傾向を３次元的に捉えた処理傾向情報（例えば、ボールコースとして内角低めや外角高め）を抽出することができる。そして、かかる３次元動画像でなるバッティング動画像と、図１０について上述した選択条件や、図１２について上述した第１乃至第５の選択条件とを合わせて利用すれば、啓発対象ユーザに自分の打法とほぼ同じ打法を提示することができる。
【００７９】
さらに上述した第１の実施の形態においては、啓発対象ユーザに対して野球のバッティングにおける打法の改善箇所の啓発を促して処理能力の向上を図るようにした場合について述べたが、本発明はこれに限らず、啓発対象ユーザに対してゴルフやテニス等のように処理対象としてボールを用いるこの他種々の処理における処理手法の改善箇所の啓発を促して処理能力の向上を図るようにしても良く、これら種々の処理においても上述した第１の実施の形態による効果と同様の効果を得ることができる。因みに、啓発対象ユーザに対してゴルフやテニス等のように処理対象としてボールを用いるこの他種々の処理における処理手法の改善箇所の啓発を促して処理能力の向上を図る場合は、評価値として処理に応じたスコアやハンデキャップ、勝率等の成績を用いれば良い。
【００８０】
（２）第２の実施の形態
図１３において、５０は全体として第２の実施の形態による情報処理装置を示し、個々のユーザによって行われた領域抽出操作に応じてオブジェクト抽出用動画像から抽出対象のオブジェクトを指定するためのオブジェクト指定領域を抽出する領域抽出処理を実行する毎に、当該領域抽出処理の間、適宜表示内容を変化させて表示した一連の領域抽出処理用画面を領域抽出操作の経緯（すなわち処理対象となるオブジェクト抽出用動画像からオブジェクト指定領域を抽出するユーザの領域抽出手法）を表す領域抽出経緯画面データとして蓄積する。
【００８１】
また情報処理装置５０は、領域抽出処理を実行する毎に、すでに蓄積している領域抽出経緯画面データから、その時点に領域抽出操作を行ったユーザ（以下、これを特に啓発対象ユーザと呼ぶ）の領域抽出手法（すなわち啓発対象ユーザの処理対象に対する処理手法）を改善するために手助けになると思われる領域抽出経緯画面データを選択して提示することにより、啓発対象ユーザに自分の領域抽出手法における改善箇所の啓発を促すようになされている。
【００８２】
この場合、情報処理装置５０は、領域抽出部５１、処理傾向情報抽出部５２、情報蓄積部５３、提示情報選択部５４、情報提示部５５から構成されており、当該領域抽出部５１、処理傾向情報抽出部５２、情報蓄積部５３、提示情報選択部５４、情報提示部５５において啓発対象ユーザに自分の領域抽出手法の改善箇所を啓発させるために実行する各種処理を第２の啓発促進プログラムに従ってソフトウェア的に実現する。
【００８３】
すなわち情報処理装置５０は、図１４に示すように第２の啓発促進プログラムに従って第２の啓発促進処理手順ＲＴ５０の開始ステップから入って続く領域抽出処理ルーチンＳＲＴ５１へ移る。
【００８４】
ここで図１５に示すように、情報処理装置５０は、画像入力回路６０、画像記録回路６１、動きベクトル検出記録回路６２、設定情報記録回路６３、伝播領域決定回路６４、ユーザインターフェース回路６５、輪郭／領域変換回路６６、領域生成記録回路６７、領域出力回路６８から構成された領域抽出部５１によって領域抽出処理ルーチンＳＲＴ５１を実行する。
【００８５】
この際、図１６及び図１７に示すように、情報処理装置５０は、領域抽出処理ルーチンＳＲＴ５１の開始ステップから入って次のステップＳＰ５１へ移り、当該ステップＳＰ５１において外部から供給されるオブジェクト抽出用動画像データＤ５０を領域抽出部５１の画像入力回路６０に取り込む。
【００８６】
ここで、図１８に示すように、オブジェクト抽出用動画像データＤ５０に基づくオブジェクト抽出用動画像７０は、時間的に連続して抽出対象のオブジェクト７１を含む複数のフレーム画像（以下、これを領域抽出用フレーム画像と呼ぶ）７０Ａ乃至７０Ｇ、……から構成されている。
【００８７】
この際、情報処理装置５０は、画像入力回路６０に取り込んだオブジェクト抽出用動画像データＤ５０をフレーム画像データ（以下、これを領域抽出用フレーム画像データと呼ぶ）Ｄ５１単位で画像記録回路６１に送出して記録すると共に、当該画像記録回路６１からオブジェクト抽出用動画像データＤ５０を構成する領域抽出用フレーム画像データＤ５１を順次読み出して動きベクトル検出記録回路６２に送出する。
【００８８】
そして情報処理装置５０は、動きベクトル検出処理回路６２により、複数の領域抽出用フレーム画像データＤ５１においてそれぞれマクロブロック等の所定単位ブロック毎の動きベクトル（例えば個々の所定単位ブロックについて時間的に過去及び未来の双方で隣接する領域抽出用フレーム画像７０Ａ乃至７０Ｇ、……間の双方向の動きベクトル）を検出し、当該検出した領域抽出用フレーム画像データＤ５１毎の動きベクトをそれぞれ領域抽出用フレーム画像データＤ５１の識別情報と対応付けて記録してステップＳＰ５２へ移る。
【００８９】
ステップＳＰ５２において情報処理装置５０は、ユーザインターフェース回路６５から領域抽出処理用画面データＤ５２を情報提示部５５に送出することにより当該情報提示部５５に設けられたモニタ（図示せず）に領域抽出処理用画面データＤ５２に基づいて、命令選択領域やオブジェクト抽出用動画像の画像表示領域等を有する領域抽出処理用画面（図示せず）を表示する。
【００９０】
この状態で情報処理装置５０は、啓発対象ユーザにより領域抽出処理用画面上でオブジェクト指定領域の抽出処理を行うための種々の抽出処理用命令Ｃ５０が入力されることを待ち受け、当該啓発対象ユーザにより抽出処理用命令Ｃ５０が入力されると、これをユーザインターフェース回路６５に取り込んでステップＳＰ５３へ移る。
【００９１】
ステップＳＰ５３において情報処理装置５０は、ユーザインターフェース回路６５により、啓発対象ユーザによって入力された抽出処理用命令Ｃ５０が、オブジェクト抽出用動画像７０を構成する複数の領域抽出用フレーム画像７０Ａ乃至７０Ｇ、……の中からオブジェクト指定領域のもとになるオブジェクト７１の輪郭を指定するために例えば１つの領域抽出用フレーム画像７０Ａ、……、又は７０Ｇを輪郭指定用の作業フレーム画像として任意に設定する作業フレーム設定命令であるか否かを判断する。
【００９２】
ステップＳＰ５３において肯定結果が得られると、このことは啓発対象ユーザによって入力された抽出処理用命令Ｃ５０が作業フレーム設定命令であることを表しており、このとき情報処理装置５０はステップＳＰ５４へ移る。
【００９３】
ステップＳＰ５４において情報処理装置５０は、ユーザインターフェース回路６５により、画像記録回路６１からオブジェクト抽出用動画像データＤ５０を領域抽出用フレーム画像データＤ５１単位で読み出し、当該読み出した領域抽出用フレーム画像データＤ５１を領域抽出処理用画面データＤ５２と合成して情報提示部５５に送出する。
【００９４】
これにより情報処理装置５０は、図１９に示すように、情報提示部５５において領域抽出処理用画面内の画像表示領域に領域抽出用フレーム画像７０Ａ乃至７０Ｇを例えば所定フレーム数ずつ表示し、かくして啓発対象ユーザにオブジェクト抽出用動画像７０を所定フレーム数ずつの領域抽出用フレーム画像７０Ａ乃至７０Ｇとして互いを比較させながら目視させる。
【００９５】
この結果、情報処理装置５０は、啓発対象ユーザにより領域抽出処理用画面上で複数の領域抽出用フレーム画像７０Ａ乃至７０Ｇ、……の中からオブジェクト７１の輪郭指定用に１つの領域抽出用フレーム画像７０Ｄが当該輪郭の指定のし易さ等で任意に選択されると、その選択された領域抽出用フレーム画像７０Ｄの識別情報等を作業フレーム設定情報としてユーザインターフェース回路６５から設定情報記録回路６３に取り込んで記録し、これにより選択された１つの領域抽出用フレーム画像７０Ｄを輪郭指定用の作業フレーム画像に設定してステップＳＰ５２に戻る。
【００９６】
これに対して上述したステップＳＰ５３において否定結果が得られると、このことは啓発対象ユーザによって入力された抽出処理用命令Ｃ５０が作業フレーム設定命令以外の命令であることを表しており、このとき情報処理装置５０はステップＳＰ５５へ移る。
【００９７】
ステップＳＰ５５において情報処理装置５０は、ユーザインターフェース回路６５により、啓発対象ユーザによって入力された抽出処理用命令Ｃ５０が、作業フレーム画像７０Ｄで指定された輪郭をもとに、時間的に連続する任意のフレーム数の領域抽出用フレーム画像７０Ａ乃至７０Ｇでそれぞれ生成したオブジェクト指定領域の修正の方法を修正モードとして設定する修正モード設定命令であるか否かを判断する。
【００９８】
ステップＳＰ５５において肯定結果が得られると、このことは啓発対象ユーザによって入力された抽出処理用命令Ｃ５０が修正モード設定命令であることを表しており、このとき情報処理装置５０はステップＳＰ５６へ移る。
【００９９】
ステップＳＰ５６において情報処理装置５０は、啓発対象ユーザによりオブジェクト指定領域の修正方法として任意に選択された追加又は削除を表す情報をモード設定情報としてユーザインターフェース回路６５から設定情報記録回路６３に取り込んで記録し、これにより啓発対象ユーザの選択した追加又は削除をオブジェクト指定領域に対する修正モードに設定してステップＳＰ５２に戻る。
【０１００】
また上述したステップＳＰ５５において否定結果が得られると、このことは啓発対象ユーザによって入力された抽出処理用命令Ｃ５０が作業フレーム設定命令及び修正モード設定命令以外の命令であることを表しており、このとき情報処理装置５０はステップＳＰ５７へ移る。
【０１０１】
ステップＳＰ５７において情報処理装置５０は、ユーザインターフェース回路６５により、啓発対象ユーザによって入力された抽出処理用命令Ｃ５０が、作業フレーム画像７０Ｄに対するオブジェクト指定領域の生成をもとにその生成を伝播させる領域抽出用フレーム画像７０Ａ乃至７０Ｃ、７０Ｅ乃至７０Ｇ、……や、いずれかの領域抽出用フレーム画像７０Ａ乃至７０Ｇ、……に対して生成したオブジェクト指定領域に対する修正をもとにその修正を伝播させる他の領域抽出用フレーム画像７０Ａ乃至７０Ｃ、７０Ｅ乃至７０Ｇ、……を設定する伝播範囲設定命令であるか否かを判断する。
【０１０２】
このステップＳＰ５７において肯定結果が得られると、このことは啓発対象ユーザによって入力された抽出処理用命令Ｃ５０が伝播範囲設定命令であることを表しており、このとき情報処理装置５０はステップＳＰ５８へ移る。
【０１０３】
ステップＳＰ５８において情報処理装置５０は、ユーザインターフェース回路６５により、画像記録回路６１からオブジェクト抽出用動画像データＤ５０を構成する複数の領域抽出用フレーム画像データＤ５１を読み出し、当該読み出した各領域抽出用フレーム画像データＤ５１を領域抽出処理用画面データＤ５２と合成して情報提示部５５に送出することにより、領域抽出処理用画面内の画像表示領域に、例えば啓発対象ユーザの画像切換要求に応じて所定フレーム数ずつの領域抽出用フレーム画像７０Ａ乃至７０Ｇ、……を表示して啓発対象ユーザに目視させる。
【０１０４】
この状態で情報処理装置５０は、例えば図１９に示すように啓発対象ユーザにより領域抽出処理用画面上で、オブジェクト指定領域の生成伝播用又はオブジェクト指定領域の修正伝播用に１又は複数の領域抽出用フレーム画像７０Ｂ乃至７０Ｆが選択されると、当該選択された領域抽出用フレーム画像７０Ｂ乃至７０Ｆの識別情報等を伝播範囲設定情報としてユーザインターフェース回路６５から設定情報記録回路６３に取り込んで記録する。
【０１０５】
これにより情報処理装置５０は、啓発対象ユーザの選択した１又は時間的に連続する複数の領域抽出用フレーム画像７０Ｂ乃至７０Ｆを伝播範囲の領域抽出用フレーム画像７０Ｂ乃至７０Ｆに設定してステップＳＰ５２に戻る。
【０１０６】
因みに情報処理装置５０は、作業フレーム画像７０Ｄに対するオブジェクト指定領域の生成以前に伝播範囲設定命令が入力されると、その際に選択された１又は複数の領域抽出用フレーム画像７０Ａ乃至７０Ｇ、……をオブジェクト指定領域の生成を伝播させる伝播範囲（以下、これを特に生成伝播範囲と呼ぶ）の領域抽出用フレーム画像７０Ａ乃至７０Ｇ、……に設定する。
【０１０７】
そして情報処理装置５０は、作業フレーム画像７０Ｄに対するオブジェクト指定領域の生成以降に伝播範囲設定命令が入力されるまでは、生成伝播範囲をオブジェクト指定領域の修正を伝播させる伝播範囲（以下、これを修正伝播範囲と呼ぶ）に併用し、当該オブジェクト指定領域の生成以降に伝播範囲設定命令が入力されると、生成伝播範囲とは別に、その際に新たに選択された１又は複数の領域抽出用フレーム画像７０Ａ乃至７０Ｇ、……を修正伝播範囲の領域抽出用フレーム画像データＤ７０Ａ乃至７０Ｇ、……に設定する。
【０１０８】
ただし情報処理装置５０は、修正伝播範囲の設定の際に生成伝播範囲を超えて（すなわち生成伝播範囲よりも時間的に過去及び未来）領域抽出用フレーム画像７０Ａ乃至７０Ｇ、……が選択されると、当該選択された領域抽出用フレーム画像７０Ａ乃至７０Ｇ、……に対してはオブジェクト指定領域を生成してはいないことにより、情報提示部５５を介して警告音を出力し、及び又は領域抽出処理用画面にエラーメッセージを表示してその選択が無効であることを啓発対象ユーザに通知する。
【０１０９】
さらに上述したステップＳＰ５７において否定結果が得られると、このことは啓発対象ユーザによって入力された抽出処理用命令Ｃ５０が作業フレーム設定命令、修正モード設定命令及び伝播範囲設定命令以外の命令であることを表しており、このとき情報処理装置５０はステップＳＰ５９へ移る。
【０１１０】
ステップＳＰ５９において情報処理装置５０は、ユーザインターフェース回路６５により、啓発対象ユーザによって入力された抽出処理用命令Ｃ５０が、作業フレーム画像７０Ｄ中のオブジェクト７１の輪郭を指定する輪郭指定命令であるか否かを判断する。
【０１１１】
このステップＳＰ５９において肯定結果が得られると、このことは啓発対象ユーザによって入力された抽出処理用命令Ｃ５０が、少なくとも作業フレーム設定命令及び生成伝播範囲用の伝播範囲設定命令に応じた処理（ステップＳＰ５４及びステップＳＰ５８で上述した処理）をすでに実行したうえで入力された輪郭指定命令であることを表しており、このとき情報処理装置５０はステップＳＰ６０へ移る。
【０１１２】
ステップＳＰ６０において情報処理装置５０は、ユーザインターフェース回路６５により、画像記録回路６１から例えば生成伝播範囲の領域抽出用フレーム画像データＤ５１及び当該生成伝播範囲よりも時間的に１フレーム過去及び未来の領域抽出用フレーム画像データＤ５１を読み出し、当該読み出した領域抽出用フレーム画像データＤ５１を領域抽出処理用画面データＤ５２と合成して情報提示部５５に送出する。
【０１１３】
これにより情報処理装置５０は、図２０に示すように、情報提示部５５において領域抽出処理用画面内の画像表示領域に生成伝播範囲及び当該生成伝播範囲の前後の領域抽出用フレーム画像７０Ａ乃至７０Ｇを表示する。
【０１１４】
この状態で情報処理装置５０は、啓発対象ユーザによってマウス等を介して領域抽出処理用画面上で作業フレーム画像７０Ｄ中のオブジェクト７１の輪郭が任意になぞられて指定されると、この結果得られた入力輪郭線７３（すなわち啓発対象ユーザのなぞった軌跡）に相当する入力輪郭線信号Ｓ５０をユーザインターフェース回路６５に取り込む。
【０１１５】
そして情報処理装置５０は、ユーザインターフェース回路６５により、その入力輪郭線信号Ｓ５０を所定サンプリング間隔でサンプリングしてディジタルデータに変換することにより、当該入力輪郭線信号Ｓ５０に相当する複数の入力輪郭形成点（作業フレーム画像７０Ｄ中の座標で表す）を生成し、当該生成した複数の入力輪郭形成点の集合データを入力輪郭形成点群データＤ５３として輪郭／領域変換回路６６に送出する。
【０１１６】
また情報処理装置５０は、輪郭／領域変換回路６６により入力輪郭形成点群データＤ５３に基づく入力輪郭形成点間を補間することにより入力輪郭線７３に相当する入力輪郭補間線を生成すると共に、その入力輪郭補間線で囲まれた領域を所定の色で塗りつぶすことにより作業フレーム画像７０Ｄ中のオブジェクト７１を指定するオブジェクト指定領域（以下、これを特にオブジェクト指定基準領域と呼ぶ）に相当するオブジェクト指定基準領域データＤ５４を生成し、当該生成したオブジェクト指定基準領域データＤ５４を伝播領域決定回路６４及び領域生成記録回路６７に送出してステップＳＰ６１へ移る。
【０１１７】
ステップＳＰ６１において情報処理装置５０は、伝播領域決定回路６４により、設定情報記録回路６３から作業フレーム設定情報及び伝播範囲設定情報を読み出すと共に、その作業フレーム設定情報及び伝播範囲設定情報（すなわち領域抽出用フレーム画像データＤ５１の識別情報）に基づいて、動きベクトル検出記録回路６２から生成伝播範囲の全ての領域抽出用フレーム画像（作業フレーム画像を含む）７０Ｂ乃至７０Ｆにおける所定単位ブロックの動きベクトルを読み出す。
【０１１８】
そして情報処理装置５０は、伝播領域決定回路６４により、動きベクトル検出記録回路６２から読み出した動きベクトルに基づいて、オブジェクト指定基準領域にかかる全ての所定単位ブロックに対して、生成伝播範囲内で作業フレーム画像７０Ｂを除いた他の領域抽出用フレーム画像７０Ｂ、７０Ｃ及び７０Ｅ、７０Ｆに対する移動先位置を検出する。
【０１１９】
これにより情報処理装置５０は、伝播領域決定回路６４により、その検出した所定単位ブロックの移動先位置を、オブジェクト指定基準領域をもとにした他のオブジェクト指定領域の生成を生成伝播範囲の個々の領域抽出用フレーム画像７０Ｂ、７０Ｃ及び７０Ｅ、７０Ｆに対して伝播させるための伝播領域情報とし、これを伝播領域情報データＤ５５として領域生成記録回路６７に送出する。
【０１２０】
また情報処理装置５０は、領域生成記録回路６７により、伝播領域情報データＤ５５に基づいて、オブジェクト指定基準領域にかかる全ての所定単位ブロックをそれぞれ生成伝播範囲の個々の領域抽出用フレーム画像７０Ｂ、７０Ｃ及び７０Ｅ、７０Ｆに対する移動先位置へ移動させることにより当該オブジェクト指定基準領域を個々の領域抽出用フレーム画像７０Ｂ、７０Ｃ及び７０Ｅ、７０Ｆにそれぞれ伝播させて、当該個々の領域抽出用フレーム画像７０Ｂ、７０Ｃ及び７０Ｅ、７０Ｆ中のオブジェクト７１をそれぞれ指定するオブジェクト指定領域（以下、これを特にオブジェクト指定伝播領域と呼ぶ）を生成する。
【０１２１】
ここで情報処理装置５０は、図２１に示すように領域生成記録回路６７により、オブジェクト指定伝播領域を生成する場合、生成伝播範囲の領域抽出用フレーム画像７０Ｂ乃至７０Ｆ中のオブジェクト７１の変化（すなわち生成伝播範囲におけるオブジェクト７１の時間的な動き）に拘わらずに、オブジェクト指定基準領域７４にかかる所定単位ブロック７５をそれぞれ動きベクトルに従って単に移動させている。
【０１２２】
この際、所定単位ブロック７５を単に移動させたままでは、個々の領域抽出用フレーム画像７０Ｂ、７０Ｃ及び７０Ｅ、７０Ｆに対して移動させたこれら所定単位ブロック７５同士が離れてオブジェクト指定伝播領域内に所定の色による塗りつぶしが途切れた穴７６が生じることがある。
【０１２３】
このため情報処理装置５０は、領域生成記録回路６７により、オブジェクト指定基準領域７４にかかる所定単位ブロック７５をそれぞれ動きベクトルに従って移動させた後、これら所定単位ブロック７５に対して画像処理としての膨張及び縮小処理を施すことにより穴７６をほぼ塞いでオブジェクト指定伝播領域を生成する。
【０１２４】
このようにして情報処理装置５０は、生成伝播範囲の個々の領域抽出用フレーム画像７０Ｂ、７０Ｃ及び７０Ｅ、７０Ｆに対するオブジェクト指定伝播領域を生成すると、領域生成記録回路６７によりオブジェクト指定基準領域と各オブジェクト指定伝播領域とを生成伝播範囲の領域抽出用フレーム画像データＤ５１の識別情報と対応付けて記録すると共に、当該領域生成記録回路６７からオブジェクト指定基準領域及び各オブジェクト指定伝播領域をオブジェクト指定領域データＤ５６としてユーザインターフェース回路６５に送出する。
【０１２５】
そして情報処理装置５０は、ユーザインターフェース回路６５により、画像記録回路６１から例えば生成伝播範囲の領域抽出用フレーム画像データＤ５１及び当該生成伝播範囲よりも時間的に１フレーム過去及び未来の領域抽出用フレーム画像データＤ５１を読み出す。
【０１２６】
この際、情報処理装置５０は、ユーザインターフェース回路６５により、生成伝播範囲の領域抽出用フレーム画像データＤ５１をオブジェクト指定領域データＤ５６と合成することにより指定領域提示画像データを生成すると共に、その指定領域提示画像データと残りの領域抽出用フレーム画像データＤ５１とを領域抽出処理用画面データＤ５２と合成して情報提示部５５に送出する。
【０１２７】
これにより情報処理装置５０は、図２２に示すように情報提示部５５において領域抽出処理用画面内の画像表示領域に、指定領域提示画像データに基づいて作業フレーム画像７０Ｄにオブジェクト指定基準領域７４を重ねて表示すると共に、生成伝播範囲の他の領域抽出用フレーム画像７０Ｂ、７０Ｃ、７０Ｅ、７０Ｆにそれぞれ対応するオブジェクト指定伝播領域７７Ａ乃至７７Ｄを重ねて表示し、さらに生成伝播範囲の前後の領域抽出用フレーム画像７０Ａ及び７０Ｇを表示することによりオブジェクト指定領域の生成結果を啓発対象ユーザに提示してステップＳＰ５２に戻る。
【０１２８】
ところで上述したステップＳＰ５９において否定結果が得られると、このことは啓発対象ユーザによって入力された抽出処理用命令Ｃ５０が作業フレーム設定命令、修正モード設定命令、伝播範囲設定命令及び輪郭指定命令以外の命令であることを表しており、このとき情報処理装置５０はステップＳＰ６２へ移る。
【０１２９】
ステップＳＰ６２において情報処理装置５０は、ユーザインターフェース回路６５により、啓発対象ユーザによって入力された抽出処理用命令Ｃ５０がオブジェクト指定基準領域７５及びオブジェクト指定伝播領域７７Ａ乃至７７Ｄを修正する領域修正命令であるか否かを判断する。
【０１３０】
このステップＳＰ６２において肯定結果が得られると、このことは啓発対象ユーザによって入力された抽出処理用命令Ｃ５０が、作業フレーム設定命令、修正モード設定命令、伝播範囲設定命令及び輪郭指定命令に応じた処理（ステップＳＰ５４、ステップＳＰ５６、ステップＳＰ５８、ステップＳＰ６０及びステップＳＰ６１で上述した処理）をすでに実行したうえで入力された領域修正命令であることを表しており、このとき情報処理装置５０はステップＳＰ６３へ移る。
【０１３１】
ここで情報処理装置５０は、領域生成記録回路６７によって生成したオブジェクト指定伝播領域７７Ａ乃至７７Ｄについて、オブジェクト指定基準領域７４にかかる所定単位ブロック７５をそれぞれ動きベクトルに従って単に移動させた状態で生じた穴７６が比較的小さければ、その後の膨張及び縮小処理によりその穴７６を塞ぐことができる。
【０１３２】
しかしながら情報処理装置５０は、穴７６が比較的大きければ、移動後の所定単位ブロック７５に対して膨張及び縮小処理を施してもその穴７６を塞ぐことができず、オブジェクト指定伝播領域７７Ａ乃至７７Ｄにおいて穴７６が残った状態となる（図２２）。
【０１３３】
また情報処理装置５０は、領域生成記録回路６７により、オブジェクト指定伝播領域を生成する場合、オブジェクト指定基準領域７４にかかる所定単位ブロック７５をそれぞれ動きベクトルに従って単に移動させることにより、図２１からも明らかなように所定単位ブロック７５のもとの並びが移動先でばらつき、その結果、図２２に示すように、オブジェクト指定伝播領域７７Ａ乃至７７Ｄの輪郭部分にオブジェクト７１よりも外側に突出した箇所（以下、これを突出箇所と呼ぶ）７８や当該オブジェクト７１の内側に凹んだ箇所（図示せず）が生じる場合がある。
【０１３４】
そしてオブジェクト指定伝播領域７７Ａ乃至７７Ｄに生じる突出箇所７８等は、当該突出箇所７８等が生じたオブジェクト指定伝播領域７７Ａ乃至７７Ｄにかかる所定単位ブロックが移動してさらに別のオブジェクト指定伝播領域７７Ａ乃至７７Ｄが生成されれば、そのオブジェクト指定伝播領域７７Ａ乃至７７Ｄでも突出箇所が生じる場合がある。
【０１３５】
このためステップＳＰ６３において情報処理装置５０は、ユーザインターフェース回路６５からその時点で最新の指定領域提示画像データを合成した領域抽出処理用画面データＤ５２を情報提示部５５に送出し、当該情報提示部５５に例えば図２２について上述した領域抽出処理用画面を表示する。
【０１３６】
この状態で情報処理装置５０は、図２３（Ａ）及び（Ｂ）に示すように啓発対象ユーザにより領域抽出処理用画面上で修正対象の１つのオブジェクト指定基準領域７４又はオブジェクト指定伝播領域７７Ａ乃至７７Ｄが指定されると共に、マウス等を介してその修正対象のオブジェクト指定基準領域７４又はオブジェクト指定伝播領域７７Ａ乃至７７Ｄの修正箇所（穴７６や突出箇所７８等）が当該修正箇所の周辺がなぞられて形成された枠７９Ａ及び７９Ｂによって指示されると、修正対象のオブジェクト指定基準領域７４又はオブジェクト指定伝播領域７７Ａ乃至７７Ｄに対応する領域抽出用フレーム画像データＤ５１の識別情報と、枠７９Ａ及び７９Ｂに相当する枠信号とを含む修正箇所指示信号Ｓ５１が入力されることによりこれをユーザインターフェース回路６５に取り込む。
【０１３７】
因みに、情報処理装置５０は、この際、領域抽出処理用画面内の画像表示領域に生成伝播範囲及びその前後の領域抽出用フレーム画像（作業フレーム画像を含む）７０Ａ乃至７０Ｇを表示していることにより、オブジェクト指定基準領域７４の形状と、生成伝播範囲前後の領域抽出用フレーム画像７０Ａ及び７０Ｇ中のオブジェクト７１の形状とからオブジェクト指定伝播領域７７Ａ乃至７７Ｄに対する突出箇所７８を比較的容易に類推させて特定させ得るようになされている。
【０１３８】
情報処理装置５０は、ユーザインターフェース回路６５により、修正箇所指示信号Ｓ５１に含まれる枠信号を所定サンプリング間隔でサンプリングしてディジタルデータに変換することにより、当該枠信号に相当する複数の枠形成点（領域抽出用フレーム画像７０Ｂ乃至７０Ｆ中の座標で表す）を生成し、当該生成した複数の枠形成点の集合データ（以下、これを枠形成点群データと呼ぶ）を、修正箇所指示信号Ｓ５１に含まれる識別情報と共に修正箇所指示データＤ５７として輪郭／領域変換回路６６に送出する。
【０１３９】
また情報処理装置５０は、輪郭／領域変換回路６６により、修正箇所指示データＤ５７に基づいて得られた枠形成点群データに基づく枠形成点間を補間することにより枠７９Ａ及び７９Ｂに相当する枠補間線を生成し、その枠補間線で囲まれた領域を修正箇所指示領域として表す修正箇所指示領域データと、修正箇所指示データＤ５１に含まれる識別情報とを修正指示データＤ５８として伝播領域決定回路６４及び領域生成記録回路６７に送出する。
【０１４０】
情報処理装置５０は、伝播領域決定回路６４により、設定情報記録回路６３から伝播範囲設定情報を読み出すと共に、その伝播範囲設定情報（すなわち領域抽出用フレーム画像データＤ５１の識別情報）に基づいて、動きベクトル検出記録回路６２から修正伝播範囲の全ての領域抽出用フレーム画像（作業フレーム画像を含む）７０Ｂ乃至７０Ｆにおける所定単位ブロックの動きベクトルを読み出す。
【０１４１】
そして情報処理装置５０は、伝播領域決定回路６４により、動きベクトル検出記録回路６２から読み出した動きベクトルに基づいて、修正箇所指示領域にかかる全ての所定単位ブロックに対して、修正伝播範囲内で修正対象のオブジェクト指定基準領域７４又はオブジェクト指定伝播領域７７Ａ乃至７７Ｄに対応する領域抽出用フレーム画像７０Ｂ乃至７０Ｆを除いた他の領域抽出用フレーム画像７０Ｂ乃至７０Ｆに対する移動先位置を検出する。
【０１４２】
これにより情報処理装置５０は、伝播領域決定回路６４により、その検出した所定単位ブロックの移動先位置を、修正対象のオブジェクト指定基準領域７４又はオブジェクト指定伝播領域７７Ａ乃至７７Ｄに対する修正を修正伝播範囲の他のオブジェクト指定基準領域７４又はオブジェクト指定伝播領域７７Ａ乃至７７Ｄに伝播させるための伝播領域情報として領域生成記録回路６７に送出する。
【０１４３】
さらに情報処理装置５０は、領域生成記録回路６７により、設定情報記録回路６３からその時点に設定されている修正モードを表す修正モード設定情報を読み出すと共に、すでに記憶しているオブジェクト指定基準領域７４又はオブジェクト指定伝播領域７７Ａ乃至７７Ｄのうち修正指示データＤ５８に含まれる識別情報に対応する修正対象のオブジェクト指定基準領域７４又はオブジェクト指定伝播領域７７Ａ乃至７７Ｄを選択して読み出す。
【０１４４】
そして情報処理装置５０は、領域生成記録回路６７により、修正指示データＤ５８に含まれる修正箇所指示領域データを取り出し、当該修正箇所指示領域データに基づく修正箇所指示領域を修正対象のオブジェクト指定基準領域７４又はオブジェクト指定伝播領域７７Ａ乃至７７Ｄと重ねる。
【０１４５】
この状態で情報処理装置５０は、領域生成記録回路６７により、修正モード設定情報に基づいてその時点の修正モードが削除であれば、例えば図２４（Ａ）に示すように、オブジェクト指定伝播領域７７Ａにおいて修正箇所指示領域７９ＡＸと重なった箇所７７ＡＸを削除することにより、突出箇所７８を削って修正したオブジェクト指定伝播領域７７ＡＹを得る。
【０１４６】
また情報処理装置５０は、領域生成記録回路６７により、修正モード設定情報に基づいてその時点の修正モードが追加であれば、例えば図２４（Ｂ）に示すように、オブジェクト指定伝播領域７７Ｂにおいて修正箇所指示領域７９ＢＸと重なった箇所７７ＢＸに所定の色の塗りつぶし領域を追加することにより、穴７６を塞いで修正したオブジェクト指定伝播領域７７ＢＹを得る。
【０１４７】
そして情報処理装置５０は、領域生成記録回路６７により、伝播領域情報に基づいて、修正箇所指示領域にかかる全ての所定単位ブロック（修正により新たに塗りつぶした、又は塗りつぶしを解除した所定単位ブロック）をそれぞれ修正伝播範囲の他の領域抽出用フレーム画像７０Ｂ乃至７０Ｆに対する移動先位置へ移動させることにより修正対象のオブジェクト指定基準領域７４又はオブジェクト指定伝播領域７７Ａ乃至７７Ｄにおける修正を他のオブジェクト指定基準領域７４又はオブジェクト指定伝播領域７７Ａ乃至７７Ｄにそれぞれ伝播させる。
【０１４８】
このようにして情報処理装置５０は、修正対象の１つのオブジェクト指定基準領域７４又はオブジェクト指定伝播領域７７Ａ乃至７７Ｄに対する修正要求に応じて当該修正対象のオブジェクト指定基準領域７４又はオブジェクト指定伝播領域７７Ａ乃至７７Ｄと、修正伝播範囲の他のオブジェクト指定基準領域７４又はオブジェクト指定伝播領域７７Ａ乃至７７Ｄとを合わせて修正することができる。
【０１４９】
すなわち情報処理装置５０は、複数のオブジェクト指定伝播領域７７Ａ乃至７７Ｄのうちいずれかのオブジェクト指定伝播領域７７Ａ乃至７７Ｄに突出箇所７８等が生じれば、当該突出箇所７８等が生じたオブジェクト指定伝播領域７７Ａ乃至７７Ｄをもとにして生成した他のオブジェクト指定伝播領域７７Ａ乃至７７Ｄでも突出箇所が生じる場合があるため、これら複数のオブジェクト指定伝播領域７７Ａ乃至７７Ｄのうちいずれか１つのオブジェクト指定伝播領域７７Ａ乃至７７Ｄに対して修正を要求させるだけで他のオブジェクト指定伝播領域７７Ａ乃至７７Ｄもその修正を反映させて容易に修正することができる。
【０１５０】
そして情報処理装置５０は、領域生成記録回路６７によりその修正して得た新たなオブジェクト指定基準領域７４又はオブジェクト指定伝播領域７７Ａ乃至７７Ｄを、修正前のオブジェクト指定基準領域７４又はオブジェクト指定伝播領域７７Ａ乃至７７Ｄに上書きして記録することにより、記録保持しているオブジェクト指定基準領域７４及びオブジェクト指定伝播領域７７Ａ乃至７７Ｄを更新する。
【０１５１】
また情報処理装置５０は、領域生成記録回路６７により、更新したオブジェクト指定基準領域７４及びオブジェクト指定伝播領域７７Ａ乃至７７Ｄを再びオブジェクト指定領域データＤ５９としてユーザインターフェース回路６５に送出する。
【０１５２】
そして情報処理装置５０は、ユーザインターフェース回路６５により、画像記録回路６１から生成伝播範囲及びその前後の領域抽出用フレーム画像データＤ５１を読み出し、生成伝播範囲の領域抽出用フレーム画像データＤ５１をオブジェクト指定領域データＤ５９と合成することにより指定領域提示画像データを生成すると共に、その指定領域提示画像データと残りの領域抽出用フレーム画像データＤ５１とを領域抽出処理用画面データＤ５２と合成して情報提示部５５に送出する。
【０１５３】
これにより情報処理装置５０は、図２５に示すように情報提示部５５において領域抽出処理用画面内の画像表示領域に、生成伝播範囲及びその前後の抽出用フレーフレーム画像７０Ａ乃至７０Ｂを表示すると共に、当該生成伝播範囲の領域抽出用フレーム画像（作業フレーム画像を含む）７０Ｂ乃至７０Ｆにそれぞれ対応する修正済みのオブジェクト指定基準領域７４Ａ及びオブジェクト指定伝播領域７７ＡＸ、７７ＢＸ、７７ＣＸ、７７ＤＸ又は未だ修正を施していないオブジェクト指定基準領域７４又はオブジェクト指定伝播領域７７Ａ乃至７７Ｄを重ねて表示してステップＳＰ５２に戻る。
【０１５４】
このようにして情報処理装置５０は、オブジェクト指定基準領域７４及びオブジェクト指定伝播領域７７Ａ乃至７７Ｄを生成した後、修正伝播範囲及び修正モードを適宜設定して修正箇所が指示されれば、その都度、指示に応じてオブジェクト指定基準領域７４又はオブジェクト指定伝播領域７７Ａ乃至７７Ｄの修正箇所を修正して提示し、啓発対象ユーザが精度等で納得するオブジェクト指定基準領域７４及びオブジェクト指定伝播領域７７Ａ乃至７７Ｄを生成することができる。
【０１５５】
これに加えて上述したステップＳＰ６２において否定結果が得られると、このことは啓発対象ユーザによって入力された抽出処理用命令Ｃ５０が作業フレーム設定命令、修正モード設定命令、伝播範囲設定命令、輪郭指定命令及び領域修正命令以外の命令であることを表しており、このとき情報処理装置５０はステップＳＰ６４へ移る。
【０１５６】
ステップＳＰ６４において情報処理装置５０は、ユーザインターフェース回路６５により、啓発対象ユーザによって入力された抽出処理用命令Ｃ５０が、入力輪郭補間線で囲まれた領域を塗りつぶしてオブジェクト指定基準領域７４とするか、又は当該入力輪郭補間線の外側を塗りつぶしてオブジェクト指定基準領域とするかを切り換える領域反転命令であるか否かを判断する。
【０１５７】
このステップＳＰ６４において肯定結果が得られると、このことは啓発対象ユーザによって入力された抽出処理用命令Ｃ５０が、少なくとも作業フレーム設定命令、伝播範囲設定命令及び輪郭指定命令に応じた処理（ステップＳＰ５４、ステップＳＰ５８、ステップＳＰ６０及びステップＳＰ６１で上述した処理）をすでに実行したうえで入力された領域反転命令であることを表しており、このとき情報処理装置５０はステップＳＰ６５へ移る。
【０１５８】
ステップＳＰ６５において情報処理装置５０は、ユーザインターフェース回路６５から領域反転命令を設定情報記録回路６３に送出する。
【０１５９】
情報処理装置５０は、例えば初期状態では入力輪郭補間線で囲まれた領域を塗りつぶしてオブジェクト指定基準領域７４とする補間線内領域モードに設定しており、その補間線内領域モード時に領域反転命令が入力されると、当該領域反転命令を設定情報記録回路６３に取り込んで、オブジェクト指定領域の形態を設定するための指定領域設定情報の内容を変更することにより、入力輪郭補間線の外側を塗りつぶしてオブジェクト指定基準領域とする補間線外領域モードに設定を変更する。
【０１６０】
これに対して情報処理装置５０は、補間線外領域モード時に領域反転命令が入力されると、その領域反転命令を設定情報記録回路６３に取り込んで指定領域設定情報の内容を変更することにより補間線内領域モードに設定を変更する。
【０１６１】
そして情報処理装置５０は、設定情報記録回路６３により、補間線内領域モードを補間線外領域モードに切り換えたとき、これを領域生成記録回路６７に通知する。
【０１６２】
情報処理装置５０は、補間線内領域モードから補間線外領域モードに切り換わると、領域生成記録回路６７により、すでに記録保持しているオブジェクト指定基準領域７４及び各オブジェクト指定伝播領域７７Ａ乃至７７Ｄの外側（すなわち領域抽出用フレーム画像７０Ｂ乃至７０Ｆにおいてオブジェクト指定基準領域７４及び各オブジェクト指定伝播領域７７Ａ乃至７７Ｄを除くオブジェクト７１の背景となる領域）を所定の色で塗りつぶすオブジェクト指定領域（以下、これをオブジェクト指定基準領域に対応させてオブジェクト指定基準反転領域と呼び、オブジェクト指定伝播領域に対応させてオブジェクト指定伝播反転領域と呼ぶ）を生成する。
【０１６３】
そして情報処理装置５０は、オブジェクト指定基準反転領域及び各オブジェクト指定伝播反転領域を生成すると、領域生成記録回路６７によりオブジェクト指定基準反転領域及び各オブジェクト指定伝播反転領域を、オブジェクト指定基準領域７４及び各オブジェクト指定伝播領域７７Ａ乃至７７Ｄに上書きして記録する。
【０１６４】
また情報処理装置５０は、領域生成記録回路６７により、オブジェクト指定基準反転領域及び各オブジェクト指定伝播反転領域をオブジェクト指定領域データＤ６０としてユーザインターフェース回路６５に送出する。
【０１６５】
情報処理装置５０は、ユーザインターフェース回路６５により、画像記録回路６１から生成伝播範囲及びその前後の領域抽出用フレーム画像データＤ５１を読み出し、生成伝播範囲の領域抽出用フレーム画像データＤ５１をオブジェクト指定領域データＤ６０と合成することにより指定領域提示画像データを生成すると共に、その指定領域提示画像データと残りの領域抽出用フレーム画像データＤ５１とを領域抽出処理用画面データＤ５２と合成して情報提示部５５に送出する。
【０１６６】
これにより情報処理装置５０は、図２６に示すように情報提示部５５において領域抽出処理用画面内の画像表示領域に、生成伝播範囲及びその前後の抽出用フレーフレーム画像７０Ａ乃至７０Ｂを表示すると共に、当該生成伝播範囲の領域抽出用フレーム画像（作業フレーム画像を含む）７０Ｂ乃至７０Ｆにそれぞれ対応するオブジェクト指定基準反転領域８０及びオブジェクト指定伝播反転領域８１Ａ乃至８１Ｄを重ねて表示してステップＳＰ５２に戻る。
【０１６７】
因みに情報処理装置５０は、補間線外領域モードから補間線内領域モードに切り換わると、領域生成記録回路６７により、すでに記録保持しているオブジェクト指定基準反転領域８０及び各オブジェクト指定伝播反転領域８１Ａ乃至８１Ｄの内側（すなわち領域抽出用フレーム画像７０Ｂ乃至７０Ｆにおいてオブジェクト指定基準反転領域８０及び各オブジェクト指定伝播反転領域８１Ａ乃至８１Ｄを除くオブジェクト７１と重なる領域）を所定の色で塗りつぶすオブジェクト指定基準領域７４及び各オブジェクト指定伝播領域７７Ａ乃至７７Ｄを生成する。
【０１６８】
この場合、情報処理装置５０は、図２２又は図２５について上述した領域抽出処理用画面を啓発対象ユーザに提示してステップＳＰ５２に戻る。
【０１６９】
このようにして情報処理装置５０は、啓発対象ユーザによって入力される抽出処理命令Ｃ５０に応じて上述したステップＳＰ５２乃至ステップＳＰ６５の処理を順次実行することにより当該啓発対象ユーザに自分で納得のできる精度でオブジェクト指定領域を抽出させることができる。
【０１７０】
そしてステップＳＰ６４において否定結果が得られると、このことはオブジェクト抽出用動画像７０から時間的に連続する領域抽出用フレーム画像７０Ｂ乃至７０Ｆ中のオブジェクト７１の動きに応じて推移させたオブジェクト指定領域が啓発対象ユーザの納得できる精度で抽出されたことにより、当該啓発対象ユーザにより抽出処理用命令Ｃ５０として領域抽出処理を終了する処理終了命令が入力されたことを表しており、このとき情報処理装置５０はステップＳＰ６６へ移る。
【０１７１】
ステップＳＰ６６において情報処理装置５０は、領域生成記録回路６７により１度の生成又はその後の修正を経て最終的に記録したオブジェクト指定基準領域７４及び各オブジェクト指定伝播領域７７Ａ乃至７７Ｄ、又はオブジェクト指定基準反転領域８０及び各オブジェクト指定伝播反転領域８１Ａ乃至８１Ｄをオブジェクト指定領域データＤ６１として領域抽出回路６８を介して外部に出力することにより例えばオブジェクト抽出装置（図示せず）においてそのオブジェクト指定領域データＤ６１に基づいてオブジェクト抽出用動画像データＤ５０からオブジェクト７１を抽出させるようにしてステップＳＰ６７（図１４）へ移る。
【０１７２】
ステップＳＰ６７において情報処理装置５０は、啓発対象ユーザにより所定の操作部（図示せず）を介して入力される啓発対象ユーザの氏名及び当該啓発対象ユーザの領域抽出手法に対する評価値となる技量のユーザ情報Ｓ５５をユーザインターフェース回路６５に取り込む。
【０１７３】
ここで啓発対象ユーザの技量の判定には、コンピュータ等により所定の画像生成プログラムに従って生成された領域抽出操作の試行用の動画像（以下、これを領域抽出試行用動画像と呼ぶ）を用いて啓発対象ユーザにより定期的に領域抽出操作が試行的に行われた結果がその都度利用されている。
【０１７４】
この場合、領域抽出試行用動画像は、時間的に連続して領域指定可能なオブジェクト（以下、これを領域抽出試行用オブジェクトと呼ぶ）を含む複数のフレーム画像（以下、これを試行用フレーム画像と呼ぶ）から構成されており、コンピュータ等によって実行された一般的な画像処理アプリケーションプログラムを利用した画像処理により領域抽出試行用オブジェクトの輪郭をほぼ正確に認識できるように生成されている。
【０１７５】
従って啓発対象ユーザの技量は、領域抽出試行用動画像を用いて上述した領域抽出処理ルーチンＳＲＴ５１とほぼ同様に複数の試行用フレーム画像中の領域抽出試行用オブジェクトに対するオブジェクト指定領域の領域抽出操作が試行的に行われた場合、例えば画像処理によってオブジェクト指定領域の形状と、実際の領域抽出試行用オブジェクトの輪郭とを比較し、予め設定された精度（予め設定された閾値内の誤差量）でオブジェクト指定領域が抽出されるまでに要した時間（すなわちオブジェクト指定領域の抽出を試行的に行った領域指定試行処理に要した時間）の逆数を用いて定量的に判定されている。
【０１７６】
因みに啓発対象ユーザの技量は、比較的短い時間でオブジェクト指定領域が所定精度で試行的に抽出されれば、技量が高いと判定することができ、この場合には領域指定試行処理に要した時間が短いことにより値が大きくなる。
【０１７７】
また啓発対象ユーザの技量は、比較的長い時間をかけてオブジェクト指定領域が所定精度で試行的に抽出されれば、技量が低いと判定することができ、この場合には領域指定試行処理に要した時間が長いことにより値が小さくなる。
【０１７８】
そして情報処理装置５０は、かかる啓発対象ユーザの技量を含むユーザ情報Ｓ５５をユーザインターフェース回路６５に取り込むと、当該ユーザインターフェース回路６５により画像記録回路６１からオブジェクト動画像データＤ５１を読み出す。
【０１７９】
また情報処理装置５０は、ユーザインターフェース回路６５に上述した領域抽出処理ルーチンＳＲＴ５１（すなわちオブジェクト抽出用動画像を用いた領域抽出処理）を実行している間、適宜表示内容を変化させて情報提示部５５で表示した一連の領域抽出処理用画面を領域抽出処理に要した時間等の情報と共に領域抽出操作の経緯を表す領域抽出経緯画面データとして記録している。
【０１８０】
従って情報処理装置５０は、図２７に示すように、ユーザインターフェース回路６５により、ユーザ情報Ｓ５５に含まれる啓発対象ユーザの氏名及び技量と、オブジェクト抽出用動画像データＤ５０と、領域抽出経緯画面データとからなる入力情報を入力情報データＤ６５として処理傾向情報抽出部５２（図１３）に送出してステップＳＰ６８へ移る。
【０１８１】
ステップＳＰ６８において情報処理装置５０は、処理傾向情報抽出部５２により、入力情報データＤ６５に含まれるオブジェクト抽出用動画像データＤ５０を構成する全ての領域抽出用フレーム画像データＤ５１に対してそれぞれ所定の画像処理を施すことにより個々の領域抽出用フレーム画像データＤ５１においてそれぞれ所定単位ブロックの周波数成分の和と当該所定単位ブロックの周波数成分のうち予め選定された特定周波数以上の周波数成分の和との比率を算出し、全ての領域抽出用フレーム画像データＤ５１に対するこれら比率の平均値を高周波成分比率として算出する。
【０１８２】
また情報処理装置５０は、処理傾向情報抽出部５２により、オブジェクト抽出用動画像データＤ５０を構成する全ての領域抽出用フレーム画像データＤ５１に対してそれぞれ所定の画像処理を施すことにより個々の領域抽出用フレーム画像データＤ５１においてそれぞれ輝度の最大値から最小値を減算し、この結果得られた全ての領域抽出用フレーム画像データＤ５１に対する減算結果の平均値を輝度値ダイナミックレンジとして算出する。
【０１８３】
さらに情報処理装置５０は、処理傾向情報抽出部５２により、入力情報データＤ６５に含まれる領域抽出経緯画面データに対して所定の画像処理を施すことにより啓発対象ユーザにより作業フレーム画像７０Ｄ中のオブジェクト７１の輪郭が指定されたときの輪郭描線時間を検出し、その輪郭描線時間を、当該輪郭描線時間を除く領域抽出処理に要した時間（以下、これを描線除外処理時間と呼ぶ）で除算することにより得られる除算結果を描線及び描線除外処理時間比率として算出する。
【０１８４】
これに加えて情報処理装置５０は、処理傾向情報抽出部５２により、啓発対象ユーザによって作業フレーム画像７０Ｄ中のオブジェクト７１の輪郭が指定されて得られた入力輪郭形成点を用いて当該入力輪郭形成点を生成するための所定サンプリング間隔と隣接する入力輪郭形成点間の距離とにより順次隣接する入力輪郭形成点間の描線速度を算出し、各入力輪郭形成点間の描線速度の平均値をオブジェクト７１の輪郭が指定されたときの平均描線速度として算出する。
【０１８５】
そして情報処理装置５０は、図２８に示すように処理傾向情報抽出部５２により、高周波成分比率及び輝度値ダイナミックレンジをオブジェクト抽出用動画像７０における絵柄の様子（複雑さや色調等がどのような動画像であるか）を表す画像特徴情報とすると共に、描線及び描線除外処理時間比率や平均描線速度を領域抽出操作の経緯を具体的に表す領域抽出経緯情報とし、これら画像特徴情報及び領域抽出経緯情報を啓発対象ユーザによりどのようなオブジェクト抽出用動画像７０からどのようにオブジェクト指定領域が抽出されたかを表す処理傾向情報とする。
【０１８６】
これにより情報処理装置５０は、処理傾向情報抽出部５２により、オブジェクト抽出用動画像データＤ５０及び領域抽出経緯画面データから抽出した処理傾向情報を処理傾向情報データＤ６６とし、当該処理傾向情報データＤ６６及び入力情報データＤ６５同士を対応付けて蓄積情報データＤ６７として情報蓄積部５３に送出すると共に、その処理傾向情報データＤ６６をそのまま提示情報選択部５４に送出した後、続くステップＳＰ６９及びステップＳＰ７０へ移る。
【０１８７】
ステップＳＰ６９において情報処理装置５０は、情報蓄積部５３により、蓄積情報データＤ６７を例えば入力情報データＤ６５同士と処理傾向情報データＤ６６同士とにまとめて記憶してステップＳＰ７１へ移る。
【０１８８】
またステップＳＰ７０において情報処理装置５０は、ステップＳＰ６９の処理と並行して提示情報選択部５４により、処理傾向情報データＤ６６に含まれる画像特徴情報としての輝度値ダイナミックレンジ（以下、これを比較用基準輝度値ダイナミックレンジと呼ぶ）の値及び領域抽出経緯情報としての平均描線速度（以下、これを比較用基準平均描線速度と呼ぶ）の値と、情報蓄積部５３においてステップＳＰ６９で記憶した啓発対象ユーザの蓄積情報データＤ６７を除いたすでに蓄積している他の全ての過去蓄積情報データＤ６７に処理傾向情報データＤ６６として含まれる輝度値ダイナミックレンジ（以下、これを過去輝度値ダイナミックレンジと呼ぶ）及び平均描線速度（以下、これを過去平均描線速度と呼ぶ）の値とを比較する。
【０１８９】
これにより情報処理装置５０は、図９について上述した場合と同様に提示情報選択部５４により、過去蓄積情報データＤ６７の中から、比較用基準輝度値ダイナミックレンジの値を中心とした所定のダイナミックレンジ閾値範囲内の値を示す過去輝度値ダイナミックレンジの情報を含み、かつ比較用基準平均描線速度の値を中心とした所定の描線速度閾値範囲内の値を示す過去平均描線速度の情報を含む過去蓄積情報データＤ６７を選択する。
【０１９０】
次いで情報処理装置５０は、提示情報選択部５４により、比較用輝度値ダイナミックレンジの値及び比較用基準平均描線速度の値を用いて選択した過去蓄積情報データＤ６７の中から、当該過去蓄積情報データＤ６７に含まれる技量の情報同士を比較することにより、最も高い技量（すなわち最も高い評価値）を入力情報データＤ６５の一部として含む過去蓄積情報データＤ６７を選択する。
【０１９１】
このようにして情報処理装置５０は、図２９に示すように提示情報選択部５４により、情報蓄積部５３にすでに蓄積していた全ての過去蓄積情報データＤ６７の中から、啓発対象ユーザの領域抽出手法に対する処理傾向情報の比較用輝度値ダイナミックレンジ及び比較用平均描線速度を限定基準として用いて当該啓発対象ユーザの領域抽出手法に類似する領域抽出手法でオブジェクト指定領域の抽出を行ったユーザの過去蓄積情報データＤ６７を選択した後（すなわち選択対象の過去蓄積情報データＤ６７の数を限定した後）、当該選択した過去蓄積情報データＤ６７の中からこれらに含まれる技量を選定基準として用いて技量の最も高いユーザの過去蓄積情報データＤ６７を最終的に選択する。
【０１９２】
これにより情報処理装置５０は、図３０示すように提示情報選択部５４により、情報蓄積部５３から、最終的に選択した過去蓄積情報データＤ６７に入力情報データＤ６５として含まれる領域抽出経緯画面データ及び技量の情報を提示情報データＤ６８として読み出すと共に、当該読み出した提示情報データＤ６８を情報提示部５５に送出してステップＳＰ７１へ移る。
【０１９３】
ステップＳＰ７１において情報処理装置５０は、情報提示部５５により提示情報データＤ６８に基づく一連の領域抽出処理用画面及び技量の情報を啓発対象ユーザに提示した後、ステップＳＰ７２へ移って第２の啓発促進処理手順ＲＴ５０を終了する。
【０１９４】
このようにして情報処理装置５０は、啓発対象ユーザに類似する領域抽出手法（例えば啓発対象ユーザがオブジェクト指定領域の抽出に用いたオブジェクト抽出用動画像７０の色調と類似する色調のオブジェクト抽出用動画像を用いて、オブジェクト指定領域の抽出処理で最も重要で、かつオブジェクト指定領域のもとになるオブジェクトの輪郭の指定の仕方が類似する）でオブジェクト指定領域を抽出した複数のユーザの中から、最も技量の高いユーザの領域抽出手法として一連の領域抽出処理用画面（処理の経緯やオブジェクト抽出用動画像を含む）を実際にユーザの行った領域抽出操作の時間経過に合わせて再生して提示する。
【０１９５】
これにより情報処理装置５０は、啓発対象ユーザの領域抽出手法と他のユーザの領域抽出手法との異なる箇所（例えば領域抽出操作で最も重要な、輪郭の指定の仕方や、生成伝播範囲及び修正伝播範囲の設定の仕方等）を啓発対象ユーザの領域抽出手法における改善箇所として見つけさせ、かくして改善箇所を他のユーザの領域抽出手法に真似て改善させ得るようになされている。
【０１９６】
因みに第２の実施の形態の場合、情報処理装置５０は、啓発対象ユーザに提示情報を提示している状態で、所定の操作部を介して提示情報の追加命令Ｃ５１が入力されることによりこれを領域抽出部５１のユーザインターフェース回路６５に取り込むと、当該追加命令Ｃ５１をユーザインターフェース回路６５から処理傾向情報抽出部５２を介して提示情報選択部５４に送出する。
【０１９７】
そして情報処理装置５０は、提示情報選択部５４により情報蓄積部５３から、最終的に選択した過去蓄積情報データＤ６７に処理傾向情報データＤ６６として含まれる画像特徴情報としての高周波成分比率と、領域抽出経緯情報としての描線及び描線除外処理時間比率の情報を読み出し、当該読み出した高周波成分比率と描線及び描線除外処理時間比率とを、啓発対象ユーザの処理傾向情報データＤ６６に含まれる高周波成分比率と描線及び描線除外処理時間比率と共に追加提示情報データＤ６９として情報提示部５５に送出する。
【０１９８】
これにより情報処理装置５０は、情報提示部５５により、追加提示情報データＤ６９に基づく高周波成分比率と、描線及び描線除外処理時間比率との情報をモニタ及びスピーカを介して出力して啓発対象ユーザに提示し、かくして啓発対象ユーザに自分の領域抽出手法と、他のユーザの領域抽出手法との異なる箇所を一連の領域抽出処理用画面の提示のみならずに高周波成分比率や、描線及び描線除外処理時間比率の数値としての違いからも見つけさせることができるようになされている。
【０１９９】
すなわち情報処理装置５０は、啓発対象ユーザに他のユーザがオブジェクト指定領域の抽出処理に用いたオブジェクト抽出用動画像の絵柄の様子（複雑さ）がどう異なるのかや、領域抽出操作においてオブジェクトの輪郭の指定をどのくらい重要視しているか等の違いを数値として判断させ得るようになされている。
【０２００】
以上の構成において、情報処理装置５０は、啓発対象ユーザにオブジェクト抽出用動画像７０からオブジェクト指定領域を抽出する領域抽出操作を行わせ、その領域抽出操作に応じた領域抽出処理中に適宜表示内容を変更して提示した一連の領域抽出処理用画面を領域抽出操作の経緯を表す領域抽出経緯画面データとし、当該領域抽出経緯画面データと、領域抽出処理に用いたオブジェクト抽出用動画像データＤ５０と、啓発対象ユーザによって入力された領域抽出手法に対する技量の情報とを入力情報データＤ６５とする。
【０２０１】
そして情報処理装置５０は、オブジェクト抽出用動画像データＤ５０に基づくオブジェクト抽出用動画像７０及び領域抽出経緯画面データから啓発対象ユーザがどのような動画像からどのようにオブジェクト指定領域を抽出しているかを表す当該啓発対象ユーザの領域抽出手法に対する処理傾向情報を抽出し、当該抽出した処理傾向情報でなる処理傾向情報データＤ６６を入力情報データＤ６５と共に蓄積情報データＤ６７として情報蓄積部５３に記憶する。
【０２０２】
このとき情報処理装置５０は、啓発対象ユーザの処理傾向情報データＤ６６と、情報蓄積部５３にすでに蓄積している過去蓄積情報データＤ６７に含まれる処理傾向情報データＤ６６とを比較することにより当該過去蓄積情報データＤ６７の中から、啓発対象ユーザの領域抽出手法と類似する他のユーザの領域抽出手法を表すオブジェクト抽出用動画像データＤ５０及び領域抽出経緯画面データを含む過去蓄積情報データＤ６７を選択する。
【０２０３】
次いで情報処理装置５０は、その選択した過去蓄積情報データＤ６７に含まれる技量の情報同士を比較して当該技量の最も高いユーザの過去蓄積情報データＤ６７を最終的に選択し、その選択した過去蓄積情報データＤ６７に含まれる領域抽出経緯画面データ（すなわち領域抽出処理中に提示していた一連の領域抽出処理用画面）を提示情報として啓発対象ユーザに提示するようにした。
【０２０４】
従ってこの情報処理装置５０は、上述した第１の実施の形態と同様に処理能力の優れた指導者を特には必要とせずに、提示情報により啓発対象ユーザに自分の領域抽出手法における改善箇所の啓発を促して、当該啓発対象ユーザの領域抽出手法と他のユーザの領域抽出手法との異なる箇所をその啓発対象ユーザに自分の領域抽出手法における改善箇所として見つけさせることができると共に、その改善箇所を他のユーザの領域抽出手法に真似て改善させることができる。
【０２０５】
また情報処理装置５０は、啓発対象ユーザに提示情報を提示している際に、提示情報の追加命令Ｃ５１が入力されると、これに応じて、最終的に選択した過去蓄積情報データＤ６７に処理傾向情報として含まれる高周波成分比率と描線及び描線除外処理時間比率との情報を、啓発対象ユーザの処理傾向情報データＤ６６に含まれる高周波成分比率と描線及び描線除外処理時間比率との情報と共に追加提示情報として啓発対象ユーザに提示するようにした。
【０２０６】
従って情報処理装置５０は、追加提示情報によっても啓発対象ユーザに自分の領域抽出手法における改善箇所の啓発を促し、当該啓発対象ユーザの領域抽出手法と他のユーザの領域抽出手法との異なる箇所を、領域抽出処理中に提示していた一連の領域抽出処理用画面を目視させて見つけさせることに加えてオブジェクト抽出用動画像に対する高周波成分比率や、領域抽出処理中のオブジェクトの輪郭の指定の重要度を表す描線及び描線除外処理時間比率の数値としての違いとしても啓発対象ユーザに自分の領域抽出手法における改善箇所として的確に見つけさせることができると共に、その改善箇所を他のユーザの領域抽出手法に真似て改善させることができる。
【０２０７】
これに加えて情報処理装置５０は、オブジェクト指定領域を抽出する領域抽出処理時、図１６及び図１７について上述した領域抽出処理ルーチンＳＲＴ５１を実行し、オブジェクト抽出用動画像７０を構成する複数の領域抽出用フレーム画像７０Ａ乃至７０Ｇ、……のうちオブジェクト７１の輪郭を実際に指定する１つの作業フレーム画像７０Ｄを選択させると共に、オブジェクト指定領域の生成を伝播させる生成伝播範囲の複数の領域抽出用フレーム画像７０Ｂ、７０Ｃ、７０Ｅ、７０Ｆを選択させる。
【０２０８】
そして情報処理装置５０は、作業フレーム画像７０Ｄ中のオブジェクト７１の輪郭がなぞられて指定されると、その結果得られた入力輪郭線に基づいて作業フレーム画像７０Ｄに対するオブジェクト指定基準領域７４を生成すると共に、当該オブジェクト指定基準領域７４にかかる所定単位ブロックを生成伝播範囲の個々の領域抽出用フレーム画像７０Ｂ、７０Ｃ、７０Ｅ、７０Ｆにおける移動位置に移動させて当該生成伝播範囲の個々の領域抽出用フレーム画像７０Ｂ、７０Ｃ、７０Ｅ、７０Ｆに対するオブジェクト指定伝播領域７７Ａ乃至７７Ｄを生成する。
【０２０９】
従って情報処理装置５０は、オブジェクト抽出用動画像７０を構成する複数の領域抽出用フレーム画像７０Ｂ乃至７０Ｆ中のオブジェクト７１の輪郭をそれぞれ指定しなくても、いずれか１つの領域抽出用フレーム画像（作業フレーム画像）７０Ｄ中のオブジェクト７１の輪郭を指定するだけで、複数の領域抽出用フレーム画像７０Ｂ乃至７０Ｆ中のオブジェクト７１をそれぞれ指定するオブジェクト指定領域を容易に抽出することができる。
【０２１０】
また情報処理装置５０は、修正伝播範囲を設定したうえでいずれか１つの修正対象のオブジェクト指定基準領域７４又はオブジェクト指定伝播領域７７Ａ乃至７７Ｄに対する修正が指示されると、その修正を修正対象のオブジェクト指定基準領域７４又はオブジェクト指定伝播領域７７Ａ乃至７７Ｄから修正伝播範囲内の他のオブジェクト指定基準領域７４又はオブジェクト指定伝播領域７７Ａ乃至７７Ｄに伝播させるため、啓発対象ユーザに極力少ない操作で複数のオブジェクト指定基準領域７４及びオブジェクト指定伝播領域７７Ａ乃至７７Ｄの抽出精度を容易に向上させることができる。
【０２１１】
以上の構成によれば、啓発対象ユーザにオブジェクト抽出用動画像７０からオブジェクト指定領域を抽出する領域抽出操作を行わせた際に表示した一連の領域抽出処理用画面と、そのオブジェクト抽出用動画像７０と、当該啓発対象ユーザの技量の情報とからなる入力情報を当該一連の領域抽出処理用画面及びオブジェクト抽出用動画像７０から抽出した、啓発対象ユーザの領域抽出手法に対する処理傾向情報と共に蓄積情報データＤ６７として情報蓄積部５３に記憶すると共に、当該啓発対象ユーザの領域抽出手法に対する処理傾向情報と、情報蓄積部５３にすでに蓄積している過去蓄積情報データＤ６７に含まれる処理傾向情報とを比較して当該過去蓄積情報データＤ６７の中から啓発対象ユーザの領域抽出手法と類似する他のユーザの領域抽出手法をオブジェクト抽出用動画像及び一連の領域抽出処理用画面として含む過去蓄積情報データＤ６７を選択した後、その選択した過去蓄積情報データＤ６７に含まれる技量の情報同士を比較して当該技量の最も高いユーザの過去蓄積情報データＤ６７を最終的に選択して当該最終的に選択した過去蓄積情報データＤ６７に含まれる一連の領域抽出処理用画面を提示情報として啓発対象ユーザに提示するようにしたことにより、提示情報によって啓発対象ユーザに自分の領域抽出手法における改善箇所の啓発を促して当該啓発対象ユーザの領域抽出手法と他のユーザの領域抽出手法との異なる箇所をその啓発対象ユーザに自分の領域抽出手法における改善箇所として見つけさせると共に、当該見つけさせた改善箇所を他のユーザの領域抽出手法に真似て改善させることができ、かくして処理対象となるオブジェクト抽出用動画像７０からオブジェクト指定領域を抽出するという処理の処理能力を容易に向上させ得る情報処理装置を実現することができる。
【０２１２】
なお上述した第２の実施の形態においては、啓発対象ユーザの処理傾向情報データＤ６５と、情報蓄積部５３にすでに蓄積している過去蓄積情報データＤ６７に含まれる処理傾向情報データＤ６５とを比較することにより当該過去蓄積情報データＤ６７の中から、啓発対象ユーザの領域抽出手法と類似する他のユーザの領域抽出手法を表すオブジェクト抽出用動画像データＤ５０及び領域抽出経緯画面データを含む過去蓄積情報データＤ６７を選択した後、その選択した過去蓄積情報データＤ６７に含まれる技量の情報同士を比較して当該技量の最も高いユーザの過去蓄積情報データＤ６７を最終的に選択するようにした場合について述べたが、本発明はこれに限らず、啓発対象ユーザの処理傾向情報データＤ６５と、情報蓄積部５３にすでに蓄積している過去蓄積情報データＤ６７に含まれる処理傾向情報データＤ６５とを比較することにより当該過去蓄積情報データＤ６７の中から、啓発対象ユーザの領域抽出手法と類似する他のユーザの領域抽出手法を表すオブジェクト抽出用動画像データＤ５０及び領域抽出経緯画面データを含む過去蓄積情報データＤ６７を選択し、当該選択した１又は複数の過去蓄積情報データＤ６７に含まれる一連の領域抽出処理用画面を提示情報として啓発対象ユーザに提示するようにしても良い。
【０２１３】
このようにすれば、啓発対象ユーザに技量の異なる複数のユーザの領域抽出処理の経緯を提示情報として提示することができるため、上述した第２の実施の形態の場合よりも、啓発対象ユーザに自分の領域抽出手法における改善箇所を更に多く見つけさせることができる。
【０２１４】
また啓発対象ユーザの処理傾向情報データＤ６５と、情報蓄積部５３にすでに蓄積している過去蓄積情報データＤ６７に含まれる処理傾向情報データＤ６５とを比較して複数の過去蓄積情報データＤ６７の中から最終的な過去蓄積情報データＤ６７を選択することにより、上述した第２の実施の形態に比べて選択時の処理負荷を低減させることもできる。
【０２１５】
また上述した第２の実施の形態においては、啓発対象ユーザに他のユーザの領域抽出処理における一連の領域抽出処理用画面を提示情報として提示するようにした場合について述べたが、本発明はこれに限らず、過去蓄積情報データＤ６７に啓発対象ユーザの過去の蓄積情報データＤ６７が含まれており、当該啓発対象ユーザの過去の蓄積情報データＤ６７を選択したときには、その蓄積情報データＤ６７に含まれる過去の領域抽出処理における一連の領域抽出処理用画面を提示情報として啓発対象ユーザに提示するようにしても良い。この場合には、例えば啓発対象ユーザの現在の領域抽出手法よりも過去の領域抽出手法の方が技量が高いと、現在の領域抽出手法における改善箇所を過去の技量の高かったときの領域抽出手法と比較させて容易に見つけさせることができる。
【０２１６】
さらに上述した第２の実施の形態においては、啓発対象ユーザに提示する提示情報を選択する場合、全ての過去蓄積情報データＤ６７を用いるようにした場合について述べたが、本発明はこれに限らず、個々の啓発対象ユーザに対する提示情報の提示履歴を蓄積しておき、啓発対象ユーザに提示する提示情報を選択する場合、その提示履歴に基づいて、過去の提示に用いた過去蓄積情報データＤ６７を除いた他の過去蓄積情報データＤ６７を用いるようにしても良い。
【０２１７】
このようにすれば、啓発対象ユーザに過去に提示した提示情報を再び提示することを防止して新たな提示情報を提示することができることにより啓発対象ユーザに新たな視点で領域抽出手法における改善箇所の啓発を促すことができる。因みに、啓発対象ユーザに提示する提示情報を選択する場合には、提示対象のユーザに拘わらずに提示情報の提示に利用した過去蓄積情報データＤ６７をその後の提示情報の選択には用いないように強制的な規制を施すことでも、かかる処理を実現することができる。
【０２１８】
さらに上述した第２の実施の形態においては、図２９について上述した選択条件を用いて提示情報を選択するようにした場合について述べたが、本発明はこれに限らず、図３１に示すような種々の選択条件をいずれか１つ、又は図３１に示す種々の選択情報と図２９について上述した選択条件とを合わせて１又は複数の選択条件を選択的に用いて提示情報を選択するようにしても良い。
【０２１９】
ここで、図３１に示す種々の選択条件について詳述すると、情報処理装置５０は、まず第１の選択条件を用いる場合、提示情報選択部５４により、比較用基準輝度値ダイナミックレンジの値と、全ての過去蓄積情報データＤ６７に含まれる過去輝度値ダイナミックレンジの値とを比較することによりダイナミックレンジ閾値範囲内の値を示す過去輝度値ダイナミックレンジの情報を含む過去蓄積情報データＤ６７を選択した後、その選択した過去蓄積情報データＤ６７の中から当該過去蓄積情報データＤ６７に含まれる技量の情報同士を比較して最も良い技量を含む過去蓄積情報データＤ６７を最終的に選択して当該最終的に選択した過去蓄積情報データＤ６７に含まれる一連の領域指定処理用画面を啓発対象ユーザに提示する。
【０２２０】
この場合、情報処理装置５０は、啓発対象ユーザによりオブジェクト指定領域の抽出に用いられたオブジェクト抽出用動画像７０と色調の類似するオブジェクト抽出用動画像を用いてオブジェクト指定領域の抽出を行った複数の領域抽出手法の中から、技量の最も高い領域抽出手法を啓発対象ユーザに提示して、当該啓発対象ユーザに自分の領域抽出手法における改善箇所を啓発させることができる。
【０２２１】
また情報処理装置５０は、第２の選択条件を用いる場合、提示情報選択部５４により、啓発対象ユーザの処理傾向情報データＤ６６に含まれる比較用基準輝度値ダイナミックレンジの値と、情報蓄積部５３にすでに蓄積されている過去蓄積情報データＤ６７に含まれる過去輝度値ダイナミックレンジの値とを比較すると共に、当該過去蓄積情報データＤ６７に含まれる技量（以下、これを過去技量と呼ぶ）の情報同士を比較することによりダイナミックレンジ閾値範囲内の値を示す過去輝度値ダイナミックレンジの情報を含み、かつ予め設定された所定の閾値以上の値を有する過去技量を含む過去蓄積情報データＤ６７を選択する。
【０２２２】
そして情報処理装置５０は、提示情報選択部５４により、その選択した過去蓄積情報データＤ６７に含まれる過去平均描線速度の値と、比較用基準平均描線速度の値とを比較することにより、当該選択した過去蓄積情報データＤ６７の中から描線速度閾値範囲外の値を示し、かつ比較用基準平均描線速度の値との違いが最大である過去平均描線速度の情報を含む過去蓄積情報データＤ６７を最終的に選択して当該最終的に選択した過去蓄積情報データＤ６７に含まれる一連の領域指定処理用画面を啓発対象ユーザに提示する。
【０２２３】
この場合、情報処理装置５０は、啓発対象ユーザによりオブジェクト指定領域の抽出に用いられたオブジェクト抽出用動画像７０と色調の類似するオブジェクト抽出用動画像を用いてオブジェクト指定領域の抽出を行い、かつある程度技量の高い複数の領域抽出手法の中から、オブジェクトの輪郭の指定の仕方が最も異なる領域抽出手法（すなわち一連の領域指定処理用画面）を啓発対象ユーザに提示して、当該啓発対象ユーザに自分の領域抽出手法における改善箇所を啓発させることができる。
【０２２４】
さらに情報処理装置５０は、第３の選択条件を用いる場合、提示情報選択部５４により、啓発対象ユーザの処理傾向情報データＤ６６に含まれる比較用基準輝度値ダイナミックレンジの値と、情報蓄積部５３にすでに蓄積されている過去蓄積情報データＤ６７に含まれる過去輝度値ダイナミックレンジの値とを比較すると共に、当該過去蓄積情報データＤ６７に含まれる過去技量の情報同士を比較することによりダイナミックレンジ閾値範囲内の値を示す過去輝度値ダイナミックレンジの情報を含み、かつ予め設定された所定の閾値以上の値を有する過去技量を含む過去蓄積情報データＤ６７を選択する。
【０２２５】
そして情報処理装置５０は、提示情報選択部５４により、その選択した過去蓄積情報データＤ６７の中から無作為に例えば１つの過去蓄積情報データＤ６７を最終的に選択して当該最終的に選択した過去蓄積情報データＤ６７に含まれる一連の領域指定処理用画面を啓発対象ユーザに提示する。
【０２２６】
この場合、情報処理装置５０は、啓発対象ユーザによりオブジェクト指定領域の抽出に用いられたオブジェクト抽出用動画像７０と色調の類似するオブジェクト抽出用動画像を用いてオブジェクト指定領域の抽出を行い、かつある程度技量の高い複数の領域抽出手法の中から無作為に選択した領域抽出手法（すなわち一連の領域指定処理用画面）を啓発対象ユーザに提示することにより、当該啓発対象ユーザに自分の領域抽出手法における改善箇所をある程度偶然性に期待して啓発させることができる。
【０２２７】
さらに情報処理装置５０は、第４の選択条件を用いる場合、提示情報選択部５４により、啓発対象ユーザの処理傾向情報データＤ６６に含まれる比較用基準輝度値ダイナミックレンジ及び比較用基準平均描線速度の値と、情報蓄積部５３にすでに蓄積されている過去蓄積情報データＤ６７に含まれる過去輝度値ダイナミックレンジ及び過去平均描線速度の値とを比較することによりダイナミックレンジ閾値範囲内の値を示す過去輝度値ダイナミックレンジの情報を含み、かつ描線速度閾値範囲内の値を示す過去平均描線速度の情報を含む過去蓄積情報データＤ６７を選択する。
【０２２８】
そして情報処理装置５０は、提示情報選択部５４により、その選択した過去蓄積情報データＤ６７の中から、これらに含まれる過去技量の情報同士を比較することにより最も低い技量を含む過去蓄積情報データＤ６７を最終的に選択して当該最終的に選択した過去蓄積情報データＤ６７に含まれる一連の領域指定処理用画面を啓発対象ユーザに提示する。
【０２２９】
この場合、情報処理装置５０は、啓発対象ユーザによりオブジェクト指定領域の抽出に用いられたオブジェクト抽出用動画像７０と色調の類似するオブジェクト抽出用動画像を用いてオブジェクト指定領域の抽出を行った複数の領域抽出手法の中から技量の最も低い領域抽出手法（すなわち一連の領域指定処理用画面）を啓発対象ユーザに提示することにより、啓発対象ユーザに自分の領域抽出手法における改善箇所を啓発させることができる。因みに、かかる第４の選択条件を用いれば、最終的に選択した領域抽出手法の提示により啓発対象ユーザに反面教師的に自分の領域抽出手法の良い箇所を再確認させることもできる。
【０２３０】
さらに情報処理装置５０は、第５の選択条件を用いる場合、例えば啓発対象ユーザの処理傾向情報データＤ６６に当該啓発対象ユーザの技量（以下、これを比較用基準技量と呼ぶ）の情報を格納しておき、提示情報選択部５４により、啓発対象ユーザの処理傾向情報データＤ６６に含まれる比較用基準輝度値ダイナミックレンジ、比較用基準平均描線速度及び比較用基準技量の値と、情報蓄積部５３にすでに蓄積されている過去蓄積情報データＤ６７に含まれる過去輝度値ダイナミックレンジ、過去平均描線速度及び過去技量の値とを比較することによりダイナミックレンジ閾値範囲内の値を示す過去輝度値ダイナミックレンジの情報と、描線速度閾値範囲内の値を示す過去平均描線速度と、比較用基準技量の値を中心とした所定の技量閾値範囲内の値を示す過去技量とを共に含む過去蓄積情報データＤ６７を選択する。
【０２３１】
そして情報処理装置５０は、提示情報選択部５４により、その選択した過去蓄積情報データＤ６７の中から、これらに含まれる過去技量の情報同士を比較することにより最も高い技量を含む過去蓄積情報データＤ６７を最終的に選択して当該最終的に選択した過去蓄積情報データＤ６７に含まれる一連の領域指定処理用画面を啓発対象ユーザに提示する。
【０２３２】
この場合、情報処理装置５０は、啓発対象ユーザによりオブジェクト指定領域の抽出に用いられたオブジェクト抽出用動画像７０と色調の類似するオブジェクト抽出用動画像を用いてオブジェクト指定領域の抽出を行い、かつ実力（すなわち技量）もほとんど同じ複数の領域抽出手法のうちで最も技量の高い領域抽出手法（すなわち一連の領域指定処理用画面）を啓発対象ユーザに提示することにより、提示した領域抽出手法と啓発対象ユーザの領域抽出手法との違いがわずかであるため、当該啓発対象ユーザに自分の領域抽出手法における改善箇所を容易に啓発させることができる。
【０２３３】
さらに情報処理装置５０は、第６の選択条件を用いる場合、提示情報選択部５４により、情報蓄積部５３にすでに蓄積されている過去蓄積情報データＤ６７の中から無作為に例えば１つの過去蓄積情報データＤ６７を選択して当該選択した過去蓄積情報データＤ６７に含まれる一連の領域指定処理用画面を啓発対象ユーザに提示する。
【０２３４】
この場合、情報処理装置５０は、無作為に選択した領域抽出手法（すなわち一連の領域指定処理用画面）を啓発対象ユーザに提示することにより、当該啓発対象ユーザに自分の領域抽出手法における改善箇所を全面的に偶然性に期待して啓発させることができる。
【０２３５】
因みに情報処理装置５０では、上述した第５の選択条件を用いる場合、啓発対象ユーザの処理傾向情報データＤ６６に技量の情報を格納しておかなくても、提示情報選択部５４により、情報蓄積部５３に蓄積している全ての蓄積情報データＤ６７（啓発対象ユーザの蓄積情報データＤ６７を含む）に含まれている技量の情報を用いることで最終的な蓄積情報データＤ６７の選択を実現することもできる。
【０２３６】
また上述した各選択条件において技量の情報を用いるときには、技量の最小及び最大や、所定の閾値以上の技量等の規定にしなくても、所定の閾値以下の技量や、啓発対象ユーザの技量よりも高い又は低い技量、啓発対象ユーザの技量から所定の閾値以上離れた値の技量、啓発対象ユーザの技量から所定の第１の閾値以上離れ、かつ第２の閾値以下の技量、さらには啓発対象ユーザの技量とほぼ同じ（類似する）技量等の条件でも過去蓄積情報データＤ６７を選択することができる。
【０２３７】
さらに蓄積情報データＤ６７の選択に用いる選択条件としては、図２９について上述した選択条件及び図３１について上述した第１乃至第６の選択条件のそれぞれ一部を入れ換えた選択条件や、生成伝播範囲及び又は修正伝播範囲、修正箇所の指定の様子を用いる選択条件等のように、さらにこの他にも種々の選択条件を用いることができる。
【０２３８】
これに加えて情報処理装置５０では、図２９及び図３１について上述した選択条件において限定基準の比較用基準輝度値ダイナミックレンジや比較用基準平均描線速度、比較用基準技量をそれぞれ個別に用いるようにしたが、限定基準の比較用基準輝度値ダイナミックレンジ、比較用基準平均描線速度及び比較用基準技量等を少なくとも２つ以上用いて例えば２乗和の平方根を算出し、ユークリッド空間内でその算出結果を基準とした所定の閾値空間と過去輝度値ダイナミックレンジ、過去平均描線速度及び過去技量等の同様に少なくとも２つ以上を用いて２乗和の平方根を算出した結果とを比較して過去蓄積情報データＤ６７を限定するようにしても良い。
【０２３９】
また情報処理装置５０では、限定基準の比較用基準輝度値ダイナミックレンジ、比較用基準平均描線速度及び比較用基準技量等を少なくとも２つ以上用いて例えば差分絶対値和を算出し、得られた算出結果を基準とした所定の閾値空間と、過去輝度値ダイナミックレンジ、過去平均描線速度及び過去技量等の同様に少なくとも２つ以上を用いて差分絶対値和を算出した結果とを比較して過去蓄積情報データＤ６７を限定するようにしても良い。
【０２４０】
さらに情報処理装置５０では、限定基準の比較用基準輝度値ダイナミックレンジ、比較用基準平均描線速度及び比較用基準技量等を中心とした所定のダイナミックレンジ閾値範囲、描線速度閾値範囲及び技量閾値範囲等の少なくとも２つ以上を積算し、得られた積空間と、過去輝度値ダイナミックレンジ、過去平均描線速度及び過去技量等の少なくとも２つ以上とを比較して過去蓄積情報データＤ６７を限定するようにしても良い。
【０２４１】
同様に情報処理装置５０では、図２９及び図３１について上述した選択条件において選定基準の平均描線速度及び技量もそれぞれ個別に用いるようにしたが、選定基準の比較用基準平均描線速度及び比較用基準技量等を少なくとも２つ以上用いて例えば２乗和の平方根を算出し、ユークリッド空間内でその算出結果を基準とした所定の閾値空間と過去平均描線速度及び過去技量等の同様に少なくとも２つ以上を用いて２乗和の平方根を算出した結果とを比較して最終的な過去蓄積情報データＤ６７を選択するようにしても良い。
【０２４２】
また情報処理装置５０では、選定基準の比較用基準平均描線速度及び比較用基準技量等を少なくとも２つ以上用いて例えば差分絶対値和を算出し、得られた算出結果を基準とした所定の閾値空間と過去平均描線速度及び過去技量等の同様に少なくとも２つ以上を用いて差分絶対値和を算出した結果とを比較して最終的な過去蓄積情報データＤ６７を選択するようにしても良い。
【０２４３】
さらに情報処理装置５０では、選定基準の比較用基準平均描線速度及び比較用基準技量等を中心とした所定の描線速度閾値範囲及び技量閾値範囲等の少なくとも２つ以上を積算し、得られた積空間と、過去平均描線速度及び過去技量等の同様に少なくとも２つ以上とを比較して最終的な過去蓄積情報データＤ６７を選択するようにしても良い。
【０２４４】
さらに上述した第２の実施の形態においては、情報蓄積部５３に入力情報データＤ６５及び処理傾向情報データＤ６６からなる蓄積情報データＤ６７を蓄積するようにした場合について述べたが、本発明はこれに限らず、少なくとも入力情報データＤ６５を蓄積情報データとして情報蓄積部５３に蓄積するようにしても良く、この場合には提示情報を選択する際に、その都度、啓発対象ユーザの入力情報データＤ６５及び蓄積情報データ（すなわち入力情報データＤ６５）から処理傾向情報を抽出すれば良い。また啓発対象ユーザと他のユーザとがそれぞれ同じオブジェクト抽出用動画像７０からオブジェクト指定領域を抽出する場合には、入力情報データＤとして領域指定経緯画面データ及び技量の情報を利用すれば良い。
【０２４５】
さらに上述した第２の実施の形態においては、領域指定処理を行う際に図１６乃至図１７について上述した領域抽出処理ルーチンＳＲＴ５１で説明した種々の抽出処理用命令Ｃ５０を入力し得るようにした場合について述べたが、本発明はこれに限らず、これら各種抽出処理用命令Ｃ５０の他に一つ前の処理に戻る、いわゆるアンドゥ（undo）等のように、他の種々の命令も抽出処理用命令として入力し得るようにしても良い。
【０２４６】
さらに上述した第２の実施の形態においては、啓発対象ユーザに対して、選択した領域抽出手法としての一連の領域抽出処理用画面を実際に行われた領域抽出操作の時間経過に合わせて再生して提示するようにした場合について述べたが、本発明はこれに限らず、一連の領域指定処理用画面に対する時間的な表示順序を表す情報を予め記録しておき、啓発対象ユーザに切換要求に応じて個々の領域抽出処理用画面を順次切り換えて提示するようにしても良い。
【０２４７】
（３）第３の実施の形態
図３２において、１００は全体として第３の実施の形態による情報処理装置を示し、複数のユーザに、所定の画像生成プログラムに従ってオブジェクトに対する輪郭抽出操作の試行用に生成された動画像（以下、これを輪郭抽出試行用動画像と呼ぶ）中のオブジェクト（以下、これを特に試行用オブジェクトと呼ぶ）の輪郭に対して輪郭抽出操作を試行させ、その結果得られた試行結果を蓄積する。
【０２４８】
また、情報処理装置１００は、実際にユーザによって行われる輪郭抽出操作に応じてオブジェクト抽出用動画像から抽出対象のオブジェクトの輪郭を抽出する輪郭抽出処理を行う場合、当該輪郭抽出処理の間、ユーザによって入力される各種命令に応じて適宜表示内容を変更して表示した一連の輪郭抽出処理用画面を輪郭抽出操作の経緯（すなわちオブジェクト輪郭用動画像からオブジェクトの輪郭を抽出するユーザの輪郭抽出手法）を表す輪郭抽出経緯画面データとして蓄積する。
【０２４９】
そして情報処理装置１００は、個々のユーザによって輪郭抽出操作が行われる際、その輪郭抽出操作に先立って、他のユーザによりすでに行われた輪郭抽出操作で蓄積している輪郭抽出経緯画面データのうち試行結果に応じて、その時点で輪郭抽出操作を行うユーザ（以下、これを特に啓発対象ユーザと呼ぶ）の輪郭抽出手法を向上させるために手助けになると思われる輪郭抽出経緯画面データを選択して提示することにより、啓発対象ユーザに対して自分の輪郭抽出手法の向上を促すようになされている。
【０２５０】
実際上、情報処理装置１００は、輪郭生成部１０１、処理傾向情報抽出部１０２、情報蓄積部１０３、提示情報選択部１０４及び情報提示部１０５から構成されている。
【０２５１】
また輪郭生成部１０１は、図３３に示すように、動画像入力回路１１０、動画像記録回路１１１、ユーザインターフェース回路１１２、変換回路１１３、輪郭線推測生成回路１１４、輪郭線記録回路１１５、輪郭線出力回路１１６及び技量判定回路１１７から構成されている。
【０２５２】
そして情報処理装置１００は、先ず個々のユーザがオブジェクト抽出用動画像中の抽出対象のオブジェクトの輪郭をどの程度正確に指定するかを示す技量（この技量は輪郭抽出手法の評価値となる）と、当該輪郭を指定する際にどのような傾向を有しているかとを予め推測するために抽出対象のオブジェクトとは異なる輪郭抽出試行用動画像中の試行用オブジェクトの輪郭に対して試行的に輪郭抽出操作（以下、これを特に輪郭抽出試行操作と呼ぶ）を行わせ、その輪郭抽出試行操作に応じた輪郭抽出試行処理を実行する。
【０２５３】
ここで情報処理装置１００は、輪郭生成部１０１、処理傾向情報抽出部１０２、情報蓄積部１０３、提示情報選択部１０４及び情報提示部１０５において輪郭抽出試行処理を実行するための各種処理を所定の輪郭抽出試行プログラムに従ってソフトウェア的に実現する。
【０２５４】
すなわち情報処理装置１００は、図３４に示すように、輪郭抽出試行プログラムに従って輪郭抽出試行処理手順ＲＴ１００の開始ステップから入り、続くステップＳＰ１０１へ移って試行モードへ移行する。
【０２５５】
ステップＳＰ１０１において情報処理装置１００は、輪郭生成部１０１のユーザインターフェース回路１１２により、所定の操作部（図示せず）を介して入力されたユーザ名及びユーザＩＤからなるユーザ情報Ｓ１００を取得し、次の技量判定処理ルーチンＳＲＴ２００へ移る。
【０２５６】
この際、情報処理装置１００は、図３５に示すように、技量判定処理ルーチンＳＲＴ２００の開始ステップから入ってステップＳＰ２０１へ移る。
【０２５７】
ステップＳＰ２０１において情報処理装置１００は、外部から供給された輪郭抽出試行用動画像データＤ１００を輪郭生成部１０１の動画像入力回路１１０に取り込み、当該輪郭抽出試行用動画像データＤ１００を構成するフレーム画像データ（以下、これを試行用フレーム画像データと呼ぶ）Ｄ１００Ａ単位で動画像記録回路１１１に記録する。
【０２５８】
ここで輪郭抽出試行用動画像データＤ１００に基づく輪郭抽出試行用動画像１２０は、図３６に示すように、時間的に連続して試行用オブジェクトＴＪ１乃至ＴＪ７を含む複数の試行用フレーム画像ＴＦ１乃至ＴＦ７（試行用フレーム画像データＤ１００Ａに相当）から構成されており、当該試行用オブジェクトＴＪ１乃至ＴＪ７が時間の経過に従ってその形状を次第に変化させながら移動し、一般的な画像処理アプリケーションプログラムを利用した画像処理の実行によって、試行用オブジェクトＴＪ１乃至ＴＪ７の輪郭を示す輪郭線（以下、これを計測基準輪郭線と呼ぶ）ＲＯＬ１乃至ＲＯＬ７を正確に認識させ得るように生成されている。
【０２５９】
そして情報処理装置１００は、ユーザインターフェース回路１１２から輪郭抽出試行処理用画面データＤ１０１を情報提示部１０５（図３２）に送出することにより当該情報提示部１０５に設けられたモニタ（図示せず）に輪郭抽出試行処理用画面データＤ１０１に基づいて、輪郭抽出試行用動画像１２０の画像表示領域等を有する輪郭抽出試行処理用画面（図示せず）を表示する。
【０２６０】
また情報処理装置１００は、ユーザによって操作部を介して入力された先頭の試行用フレーム画像データ（以下、これを特に試行用先頭フレーム画像データと呼ぶ）Ｄ１００Ａの要求に応じて、ユーザインターフェース回路１１２により、動画像記録回路１１１から輪郭抽出試行用動画像データＤ１００を構成する複数の試行用フレーム画像データＤ１００Ａのうち試行用先頭フレーム画像データＤ１００Ａを選択して読み出し、当該試行用先頭フレーム画像データＤ１００Ａを輪郭抽出試行処理用画面データＤ１０１と合成して情報提示部１０５（図３２）に送出する。
【０２６１】
これにより情報処理装置１００は、情報提示部１０５において輪郭抽出試行処理用画面内の画像表示領域に試行用先頭フレーム画像データＤ１００Ａに基づく試行用先頭フレーム画像ＴＦ１を表示し、かくして試行用先頭フレーム画像ＴＦ１中の試行用オブジェクトＴＪ１の形状をユーザに目視させる。
【０２６２】
この状態で情報処理装置１００は、ユーザによってマウス等の操作部を介して輪郭抽出試行処理用画面上で試行用先頭フレーム画像ＴＦ１中の試行用オブジェクトＴＪ１の輪郭が任意になぞられて指定されると、この結果得られた入力輪郭線（以下、これを試行先頭入力輪郭線と呼ぶ）に相当する試行先頭入力輪郭線信号Ｓ１０１をユーザインターフェース回路１１２に取り込んで変換回路１１３へ送出する。
【０２６３】
情報処理装置１００は、変換回路１１３により、試行先頭入力輪郭線信号Ｓ１０１を所定のサンプリング間隔でサンプリングしてディジタルデータに変換することにより、当該試行先頭入力輪郭線信号Ｓ１０１に相当する複数の試行先頭入力輪郭形成点を生成し、当該生成した複数の試行先頭入力輪郭形成点の集合データを試行先頭入力輪郭形成点群データＤ１０２として輪郭線推測生成回路１１４に送出して次のステップＳＰ２０２へ移る。
【０２６４】
ステップＳＰ２０２において情報処理装置１００は、ユーザによって操作部を介して入力された最後尾の試行用フレーム画像データ（以下、これを特に試行用最後尾フレーム画像データと呼ぶ）Ｄ１００Ａの要求に応じて、ユーザインターフェース回路１１２により、動画像記録回路１１１から輪郭抽出試行用動画像データＤ１００を構成する複数の試行用フレーム画像データＤ１００Ａのうち試行用最後尾フレーム画像データＤ１００Ａを選択して読み出し、当該試行用最後尾フレーム画像データＤ１００Ａを輪郭抽出試行処理用画面データＤ１０１と合成して情報提示部１０５に送出することにより、当該情報提示部１０５において輪郭抽出試行処理用画面内の画像表示領域に試行用最後尾フレーム画像データＤ１００Ａに基づく試行用最後尾フレーム画像ＴＦ７を表示し、かくして当該試行用最後尾フレーム画像ＴＦ７中の試行用オブジェクトＴＪ７の形状をユーザに目視させる。
【０２６５】
この状態で情報処理装置１００は、ユーザによってマウス等の操作部を介して輪郭抽出試行処理用画面上で試行用最後尾フレーム画像ＴＦ７中の試行用オブジェクトＴＪ７の輪郭がなぞられて指定されると、この結果得られた入力輪郭線（以下、これを試行最後尾入力輪郭線と呼ぶ）に相当する試行最後尾入力輪郭線信号Ｓ１０２をユーザインターフェース回路１１２に取り込んで変換回路１１３へ送出する。
【０２６６】
そして情報処理装置１００は、変換回路１１３により、試行最後尾入力輪郭線信号Ｓ１０２を所定のサンプリング間隔でサンプリングしてディジタルデータに変換することにより、当該試行最後尾入力輪郭線信号Ｓ１０２に相当する複数の試行最後尾入力輪郭形成点を生成し、当該生成した複数の試行最後尾入力輪郭形成点の集合データを試行最後尾入力輪郭形成点群データＤ１０３として輪郭線推測生成回路１１４に送出して次の推測輪郭線生成処理ルーチンＳＲＴ３００へ移る。
【０２６７】
情報処理装置１００は、図３７に示すように、推測輪郭線生成処理ルーチンＳＲＴ３００の開始ステップから入って次のステップＳＰ３０１に移る。
【０２６８】
ここで試行用オブジェクトＴＪ１乃至ＴＪ７は、時間的に連続する試行用フレーム画像ＴＦ１乃至ＴＦ７中にその形状を次第に変化させながら移動していることから（図３６）、図３８に示すように試行先頭入力輪郭線ＳｔＴＬ及び試行最後尾入力輪郭線ＥｎＴＬを同一フレーム画像上で示した場合、試行先頭入力輪郭形成点ＳｔＴＰ１乃至ＳｔＴＰ２０と試行最後尾入力輪郭形成点ＥｎＴＰ１乃至ＥｎＩＴ２４との各位置はそれぞれ異なる。
【０２６９】
また試行先頭入力輪郭線ＳｔＴＬ及び試行最後尾入力輪郭線ＥｎＴＬにおいては、試行先頭入力輪郭形成点ＳｔＴＰ１乃至ＳｔＴＰ２０及び試行最後尾入力輪郭形成点ＥｎＴＰ１乃至ＥｎＴＰ２４を生成する際のサンプリング間隔が同じであるのに、試行用オブジェクトＴＪ１及びＴＪ７をユーザがそれぞれマウス等を介してなぞるときの描線速度や、試行用オブジェクトＴＪ１及びＴＪ７の輪郭の大きさ及び形状が異なることから、試行先頭入力輪郭形成点ＳｔＴＰ１乃至ＳｔＴＰ２０と試行最後尾入力輪郭形成点ＥｎＴＰ１乃至ＥｎＴＰ２４との総数がそれぞれ異なるものとなる。
【０２７０】
従ってステップＳＰ３０１において情報処理装置１００は、輪郭線推測生成回路１１４により、試行先頭入力輪郭形成点群データＤ１０２及び試行最後尾入力輪郭形成点群データＤ１０３に基づいて、試行先頭入力輪郭線ＳｔＴＬを構成する試行先頭入力輪郭形成点ＳｔＴＰ１乃至ＳｔＴＰ２０の総数（以下、これを試行先頭形成点数と呼ぶ）と、試行最後尾入力輪郭線ＥｎＴＬを構成する試行最後尾入力輪郭形成点ＥｎＴＰ１乃至ＥｎＴＰ２４の総数（以下、これを試行最後尾形成点数と呼ぶ）とを比較する。
【０２７１】
この結果、情報処理装置１００は、輪郭線推測生成回路１１４により、比較した試行先頭形成点数及び試行最後尾形成点数同士のうち数が少ない試行先頭形成点数の試行先頭入力輪郭形成点ＳｔＴＰ１乃至ＳｔＴＰ２０で構成される試行先頭入力輪郭線ＳｔＴＬにおいて、互いに隣接する各試行先頭入力輪郭形成点ＳｔＴＰ１乃至ＳｔＴＰ２０間の距離から当該試行先頭入力輪郭線ＳｔＴＬの全長を算出する。
【０２７２】
そして情報処理装置１００は、輪郭線推測生成回路１１４により、その算出した全長を数の多い試行最後尾形成点数で除算することにより、試行先頭入力輪郭線ＳｔＴＬ上でこれを構成する新たな輪郭形成点（以下、これを新規輪郭形成点と呼ぶ）を生成するための生成間隔を求める。
【０２７３】
これにより情報処理装置１００は、図３９に示すように、輪郭線推測生成回路１１４により、試行先頭入力輪郭線ＳｔＴＬ上で生成間隔ＮＫ毎に順次新規輪郭形成点ＮＳＴＰ１乃至ＮＳＴＰ２４を生成し、試行先頭入力輪郭線ＳｔＴＬを構成する新規輪郭形成点ＮＳＴＰ１乃至ＮＳＴＰ２４の総数を試行最後尾形成点数に合わせてステップＳＰ３０２へ移る。
【０２７４】
ステップＳＰ３０２において情報処理装置１００は、輪郭線推測生成回路１１４により、図４０（Ａ）に示すように、試行先頭入力輪郭線ＳｔＴＬの重心ＳｔＴＣ（座標値）と試行最後尾入力輪郭線ＥｎＴＬの重心ＥｎＴＣとを算出し、図４０（Ｂ）に示すように、例えば試行先頭入力輪郭線ＳｔＴＬを、互いの重心ＳｔＴＣ及びＥｎＴＣ間の重心移動距離Ｌだけ一方の重心ＳｔＴＣから他方の重心ＥｎＴＣの方向へ移動させることにより互いの重心ＳｔＴＣ及びＥｎＴＣ同士を一致させて試行先頭入力輪郭線ＳｔＴＬと試行最後尾入力輪郭線ＥｎＴＬとを重ね合わせる。
【０２７５】
この状態で情報処理装置１００は、図４１に示すように、輪郭線推測生成回路１１４により、試行先頭入力輪郭線ＳｔＴＬを構成している複数の新規輪郭形成点ＮＳＴＰ１乃至ＮＳＴＰ２４のうち任意の新規輪郭形成点ＮＳＴＰ１を選択した後、当該選択した新規輪郭形成点ＮＳＴＰ１から最短距離にある試行最後尾入力輪郭形成点ＥｎＴＰ１を探索し、これら最短距離の関係にある新規輪郭形成点ＮＳＴＰ１と試行最後尾入力輪郭形成点ＥｎＴＰ１との間の輪郭線間距離Ｄa1を算出する。
【０２７６】
このようにして情報処理装置１００は、輪郭線推測生成回路１１４により、残りの新規輪郭形成点ＮＳＴＰ２乃至ＮＳＴＰ２４に対してもそれぞれ最短距離にある試行最後尾入力輪郭形成点ＥｎＴＰ２乃至ＥｎＴＰ２４を探索して同様に輪郭線間距離Ｄa2乃至Ｄa24 を算出した後、最も短い輪郭線間距離（ここでは輪郭線間距離Ｄa1）の関係にある試行最後尾入力輪郭形成点ＥｎＴＰ１と新規輪郭形成点ＮＳＴＰ１とを起点ペアＳＰＰ１と決定して次のステップＳＰ３０３へ移る。
【０２７７】
ステップＳＰ３０３において情報処理装置１００は、輪郭線推測生成回路１１４により、図４２（Ａ）に示すように、起点ペアＳＰＰ１を起点とし、試行先頭入力輪郭線ＳｔＴＬにおいて例えば矢印ＡｒｗＳ１に示す反時計回り方向（以下、これを基準方向と呼ぶ）の新規輪郭形成点ＮＳＴＰ２乃至ＮＳＴＰ２４に、試行最後尾入力輪郭線ＥｎＴＬにおいて矢印ＡｒｗＯ１に示す反時計回り方向（以下、これを順回り方向と呼ぶ）の試行最後尾入力輪郭形成点ＥｎＴＰ２乃至ＥｎＴＰ２４をそれぞれ順番に対応付けることにより、これら順番に対応付けた新規輪郭形成点ＮＳＴＰ２及び試行最後尾入力輪郭形成点ＳｔＴＰ２間、新規輪郭形成点ＮＳＴＰ３及び試行最後尾入力輪郭形成点ＳｔＴＰ３間、……の距離をそれぞれ順回りペア間距離ＯＤa2乃至ＯＤa24 として算出する。
【０２７８】
また情報処理装置１００は、輪郭線推測生成回路１１４により、図４２（Ｂ）に示すように、起点ペアＳＰＰ１を起点とし、試行先頭入力輪郭線ＳｔＴＬにおいて基準方向の新規輪郭形成点ＮＳＴＰ２乃至ＮＳＴＰ２４に、試行最後尾入力輪郭線ＥｎＴＬにおいて矢印ＡｒｗＲ１に示す時計回り方向（以下、これを逆回り方向と呼ぶ）の試行最後尾入力輪郭形成点ＥｎＴＰ２４乃至ＥｎＴＰ２を順番に対応付けることにより、これら順番に対応付けた新規輪郭形成点ＮＳＴＰ２及び試行最後尾入力輪郭形成点ＳｔＴＰ２４間、新規輪郭形成点ＮＳＴＰ３及び試行先頭入力輪郭形成点ＳｔＴＰ２３間、……の距離をそれぞれ逆回りペア間距離ＲＤa2乃至ＲＤa24 として算出する。
【０２７９】
そして情報処理装置１００は、輪郭線推測生成回路１１４により、順回りペア間距離ＯＤa2乃至ＯＤa24 の総和と逆回りペア間距離ＲＤa2乃至ＲＤa24 の総和とを算出し、当該算出した総和同士を比較する。
【０２８０】
ここで新規輪郭形成点ＮＳＴＰ１乃至ＮＳＴＰ２４と試行最後尾入力輪郭形成点ＥｎＴＰ１乃至ＥｎＴＰ２４との対応付けについて考えると、新規輪郭形成点ＮＳＴＰ１乃至ＮＳＴＰ２４が試行用先頭フレーム画像ＴＦ１及び試行用最後尾フレーム画像ＴＦ７間の複数の試行用フレーム画像ＴＦ２乃至ＴＦ６を経て移動した先の試行最後尾輪郭形成点ＥｎＴＰ１乃至ＥｎＴＰ２４にほぼ正しく対応付けられれば、これら対応付けた新規輪郭形成点ＮＳＴＰ１乃至ＮＳＴＰ２４及び試行最後尾輪郭形成点ＥｎＴＰ１乃至ＥｎＴＰ２４間の順回りペア間距離ＯＤa2乃至ＯＤa24 又は逆回りペア間距離ＲＤa2乃至ＲＤa24 の総和は比較的小さくなる。
【０２８１】
これに対して新規輪郭形成点ＮＳＴＰ１乃至ＮＳＴＰ２４が試行用先頭フレーム画像ＴＦ１及び試行用最後尾フレーム画像ＴＦ７間の複数の試行用フレーム画像ＴＦ２乃至ＴＦ６を経て移動した先の試行最後尾輪郭形成点ＥｎＴＰ１乃至ＥｎＴＰ２４に正しく対応付けられずに異なる他の試行最後尾輪郭形成点ＥｎＴＰ１乃至ＥｎＴＰ２４に対応付けられると、これら対応付けた新規輪郭形成点ＮＳＴＰ１乃至ＮＳＴＰ２４及び試行最後尾輪郭形成点ＥｎＴＰ１乃至ＥｎＴＰ２４の位置関係が本来のものとは異なることにより順回りペア間距離ＯＤa2乃至ＯＤa24 又は逆回りペア間距離ＲＤa2乃至ＲＤa24 の総和は比較的大きくなる。
【０２８２】
従って情報処理装置１００は、輪郭線推測生成回路１１４により、順回りペア間距離ＯＤa2乃至ＯＤa24 又は逆回りペア間距離ＲＤa2乃至ＲＤa24 の総和のうち当該総和が小さい一方の対応付け（例えば基準方向と順回り方向との対応付け）を、各新規輪郭形成点ＮＳＴＰ２乃至ＮＳＴＰ２４と、これらが移動した先の試行最後尾入力輪郭形成点ＥｎＴＰ２乃至ＥｎＴＰ２４とのほぼ正しい対応付けであると推測して選択し、次のステップＳＰ３０４へ移る。
【０２８３】
ステップＳＰ３０４において情報処理装置１００は、輪郭線推測生成回路１１４により、図４３に示すように輪郭抽出試行用動画像１２０を構成する複数の試行用フレーム画像ＴＦ１乃至ＴＦ７のうち試行用先頭フレーム画像ＴＦ１と試行用最後尾フレーム画像ＴＦ７とを除いた試行用フレーム画像（以下、これを特に試行用中間フレーム画像と呼ぶ）ＴＦ２乃至ＴＦ６の総数で順回りペア間距離ＯＤa2、ＯＤa3、……をそれぞれ除算することにより順番に対応付けた新規輪郭形成点ＮＳＴＰ２乃至ＮＳＴＰ２４及び試行最後尾入力輪郭形成点ＥｎＴＰ２乃至ＥｎＴＰ２４同士を結ぶ対応付け点間仮想線上で点形成間隔ＤＤa2、ＤＤa3、ＤＤa4、……を求める。
【０２８４】
そして情報処理装置１００は、輪郭線推測生成回路１１４により、各対応付け点間仮想線上でそれぞれ点形成間隔ＤＤa2、ＤＤa3、ＤＤa4、……毎に試行用中間フレーム画像ＴＦ２乃至ＴＦ６の総数に相当する数の試行推測輪郭形成点ＩＰa2乃至ＩＰe2、ＩＰa3乃至ＩＰe3、ＩＰa4乃至ＩＰe4、……を生成する。
【０２８５】
また情報処理装置１００は、起点ペアＳＰＰ１に対しても、新規輪郭形成点ＮＳＴＰ１及び試行最後尾入力輪郭形成点ＥｎＴＰ１間の起点ペア間距離ＯＤa1を試行用中間フレーム画像ＴＦ２乃至ＴＦ６の総数によって除算することにより新規輪郭形成点ＮＳＴＰ１及び試行最後尾入力輪郭形成点ＥｎＴＰ１同士を結ぶ起点間仮想線上で点形成間隔ＤＤa1を求め、当該起点間仮想線上で試行用中間フレーム画像ＴＦ２乃至ＴＦ６の総数に相当する数の試行推測輪郭形成点ＩＰa1乃至ＩＰe1を生成し、次のステップＳＰ３０５へ移る。
【０２８６】
ステップＳＰ３０５において情報処理装置１００は、輪郭線推測生成回路１１４により、起点間仮想線及び対応付け点間仮想線上の試行推測輪郭形成点ＩＰa1乃至ＩＰe1、ＩＰa2乃至ＩＰe2、……のうち新規輪郭形成点ＮＳＴＰ１乃至ＮＳＴＰ２４から同一の順番にある試行推測輪郭形成点ＩＰa1乃至ＩＰa24 、ＩＰb1乃至ＩＰb24 、ＩＰc1乃至ＩＰc24 、ＩＰd1乃至ＩＰd24 及びＩＰe1乃至ＩＰe24 間をそれぞれ補間することにより各試行用中間フレーム画像ＴＦ２乃至ＴＦ６に対する試行推測輪郭線ＩＴＬA1乃至ＩＴＬA5を生成する。
【０２８７】
そして情報処理装置１００は、輪郭線推測生成回路１１４により、各試行推測輪郭線ＩＴＬA1乃至ＩＴＬA5の重心（座標値）を算出する。
【０２８８】
ここで試行先頭入力輪郭線ＳｔＴＬの重心ＳｔＴＣは、試行用先頭フレーム画像ＴＦ１から試行用最後尾フレーム画像ＴＦ７までの間に重心移動距離Ｌ１（図４０（Ａ））だけ移動し、試行用最後尾フレーム画像ＴＦ７において試行最後尾入力輪郭線ＥｎＴＬの重心ＥｎＴＣの位置（座標値）に到達したと推測される。
【０２８９】
従って情報処理装置１００は、図４４に示すように、輪郭線推測生成回路１１４により、重心移動距離Ｌ１を試行用中間フレーム画像Ｆ２乃至Ｆ６の総数で除算することにより、試行先頭入力輪郭線ＳｔＴＬの重心ＳｔＴＣ及び試行最後尾入力輪郭線ＥｎＴＬの重心ＥｎＴＣ同士を結ぶ重心間仮想線上で当該試行先頭入力輪郭線ＳｔＴＬの重心ＳｔＴＣに対する試行用中間フレーム画像Ｆ２乃至Ｆ６での移動位置（すなわち重心間隔ＴＫ毎の位置であり、以下、これを推測重心位置と呼ぶ）ＴＯ１乃至ＴＯ５（座標値）を算出する。
【０２９０】
そして情報処理装置１００は、輪郭線推測生成回路１１４により、各試行推測輪郭線ＩＴＬA1乃至ＩＴＬA5をその順番を維持した状態で試行先頭入力輪郭線ＳｔＴＬの重心ＳｔＴＣから試行最後尾入力輪郭線ＥｎＴＬの重心ＥｎＴＣの方向へ移動させ、これら各試行推測輪郭線ＩＴＬA1乃至ＩＴＬA5の各重心をそれぞれ重心間仮想線上の推測重心位置ＴＯ１乃至ＴＯ５に順番に一致（すなわち試行推測輪郭線ＩＴＬA1の重心は重心推測位置ＴＯ１に一致）させることにより、これら各試行推測輪郭線ＩＴＬA1乃至ＩＴＬA5をそれぞれ試行用中間フレーム画像ＴＦ２乃至ＴＦ６に対応付ける。
【０２９１】
これに加えて情報処理装置１００は、輪郭線推測生成回路１１４により、試行推測輪郭線ＩＴＬA1乃至ＩＴＬA5を構成する複数の試行推測輪郭形成点ＩＰa1乃至ＩＰa24 、ＩＰb1乃至ＩＰb24 、……、ＩＰe1乃至ＩＰe24 （対応する試行用中間フレーム画像ＴＦ２乃至ＴＦ６中の座標で表す）の集合データでなる試行推測輪郭形成点群データを、試行先頭入力輪郭形成点群データＤ１０２及び試行最後尾入力輪郭形成点群データＤ１０３と共に、試行用オブジェクト輪郭抽出データＤ１０４として輪郭線記録回路１１５に送出して記録した後、推測輪郭線生成処理ルーチンＳＲＴ３００を終了して技量判定処理ルーチンＲＴ２００のステップＳＰ２０３（図３５）へ移る。
【０２９２】
このようにして情報処理装置１００は、輪郭抽出試行用動画像１２０を構成する複数の試行用フレーム画像ＴＦ１乃至ＴＦ７のうち試行用先頭フレーム画像ＴＦ１及び試行用最後尾フレーム画像ＴＦ７中の試行用オブジェクトＴＪ１及びＴＪ７の輪郭がなぞられて指定されることにより得られた試行先頭入力輪郭線ＳｔＴＬ及び試行最後尾入力輪郭線ＥｎＴＬから、各試行用中間フレーム画像ＴＦ２乃至ＴＦ６中のオブジェクトＴＪ２乃至ＴＪ６の輪郭を抽出するための試行推測輪郭線ＴＬA1乃至ＴＬA5を推測して生成し得るようになされている。
【０２９３】
ところで試行先頭入力輪郭形成点（新規輪郭形成点ＮＳＴＰ１乃至ＮＳＴＰ２４）及び試行最後尾入力輪郭形成点ＥｎＴＰ１乃至ＥｎＴＰ２４は、試行用オブジェクトＴＪ７をユーザがなぞった方向に沿って順番に生成される。
【０２９４】
このため新規輪郭形成点ＮＳＴＰ１乃至ＮＳＴＰ２４及び試行最後尾輪郭形成点ＥｎＴＰ１乃至ＥｎＴＰ２４において、これらを単にその生成の順番に従って対応付けると、試行先頭入力輪郭線ＳｔＴＬ及び試行最後尾入力輪郭線ＥｎＴＬの描画が互いに逆向き（すなわち試行用オブジェクトＴＪ１とＴＪ７とをなぞった方向が逆向き）の場合、これら試行先頭入力輪郭線ＳｔＴＬ及び試行最後尾入力輪郭線ＥｎＴＬの間の試行推測輪郭線ＴＬA1乃至ＴＬA5が一度反転するように（すなわち裏返しになるように）生成させる。
【０２９５】
しかしながら情報処理装置１００では、上述したように順回りペア間距離ＯＤa2乃至ＯＤa24 又は逆回りペア間距離ＲＤa2乃至ＲＤa24 の総和の小さい一方の対応付けを選択することにより、試行用オブジェクトＴＪ１及びＴＪ７のなぞられる方向にかかわらずに各新規輪郭形成点ＮＳＴＰ２乃至ＮＳＴＰ２４と試行最後尾輪郭形成点ＥｎＴＰ１乃至ＥｎＴＰ２４とをほぼ正しく対応付けて試行推測輪郭線ＩＴＬA1乃至ＩＴＬA5が反転することを防止して対応付けることができる。
【０２９６】
ステップＳＰ２０３において情報処理装置１００は、ユーザインターフェース回路１１２により、輪郭線記録回路１１５から試行用オブジェクト輪郭抽出データＤ１０４を読み出すと共に、動画像記録回路１１１から全ての試行用フレーム画像データＤ１００Ａを読み出し、当該試行用フレーム画像データＤ１００Ａを試行用オブジェクト輪郭抽出データＤ１０４と合成することにより試行抽出輪郭提示画像データを生成すると共に、その試行抽出輪郭提示画像データを輪郭抽出試行処理用画面データＤ１０１と合成して技量判定回路１１７及び情報提示部１０５へ送出する。
【０２９７】
これにより情報処理装置１００は、図４５に示すように、情報提示部１０５において輪郭抽出試行処理用画面内の画像表示領域に、試行用フレーム画像ＴＦ１乃至ＴＦ７にそれぞれ対応する試行先頭入力輪郭線ＳｔＴＬと試行最後尾入力輪郭線ＥｎＴＬと試行推測輪郭線ＴＬA1乃至ＴＬA5とを重ねて表示してユーザに目視させる。
【０２９８】
また情報処理装置１００は、技量判定回路１１７により、輪郭抽出試行処理用画面データＤ１０１に基づいて試行先頭入力輪郭線ＳｔＴＬ、試行推測輪郭線ＴＬA1乃至ＴＬA5及び試行最後尾入力輪郭線ＥｎＴＬとそれぞれ対応する試行用先頭フレーム画像ＴＦ１、試行用中間フレーム画像ＴＦ２乃至ＴＦ６及び試行用最後尾フレーム画像ＴＦ７中の計測基準輪郭線ＲＯＬ１乃至ＲＯＬ７との平均誤差量を算出し、次のステップＳＰ２０４へ移る。
【０２９９】
ここで例えば計測基準輪郭線ＲＯＬ１と試行先頭入力輪郭線ＳｔＴＬとの平均誤差量とは、当該計測基準輪郭線ＲＯＬ１の各箇所と試行先頭入力輪郭線ＳｔＴＬの対応する各箇所との誤差を平均化した数値であり、試行先頭入力輪郭線ＳｔＴＬがその一周に渡り計測基準輪郭線ＲＯＬ１に対して平均的にどの程度ずれているかを表すものである。
【０３００】
ステップＳＰ２０４において情報処理装置１００は、技量判定回路１１７により、試行用先頭フレーム画像ＴＦ１、試行用中間フレーム画像ＴＦ２乃至ＴＦ６及び試行用最後尾フレーム画像ＴＦ７の全てにおいて平均誤差量が所定の閾値以下に達したか否かを判断する。
【０３０１】
このステップＳＰ２０４において否定結果が得られると、このことは試行用先頭フレーム画像ＴＦ１、試行用中間フレーム画像ＴＦ２乃至ＴＦ６及び試行用最後尾フレーム画像ＴＦ７のうち少なくともいずれか一つにおいて平均誤差量が所定の閾値以下に達していないことを表しており、このとき情報処理装置１００は、続くステップＳＰ２０５へ移る。
【０３０２】
ステップＳＰ２０５において情報処理装置１００は、技量判定回路１１７により、入力輪郭要求データＤ１０５を生成し、これをユーザインターフェース回路１１２へ送出する。
【０３０３】
これにより情報処理装置１００は、ユーザインターフェース回路１１２により、輪郭抽出試行操作中のユーザに輪郭抽出試行処理用画面を介して、複数の試行用中間フレーム画像ＴＦ２乃至ＴＦ６のうち任意の試行用中間フレーム画像ＴＦ２乃至ＴＦ６で試行用オブジェクトＴＪ２乃至ＴＪ６の輪郭を指定するように要求する。
【０３０４】
そして情報処理装置１００は、ユーザインターフェース回路１１２により、動画像記録回路１１１から試行用中間フレーム画像データＤ１００Ａを読み出し、これを輪郭抽出試行処理用画面データＤ１０１と合成して情報提示部１０５に送出することにより、当該情報提示部１０５において輪郭抽出試行処理用画面の画像表示領域に試行用中間フレーム画像データＤ１００Ａに基づく試行用中間フレーム画像ＴＦ２乃至ＴＦ６を表示してユーザに目視させる。
【０３０５】
この状態で情報処理装置１００は、ユーザにより操作部を介して各試行用中間フレーム画像ＴＦ２乃至ＴＦ６のうち輪郭指定用に任意に選択された１枚の試行用中間フレーム画像ＴＦ２、……、又はＴＦ６中の試行用オブジェクトＴＪ２、……、又はＴＪ６をなぞらせて指定させる。
【０３０６】
この結果、情報処理装置１００は、ユーザにより選択された試行用中間フレーム画像ＴＦ４中の試行用オブジェクトＴＪ４が任意になぞられて指定されることにより追加の入力輪郭線（以下、これを試行追加入力輪郭線と呼ぶ）に相当する試行追加入力輪郭線信号Ｓ１０３が入力されると、これをユーザインターフェース回路１１２に取り込んで推測輪郭線生成処理ルーチンＳＲＴ３００へ戻る。
【０３０７】
この場合、情報処理装置１００は、試行用中間フレーム画像ＴＦ４中の試行用オブジェクトＴＪ４がなぞられて指定されると、この結果得られた追加入力輪郭線信号Ｓ１０３を変換回路１１３により所定のサンプリング間隔でサンプリングしてディジタルデータに変換することにより当該追加入力輪郭線信号Ｓ１０３に相当する複数の追加入力輪郭形成点を生成し、当該生成した複数の追加入力輪郭形成点の集合データを追加入力輪郭形成点群データＤ１０６として輪郭線推測生成回路１１４へ送出する。
【０３０８】
そして情報処理装置１００は、輪郭線推測生成回路１１４により、輪郭線記録回路１１５からこれに記録している試行用オブジェクト輪郭抽出データＤ１０４を読み出し、試行追加入力輪郭線と当該試行用オブジェクト輪郭抽出データＤ１０４に含まれる試行先頭入力輪郭線ＳｔＴＬ及び試行最後尾入力輪郭線ＥｎＴＬとを用いて上述した推測輪郭線生成処理を行う。
【０３０９】
これにより情報処理装置１００は、輪郭線推測生成回路１１４により、試行先頭入力輪郭線ＳｔＴＬ及び試行追加入力輪郭線から試行用先頭フレーム画像ＴＦ１及び試行用中間フレーム画像ＴＦ４間の試行用中間フレーム画像ＴＦ２及びＴＦ３中のオブジェクトＴＪ２及びＴＪ３の輪郭を抽出するための試行推測輪郭線ＴＬB1及びＴＬB2を新たに推測して生成する。
【０３１０】
また情報処理装置１００は、輪郭線推測生成回路１１４により、試行追加入力輪郭線及び試行最後尾入力輪郭線ＥｎＴＬから試行用中間フレーム画像ＴＦ４及び試行用最後尾フレーム画像ＴＦ７間の試行用中間フレーム画像ＴＦ５及びＴＦ６中のオブジェクトＴＪ５及びＴＪ６の輪郭を抽出するための試行推測輪郭線ＴＬB4及びＴＬB5を新たに推測して生成する。
【０３１１】
このようにして情報処理装置１００は、ステップＳＰ２０４において肯定結果が得られるまでの間は、新たに試行用中間フレーム画像ＴＦ２乃至ＴＦ６を選択させてオブジェクトＴＪ２乃至ＴＪ６の輪郭を指定させることにより試行追加入力輪郭線を得ると共に、当該試行追加入力輪郭線と、その前後の入力輪郭線（試行先頭入力輪郭線ＳｔＴＬ、試行最後尾入力輪郭線ＥｎＴＬ又は他の試行追加入力輪郭線）とから新たな試行推測輪郭線を推測し直して生成することにより平均誤差量を小さくし、かくして生成した新たな試行用オブジェクト輪郭抽出データＤ１０４を輪郭線記録回路１１５に記録して更新する。
【０３１２】
この際、情報処理装置１００は、新たな試行推測輪郭線を生成する毎にユーザインターフェース回路１１２により、輪郭線記録回路１１５から新たな試行用オブジェクト輪郭抽出データＤ１０４を読み出し、当該新たな試行用オブジェクト輪郭抽出データＤ１０４と試行用フレーム画像データＤ１００Ａとを合成して試行抽出輪郭提示画像データを生成すると共に、その試行抽出輪郭提示画像データを輪郭抽出試行処理用画面データＤ１０１と合成して技量判定回路１１７及び情報提示部１０５へ送出する。
【０３１３】
これにより情報処理装置１００は、情報提示部１０５において輪郭抽出試行処理用画面内の画像表示領域に、試行用フレーム画像ＴＦ１乃至ＴＦ７にそれぞれ対応する試行先頭入力輪郭線ＳｔＴＬと、試行最後尾入力輪郭線ＥｎＴＬと、新たに生成した試行推測輪郭線とを重ねて表示してユーザに目視させる。
【０３１４】
これに対してステップＳＰ２０４において肯定結果が得られると、このことは試行用先頭フレーム画像ＴＦ１、試行用中間フレーム画像ＴＦ２乃至ＴＦ６及び試行用最後尾フレーム画像ＴＦ７（すなわち全ての試行用フレーム画像ＴＦ１乃至ＴＦ７）においてそれぞれ平均誤差量が所定の閾値以下に達していることを表しており、このとき情報処理装置１００は、次のステップＳＰ２０６へ移る。
【０３１５】
ステップＳＰ２０６において情報処理装置１００は、技量判定回路１１７により、試行用先頭フレーム画像ＴＦ１、試行用中間フレーム画像ＴＦ２乃至ＴＦ６及び試行用最後尾フレーム画像ＴＦ７においてそれぞれ平均誤差量が閾値以下になるまでに試行用オブジェクトＴＪ１乃至ＴＪ７の輪郭がなぞられて指定された試行用フレーム画像（以下、これを入力フレーム画像と呼ぶ）の総数と、予め設定された所定のフレーム画像基準数とを比較する。
【０３１６】
ここで輪郭抽出試行操作の技量が低いユーザは、平均誤差量が所定の閾値以下に達するまでに何度も試行用先頭フレーム画像ＴＦ１、試行用中間フレーム画像ＴＦ２乃至ＴＦ６及び試行用最後尾フレーム画像ＴＦ７中の試行用オブジェクトＴＪ１乃至ＴＪ７の輪郭を指定するように要求されることから、入力フレーム画像の総数が多くなる傾向にある。
【０３１７】
一方、輪郭抽出試行操作の技量が高いユーザは、何度も試行用先頭フレーム画像ＴＦ１、試行用中間フレーム画像ＴＦ２乃至ＴＦ６及び試行用最後尾フレーム画像ＴＦ７中の試行用オブジェクトＴＪ１乃至ＴＪ７の輪郭を指定しなくても平均誤差量が所定の閾値以下に達することから、入力フレーム画像の総数が少なくなる傾向にある。
【０３１８】
従って情報処理装置１００は、入力フレーム画像の総数がフレーム画像基準数よりも少ない場合には、このとき輪郭抽出試行操作を行ったユーザの技量（すなわち評価値）が高いと判定し、これに対して入力フレーム画像の総数がフレーム画像基準数よりも多い場合には、このとき輪郭抽出試行操作を行ったユーザの技量（すなわち評価値）が低いと判定した後、その判定結果を入力フレーム画像の総数と共に技量データＤ１０７としてユーザインターフェース回路１１２に送出して技量判定処理ルーチンＳＲＴ２００を終了し、続くステップＳＰ１０２（図３４）に移る。
【０３１９】
ステップＳＰ１０２において情報処理装置１００は、ユーザインターフェース回路１１２により、技量判定処理の間、適宜表示内容を変更して表示した一連の輪郭抽出試行処理用画面をその技量判定処理（すなわちユーザによる輪郭抽出試行操作）に要した時間（以下、これを作業時間と呼ぶ）等の情報を共に、輪郭抽出経緯画面データ（以下、これを特に輪郭抽出試行経緯画面データと呼ぶ）とし、図４６に示すように、その輪郭抽出試行経緯画面データと、技量データＤ１０７と、輪郭抽出試行用動画像データＤ１００と、ユーザ情報Ｓ１００とからなる入力情報を入力情報データＤ１０８として処理傾向情報抽出部１０２に送出して次のステップＳＰ１０３へ移る。
【０３２０】
ステップＳＰ１０３において情報処理装置１００は、処理傾向情報抽出部１０２により、入力情報データＤ１０８に含まれる輪郭抽出試行用動画像データＤ１００に所定の画像処理を施すことにより、当該輪郭抽出試行用動画像データＤ１００から試行用フレーム画像データＤ１００Ａ個別の又は全ての試行用フレーム画像データＤ１００Ａにおける平均的な色成分ヒストグラム及びエッジ成分比率とからなる画像特徴情報を抽出する。
【０３２１】
また情報処理装置１００は、処理傾向情報抽出部１０２により、入力情報データＤ１０８に含まれる輪郭抽出試行経緯画面データに対して所定の画像処理を施すことにより、輪郭抽出試行操作に要した作業時間と、入力フレーム画像中の試行用オブジェクトＴＪ１乃至ＴＪ７の輪郭が指定されたときの輪郭描線時間と、試行用先頭フレーム画像ＴＦ１及び試行用最後尾フレーム画像ＴＦ７中の試行用オブジェクトＴＪ１及びＴＪ７を一度指定した後に、改めて入力フレーム画像中の試行用オブジェクトの指定を行った回数（以下、これを訂正回数と呼ぶ）と、入力フレーム画像を決定するために前後の試行用フレーム画像ＴＦ１乃至ＴＦ７をモニタに何回表示したかを表す表示回数とを輪郭抽出経緯情報として抽出する。
【０３２２】
このようにして情報処理装置１００は、処理傾向情報抽出部１０２により、図４７に示すように、入力情報から抽出した画像特徴情報と輪郭抽出経緯情報とをユーザによりどのような輪郭抽出試行用動画像１２０からどのように試行用オブジェクトＴＪ１乃至ＴＪ７の輪郭が抽出されたかを示す処理傾向情報とする。
【０３２３】
そして情報処理装置１００は、処理傾向情報抽出部１０２により、入力情報から抽出した処理傾向情報を処理傾向情報データとし、当該処理傾向情報データ及び入力情報データＤ１０８を対応付けて、これを蓄積情報データＤ１０９として情報蓄積部１０３に送出した後、次のステップＳＰ１０４へ移る。
【０３２４】
これによりステップＳＰ１０４において情報処理装置１００は、情報蓄積部１０３により、図４８に示すように、複数のユーザの蓄積情報データＤ１０９をこれに入力情報の技量データＤ１０７として含まれる入力フレーム画像の総数が少ない順に並べて、フレーム画像基準数Ｂｏｒ１を基に技量の高いユーザの蓄積情報データＤ１０９と、技量の低いユーザの蓄積情報データＤ１０９とを区分した状態で記憶してデータベース化し、続くステップＳＰ１０５へ移って輪郭抽出試行処理手順ＲＴ１００を終了する。
【０３２５】
このようにして情報処理装置１００は、実際に抽出対象のオブジェクトを含むオブジェクト抽出用動画像に対して輪郭抽出操作が行われる前に輪郭抽出試行操作の結果を基にユーザの輪郭抽出操作に対する技量や輪郭抽出傾向（すなわち処理傾向情報で表される傾向）を推測し、これを蓄積情報データＤ１０９として情報蓄積部１０３に記憶する。
【０３２６】
因みに情報処理装置１００では、一度輪郭抽出試行操作を行ったユーザであっても所定期間以上、抽出対象のオブジェクトに対して輪郭抽出操作を行わなければ、再度輪郭抽出試行操作を行わせてユーザの輪郭抽出操作に対する技量及び輪郭抽出傾向の推測結果を更新し、これによりユーザの技量を常時適確に把握し得るようになされている。
【０３２７】
次いで情報処理装置１００は、輪郭抽出試行操作を行った啓発対象ユーザによりオブジェクト抽出用動画像に対して輪郭抽出操作が行われる際、当該啓発対象ユーザに他のユーザが輪郭抽出操作を行ったときの一連の輪郭抽出処理用画面を提示する。
【０３２８】
この場合、情報処理装置１００は、輪郭生成部１０１、処理傾向情報抽出部１０２、情報蓄積部１０３、提示情報選択部１０４及び情報提示部１０５において情報提示処理を実行するための各種処理を所定の情報提示プログラムに従ってソフトウェア的に実現する。
【０３２９】
すなわち情報処理装置１００は、図４９に示すように、情報提示処理プログラムに従って情報提示処理手順ＲＴ１０１の開始ステップから入り、続くステップＳＰ１１０へ移って情報提示モードへ移行する。
【０３３０】
ステップＳＰ１１０において情報処理装置１００は、外部から供給されたオブジェクト抽出用動画像データＤ２００を輪郭生成部１０１の動画像入力回路１１０に取り込み、当該オブジェクト抽出用動画像データＤ２００を構成するフレーム画像データ（以下、これを輪郭抽出用フレーム画像データと呼ぶ）Ｄ２００Ａ単位で動画像記録回路１１１に記録する。
【０３３１】
ここでオブジェクト抽出用動画像データＤ２００に基づくオブジェクト抽出用動画像２００は、図５０に示すように、時間的に連続して抽出対象のオブジェクトＯＪ１乃至ＯＪｎを含む複数の輪郭抽出用フレーム画像ＯＦ１乃至ＯＦｎから構成されており、当該輪郭抽出用フレーム画像ＯＦ１乃至ＯＦｎ中のオブジェクトＯＪ１乃至ＯＪｎが時間の経過に従ってその形状を次第に変化させながら移動する。
【０３３２】
そして情報処理装置１００は、ユーザインターフェース回路１１２により、動画像記録回路１１１からオブジェクト抽出用動画像データＤ２００を構成する複数の輪郭抽出用フレーム画像データＤ２００Ａを順次読み出して情報提示部１０５に送出することにより当該情報提示部１０５に設けられたモニタに時間的に連続する輪郭抽出用フレーム画像ＯＦ１乃至ＯＦｎでなるオブジェクト抽出用動画像２００を表示して啓発対象ユーザに目視させることにより当該オブジェクト抽出用動画像２００の内容及び抽出対象のオブジェクトＯＪ１乃至ＯＪｎの輪郭を確認させて、続くステップＳＰ１１１へ移る。
【０３３３】
ステップＳＰ１１１において情報処理装置１００は、啓発対象ユーザにより操作部（図示せず）を介して入力されたユーザ名及びユーザＩＤとからなるユーザ情報Ｓ１００を輪郭生成部１０１のユーザインターフェース回路１１２に取り込み、これを処理傾向情報抽出部１０２を介して提示情報選択部１０４に送出して続くステップＳＰ１１２へ移る。
【０３３４】
ステップＳＰ１１２において情報処理装置１００は、提示情報選択部１０４により、情報蓄積部１０３からユーザ情報Ｓ１００（ユーザ名及びユーザＩＤ）に基づいて啓発対象ユーザの蓄積情報データＤ１０９を読み出し、次のステップＳＰ１１３へ移る。
【０３３５】
ステップＳＰ１１３において情報処理装置１００は、提示情報選択部１０４により、啓発対象ユーザの蓄積情報データＤ１０９に処理傾向情報データとして含まれる輪郭抽出経緯情報（以下、これを比較用基準抽出経緯情報と呼ぶ）と、情報蓄積部１０３に記憶した啓発対象ユーザの蓄積情報データＤ１０９を除いたすでに蓄積している他の全ての蓄積情報データ（以下、これを過去蓄積情報データと呼ぶ）Ｄ１０９に処理傾向情報データ（以下、これを過去処理傾向情報データと呼ぶ）として含まれる輪郭抽出経緯情報（以下、これを過去抽出経緯情報と呼ぶ）とを比較する。
【０３３６】
実際上、情報処理装置１００は、提示情報選択部１０４により、比較用基準抽出経緯情報に含まれる作業時間（以下、これを比較用基準作業時間と呼ぶ）、輪郭描線時間（以下、これを比較用基準描線時間と呼ぶ）、訂正回数（以下、これを比較用基準訂正回数と呼ぶ）及び表示回数（以下、これを比較用基準表示回数と呼ぶ）と、過去抽出経緯情報に含まれる作業時間（以下、これを過去作業時間と呼ぶ）、輪郭描線時間（以下、これを過去描線時間と呼ぶ）、訂正回数（以下、これを過去訂正回数と呼ぶ）及び表示回数（以下、これを過去表示回数と呼ぶ）とを比較する。
【０３３７】
この状態で情報処理装置１００は、提示情報選択部１０４により、過去蓄積情報データＤ１０９の中から比較用基準作業時間の値を中心とした所定の作業時間閾値範囲内の値を示す過去作業時間と、比較用基準描線時間の値を中心とした所定の描線時間閾値範囲内の値を示す過去描線時間と、比較用基準訂正回数の値を中心とした所定の訂正回数閾値範囲内の値を示す過去訂正回数と、比較用基準表示回数の値を中心とした所定の表示回数閾値範囲内の値を示す過去表示回数とを過去抽出経緯情報として含む過去蓄積情報データＤ１０９を選択することにより、選択対象の過去蓄積情報データＤ１０９の数を啓発対象ユーザと輪郭抽出手法の類似する輪郭抽出手法のユーザの過去蓄積情報データＤ１０９に限定して続くステップＳＰ１１４へ移る。
【０３３８】
ステップＳＰ１１４において情報処理装置１００は、提示情報選択部１０４により、啓発対象ユーザの蓄積情報データＤ１０９に含まれる技量データＤ１０７に基づいて当該啓発対象ユーザの技量（フレーム画像基準数Ｂｏｒ１を基準として判断した技量）が低いか否かを判断する。
【０３３９】
このステップＳＰ１１４において肯定結果が得られると、このことは図５１に示すように、輪郭抽出試行操作の結果により啓発対象ユーザＹ１を輪郭抽出操作に対して技量の低いユーザであると判定していることを表しており、このとき情報処理装置１００は、次のステップＳＰ１１５へ移る。
【０３４０】
ステップＳＰ１１５において情報処理装置１００は、提示情報選択部１０４により、ステップＳＰ１１３で選択した過去蓄積情報データＤ１０９の中から技量判定処理によって最も技量が高いと判定したユーザＹ２の過去蓄積情報データＤ１０９を最終的に選択する。
【０３４１】
これにより情報処理装置１００は、提示情報選択部１０４により情報蓄積部１０３から最終的に選択した最も技量の高いユーザＹ２の過去蓄積情報データＤ１０９にユーザ情報Ｓ１００として含まれるユーザＩＤに基づいて、その最も技量の高いユーザＹ２により過去に行われたオブジェクト抽出用動画像２００に対する輪郭抽出操作の際の一連の輪郭抽出処理用画面データからなる輪郭抽出経緯画面データＤ１１１と、当該最も技量の高いユーザＹ２の過去蓄積情報データＤ１０９に技量データＤ１０７として含まれる技量の情報とを提示情報データＤ１１０として読み出し、当該読み出した提示情報データＤ１１０を情報提示部１０５へ送出して続くステップＳＰ１１６へ移る。
【０３４２】
ここで輪郭抽出経緯画面データＤ１１１に基づく一連の輪郭抽出処理用画面は、過去にユーザによって輪郭抽出操作が行われた際に情報提示部１０５のモニタに表示され、当該輪郭抽出操作に応じたオブジェクト抽出用動画像２００の輪郭抽出用フレーム画像ＯＦ１乃至ＯＦｎの表示の仕方や、抽出対象のオブジェクトＯＪ１乃至ＯＪｎの指定の仕方等のように、抽出対象のオブジェクトＯＪ１乃至ＯＪｎの輪郭の抽出に対する一連の経緯を表している。
【０３４３】
ステップＳＰ１１６において情報処理装置１００は、情報提示部１０５により、提示情報データＤ１１０に基づいて最も技量の高いユーザＹ２の輪郭抽出経緯画面データＤ１１１に基づく一連の輪郭抽出処理用画面と、当該ユーザＹ２の技量の情報とを情報提示部１０５に設けられたモニタ及びスピーカ（図示せず）を介して出力して啓発対象ユーザに提示し、続くステップＳＰ１１８に移って情報提示処理手順ＲＴ１０１を終了する。
【０３４４】
これに対してステップＳＰ１１４において否定結果が得られると、このことは図５１に示すように、輪郭抽出試行操作の結果により啓発対象ユーザＹ３を技量の高いユーザであると判定していることを表しており、このとき情報処理装置１００は、ステップＳＰ１１７へ移る。
【０３４５】
ステップＳＰ１１７において情報処理装置１００は、ステップＳＰ１１３で選択した過去蓄積情報データＤ１０９の中から技量判定処理によって最も技量が低いと判定したユーザＹ４の過去蓄積情報データＤ１０９を最終的に選択する。
【０３４６】
これにより情報処理装置１００は、提示情報選択部１０４により情報蓄積部１０３から、最終的に選択した最も技量の低いユーザＹ４の過去蓄積情報データＤ１０９にユーザ情報Ｓ１００として含まれるユーザＩＤに基づいて、その最も技量の低いユーザＹ４により過去に行われたオブジェクト抽出用動画像２００に対する輪郭抽出操作の際の一連の輪郭抽出処理用画面データからなる輪郭抽出経緯画面データＤ１１１と、当該最も技量の低いユーザＹ４の過去蓄積情報データＤ１０９に技量データＤ１０７として含まれる技量の情報とを提示情報データＤ１１０として読み出し、当該読み出した提示情報データＤ１１０を情報提示部１０５へ送出してステップＳＰ１１６へ移る。
【０３４７】
この場合ステップＳＰ１１６において情報処理装置１００は、情報提示部１０５により、提示情報データＤ１１０に基づいて最も技量の低いユーザＹ４の輪郭抽出経緯画面データＤ１１１に基づく一連の輪郭抽出処理用画面とそのユーザＹ４の技量の情報とをモニタ及びスピーカを介して出力して啓発対象ユーザに提示した後、ステップＳＰ１１８に移り情報提示処理手順ＲＴ１０１を終了する。
【０３４８】
このようにして情報処理装置１００は、図５２に示すように、技量の低い啓発対象ユーザＹ１に対して、当該啓発対象ユーザＹ１の輪郭抽出手法と類似する輪郭抽出手法の複数のユーザのうち最も技量の高いユーザＹ２の輪郭抽出経緯画面データＤ１１１に基づく一連の輪郭抽出処理用画面を提示情報として提示することにより、当該最も技量の高いユーザＹ２の輪郭抽出手法（すなわち輪郭抽出操作の経緯）を基に啓発対象ユーザに対して自分の輪郭抽出操作における注意すべき点や、より良くするために真似るべき点等を気付かせて当該輪郭抽出操作の向上を促すようになされている。
【０３４９】
これに対して情報処理装置１００は、技量の高い啓発対象ユーザＹ３に対して、当該啓発対象ユーザＹ３の輪郭抽出手法と類似する輪郭抽出手法の複数のユーザのうち最も技量の低いユーザＹ４の輪郭抽出経緯画面データＤ１１１に基づく一連の輪郭抽出処理用画面を提示情報として提示することにより、当該最も技量の低いユーザＹ４の輪郭抽出手法（すなわち輪郭抽出操作の経緯）を基に反面教師的に啓発対象ユーザＹ３に対してその輪郭抽出手法と類似する、最も技量の低いユーザＹ４の輪郭抽出手法を誤って真似ることを防止して当該輪郭抽出操作の向上を促すようになされている。
【０３５０】
そして情報処理装置１００は、啓発対象ユーザに対するこのような提示情報の提示の際に事前にオブジェクト抽出用動画像２００を啓発対象ユーザに提示していることにより、オブジェクト抽出用動画像２００の内容と、他のユーザの輪郭抽出手法とを照らし合わさせることができ、かくして啓発対象ユーザに対して輪郭抽出操作の向上をさらに適確に促すことができるようになされている。
【０３５１】
続いて情報処理装置１００は、啓発対象ユーザに提示情報を提示した後、当該啓発対象ユーザによって行われるオブジェクト抽出用動画像２００に対する輪郭抽出操作に応じて輪郭抽出処理を実行する。
【０３５２】
この際、情報処理装置１００は、輪郭生成部１０１、処理傾向情報抽出部１０２、情報蓄積部１０３、提示情報選択部１０４及び情報提示部１０５において輪郭抽出処理を実行するための各種処理を所定の輪郭抽出処理プログラムに従ってソフトフェア的に実現する。
【０３５３】
すなわち情報処理装置１００は、図５３に示すように、輪郭抽出処理プログラムに従って輪郭抽出処理手順ＲＴ１０２の開始ステップから入り、続くステップＳＰ１３０へ移って情報提示モードから輪郭抽出処理モードへ移行する。
【０３５４】
ステップＳＰ１３０において情報処理装置１００は、ユーザインターフェース回路１１２から輪郭抽出処理用画面データＤ１２０を情報提示部１０５（図３２）に送出することにより当該情報提示部１０５に設けられたモニタに輪郭抽出処理用画面データＤ１２０に基づいて、オブジェクト抽出用動画像２００の画像表示領域等を有する輪郭抽出処理用画面（図示せず）を表示する。
【０３５５】
また情報処理装置１００は、ユーザによって操作部を介して入力された先頭の試行用フレーム画像データ（以下、これを特に輪郭抽出用先頭フレーム画像データと呼ぶ）Ｄ２００Ａの要求に応じて、ユーザインターフェース回路１１２により、動画像記録回路１１１からオブジェクト抽出用動画像データＤ２００を構成する複数の輪郭抽出用フレーム画像データＤ２００Ａのうち輪郭抽出用先頭フレーム画像データＤ２００Ａを選択して読み出し、当該輪郭抽出用先頭フレーム画像データＤ２００Ａを輪郭抽出処理用画面データＤ１２０と合成して情報提示部１０５に送出する。
【０３５６】
これにより情報処理装置１００は、情報提示部１０５において輪郭抽出処理用画面内の画像表示領域に輪郭抽出用先頭フレーム画像データＤ２００Ａに基づく輪郭抽出用先頭フレーム画像ＯＦ１を表示し、かくして輪郭抽出用先頭フレーム画像ＯＦ１中のオブジェクトＯＪ１の形状をユーザに目視させる。
【０３５７】
この状態で情報処理装置１００は、図５４に示すように、啓発対象ユーザによりマウス等の操作部を介して輪郭抽出処理用画面上で輪郭抽出用先頭フレーム画像ＯＦ１中のオブジェクトＯＪ１の輪郭が任意になぞられて指定されると、この結果得られた入力輪郭線（以下、これを特に先頭入力輪郭線と呼ぶ）に相当する先頭入力輪郭線信号Ｓ１１０をユーザインターフェース回路１１２に取り込んで変換回路１１３へ送出する。
【０３５８】
情報処理装置１００は、変換回路１１３により、先頭入力輪郭線信号Ｓ１１０を所定のサンプリング間隔でサンプリングしてディジタルデータに変換することにより、当該先頭入力輪郭線信号Ｓ１１０に相当する複数の先頭入力輪郭形成点を生成し、当該生成した複数の先頭入力輪郭形成点の集合データを先頭入力輪郭形成点群データＤ１２１として輪郭線推測生成回路１１４に送出し、続くステップＳＰ１３１へ移る。
【０３５９】
ステップＳＰ１３１において情報処理装置１００は、ユーザによって操作部を介して入力された最後尾の輪郭抽出用フレーム画像データ（以下、これを特に輪郭抽出用最後尾フレーム画像データと呼ぶ）Ｄ２００Ａの要求に応じて、ユーザインターフェース回路１１２により、動画像記録回路１１１からオブジェクト抽出用動画像データＤ２００を構成する複数の輪郭抽出用フレーム画像データＤ２００Ａのうち輪郭抽出用最後尾フレーム画像データＤ２００Ａを選択して読み出し、当該輪郭抽出用最後尾フレーム画像データＤ２００Ａを輪郭抽出処理用画面データＤ１２０と合成して情報提示部１０５に送出する。
【０３６０】
これにより情報処理装置１００は、情報提示部１０５において輪郭抽出処理用画面内の画像表示領域に輪郭抽出用最後尾フレーム画像データＤ２００Ａに基づく輪郭抽出用最後尾フレーム画像ＯＦｎを表示し、かくして輪郭抽出用最後尾フレーム画像ＯＦｎ中のオブジェクトＯＪｎの形状をユーザに目視させる。
【０３６１】
この状態で情報処理装置１００は、啓発対象ユーザによりマウス等の操作部を介して輪郭抽出処理用画面上で輪郭抽出用最後尾フレーム画像ＯＦｎ中のオブジェクトＯＪｎの輪郭が任意になぞられて指定されると、この結果得られた入力輪郭線（以下、これを特に最後尾入力輪郭線と呼ぶ）に相当する最後尾入力輪郭線信号Ｓ１１１をユーザインターフェース回路１１２に取り込んで変換回路１１３に送出する。
【０３６２】
そして情報処理装置１００は、変換回路１１３により、最後尾入力輪郭線信号Ｓ１１１を所定のサンプリング間隔でサンプリングしてディジタルデータに変換することにより、当該最後尾入力輪郭線信号Ｓ１１１に相当する複数の最後尾入力輪郭形成点を生成し、当該生成した複数の最後尾入力輪郭形成点の集合データを最後尾入力輪郭形成点群データＤ１２２として輪郭線推測生成回路１１４に送出し、続くステップＳＰ１３２へ移る。
【０３６３】
ステップＳＰ１３２において情報処理装置１００は、輪郭生成部１０１により、図３７について上述した推測輪郭線生成処理ルーチンＳＲＴ３００と同様の処理を実行することにより、先頭入力輪郭線ＳｔＯＬ及び最後尾入力輪郭線ＥｎＯＬから、輪郭抽出用先頭フレーム画像ＯＦ１及び輪郭抽出用最後尾フレーム画像ＯＦｎ間の全ての輪郭抽出用フレーム画像（以下、これを輪郭抽出用中間フレーム画像と呼ぶ）ＯＦ２乃至ＯＦｎ−１中のオブジェクトＯＪ２乃至ＯＪｎ−１の輪郭を抽出するための推測輪郭線を推測して生成する。因みに推測輪郭線は輪郭生成部１０１により、以下のように生成される。
【０３６４】
すなわち輪郭生成部１０１は、輪郭線推測生成回路１１４により、先頭入力輪郭線ＳｔＯＬを構成する複数の先頭入力輪郭形成点の総数（以下、これを先頭形成点数と呼ぶ）と、最後尾入力輪郭線ＥｎＯＬを構成する複数の最後尾入力輪郭形成点の総数（以下、これを最後尾形成点数と呼ぶ）とを比較し、数の少ない例えば先頭入力輪郭形成点で構成される先頭入力輪郭線ＳｔＯＬにおいて、互いに隣接する各先頭入力輪郭形成点間の距離から当該先頭入力輪郭線ＳｔＯＬの全長を算出する。
【０３６５】
そして輪郭生成部１０１は、輪郭線推測生成回路１１４により、その算出した全長を数の多い最後尾形成点数で除算することにより、先頭入力輪郭線ＳｔＯＬ上でこれを構成する複数の新たな新規輪郭形成点を生成するための生成間隔を求め、当該生成間隔毎に順次新規輪郭形成点を生成することにより、先頭入力輪郭線ＳｔＯＬを構成する新規輪郭形成点の総数を最後尾形成点数に合わせる。
【０３６６】
次いで輪郭生成部１０１は、輪郭線推測生成回路１１４により、先頭入力輪郭線ＳｔＯＬの重心ＳｔＯＣ（座標値）と最後尾入力輪郭線ＥｎＯＬの重心ＥｎＯＣ（座標値）とを算出し、図５５（Ａ）及び（Ｂ）に示すように、互いの重心ＳｔＯＣ及びＥｎＯＣ同士を一致させて先頭入力輪郭線ＳｔＯＬと最後尾入力輪郭線ＥｎＯＬとを重ね合わせる。
【０３６７】
この状態で輪郭生成部１０１は、図５６に示すように、輪郭線推測生成回路１１４により、各新規輪郭形成点ＮＳＯＰ１乃至ＮＳＯＰｎと、これらに対してそれぞれ最短距離の関係にある最後尾入力輪郭形成点ＥｎＯＰ１乃至ＥｎＯＰｎとの間の輪郭線間距離Ｄb1、Ｄb2、Ｄb3、……、Ｄbnを算出し、当該算出した輪郭線間距離Ｄb1、Ｄb2、Ｄb3、……、Ｄbnのうち最も短い輪郭線間距離（ここでは輪郭線間距離Ｄb1）の関係にある最後尾入力輪郭形成点ＥｎＯＰ１と新規輪郭形成点ＮＳＯＰ１とを起点ペアＳＰＰ２と決定する。
【０３６８】
続いて輪郭生成部１０１は、輪郭線推測生成回路１１４により、図５７（Ａ）に示すように、起点ペアＳＰＰ２を起点とし、先頭入力輪郭線ＳｔＯＬにおいて例えば矢印ＡｒｗＳ２に示す反時計回り方向である基準方向の新規輪郭形成点ＮＳＯＰ１乃至ＮＳＯＰｎに、最後尾入力輪郭線ＥｎＯＬにおいて矢印ＡｒｗＯ２に示す反時計回り方向である順回り方向の最後尾入力輪郭形成点ＥｎＯＰ１乃至ＥｎＯＰｎをそれぞれ順番に対応付けることにより、これら対応付けた新規輪郭形成点ＮＳＯＰ２及び最後尾入力輪郭形成点ＥｎＯＰ２間、新規輪郭形成点ＮＳＯＰ３及び最後尾入力輪郭形成点ＥｎＯＰ３間、……の順回りペア間距離ＯＤb2乃至ＯＤbnを算出する。
【０３６９】
また情報処理装置１００は、輪郭線推測生成回路１１４により、図５７（Ｂ）に示すように、起点ペアＳＰＰ２を起点として、先頭入力輪郭線ＳｔＯＬにおいて基準方向の新規輪郭形成点ＮＳＯＰ１乃至ＮＳＯＰｎに、最後尾入力輪郭線ＥｎＯＬにおいて矢印ＡｒｗＳ２に示す時計回り方向である逆回り方向の最後尾入力輪郭形成点ＥｎＯＰ１乃至ＥｎＯＰｎをそれぞれ順番に対応付けることにより、これら対応付けた新規輪郭形成点ＮＳＯＰ２及び最後尾入力輪郭形成点ＥｎＯＰｎ間、新規輪郭形成点ＮＳＯＰ３及び最後尾入力輪郭形成点ＥｎＯＰｎ−１間、……の逆回りペア間距離ＲＤb2乃至ＲＤbnを算出する。
【０３７０】
次いで輪郭生成部１０１は、輪郭線推測生成回路１１４により、順回りペア間距離ＯＤb2乃至ＯＤbnの総和と逆回りペア間距離ＲＤb2乃至ＲＤbnの総和とを算出した後、当該算出した総和同士を比較することにより総和の小さい一方の対応付け（例えば基準方向と順回り方向との対応付け）を選択する。
【０３７１】
そして輪郭生成部１０１は、輪郭線推測生成回路１１４により、図５８に示すように、起点ペア間距離ＯＤb1、順回りペア間距離ＯＤb2、ＯＤb3、……をそれぞれ輪郭抽出用中間フレーム画像ＯＦ２乃至ＯＦｎ−１の総数で除算することにより起点ペアである新規輪郭形成点ＮＳＯＰ１及び最後尾入力輪郭形成点ＥｎＯＰ１同士を結ぶ起点間仮想線上と、順番に対応付けた新規輪郭形成点ＮＳＯＰ２乃至ＮＳＯＰｎ及び最後尾入力輪郭形成点ＥｎＯＰ２乃至ＥｎＯＰｎ同士を結ぶ対応付け点間仮想線上とでそれぞれ点形成間隔ＤＤb1、ＤＤb2、ＤＤb3、……を求め、当該起点間仮想線上及び各対応付け点間仮想線上で点形成間隔ＤＤb1、ＤＤb2、ＤＤb3、……毎に推測輪郭形成点ＯＩＰa1乃至ＯＩＰn1、ＯＩＰa2乃至ＯＩＰn2、ＯＩＰa3乃至ＯＩＰn3、……を生成する。
【０３７２】
輪郭生成部１０１は、輪郭線推測生成回路１１４により、起点間仮想線上及び各対応付け点間仮想線上の推測輪郭形成点ＯＩＰa1乃至ＯＩＰn1、ＯＩＰa2乃至ＯＩＰn2、ＯＩＰa3乃至ＯＩＰn3、……のうち新規輪郭形成点ＮＳＯＰ１乃至ＮＳＯＰｎから同一の順番にある推測輪郭形成点ＯＩＰa1乃至ＯＩＰan間、ＯＩＰb1乃至ＯＩＰbn間、ＯＩＰc1乃至ＯＩＰcn間、……をそれぞれ補間することにより、各輪郭抽出用中間フレーム画像ＯＦ２乃至ＯＦｎ−１に対する推測輪郭線ＯＬA1乃至ＯＬAn-2を生成する。
【０３７３】
そして輪郭生成部１０１は、輪郭線推測生成回路１１４により、各推測輪郭線ＯＬA1乃至ＯＬAn-2の重心（座標値）を算出する。
【０３７４】
また輪郭生成部１０１は、輪郭線推測生成回路１１４により、先頭入力輪郭線ＳｔＯＬの重心ＳｔＯＣと最後尾入力輪郭線ＥｎＯＬの重心ＥｎＯＣとの間の重心移動距離Ｌ２（図５５）を輪郭抽出用中間フレーム画像ＯＦ２乃至ＯＦｎ−１の総数で除算することにより、これら互いの重心ＳｔＯＣ及びＥｎＯＣ同士を結ぶ重心間仮想線上で当該先頭入力輪郭線ＳｔＯＬの重心ＳｔＯＣに対する輪郭抽出用中間フレーム画像ＯＦ２乃至ＯＦｎ−１での移動位置（すなわち推測重心位置）を算出する。
【０３７５】
そして輪郭生成部１０１は、輪郭線推測生成回路１１４により、各推測輪郭線ＯＬA1乃至ＯＬAn-2を、その順番を維持した状態で先頭入力輪郭線ＳｔＯＬの重心ＳｔＯＣから最後尾入力輪郭線ＥｎＯＬの重心ＥｎＯＣの方向に移動させ、これら推測輪郭線ＯＬA1乃至ＯＬAn-2の各重心をそれぞれ重心間仮想線上の推測重心位置に順番に一致させることにより、これら各推測輪郭線ＯＬA1乃至ＯＬAn-2をそれぞれ輪郭抽出用中間フレーム画像ＯＦ２乃至ＯＦｎ−１に対応付ける。
【０３７６】
このようにして情報処理装置１００は、輪郭抽出用先頭フレーム画像ＯＦ１及び輪郭抽出用最後尾フレーム画像ＯＦｎ中のオブジェクトＯＪ１及びＯＪｎの輪郭がなぞられて指定されることにより得られた先頭入力輪郭線ＳｔＯＬと最後尾入力輪郭線ＥｎＯＬから各輪郭抽出中間フレーム画像Ｆ２乃至Ｆｎ−１中のオブジェクトＯＪ２乃至ＯＪｎ−１を抽出するための推測輪郭線ＯＬA1乃至ＯＬAn-2を推測して生成する。
【０３７７】
そして情報処理装置１００は、輪郭線推測生成回路１１４により、推測輪郭線ＯＬA1乃至ＯＬAn-2を構成する複数の推測輪郭形成点ＯＩＰa1乃至ＯＩＰan、ＯＩＰb1乃至ＯＩＰbn、ＯＩＰc1乃至ＯＩＰcn、……（対応する輪郭抽出用中間フレーム画像ＯＦ２乃至ＯＦｎ−１中の座標で表す）の集合データでなる推測輪郭形成点群データを、先頭入力輪郭形成点群データＤ１２１及び最後尾入力輪郭形成点群データＤ１２２と共に、オブジェクト輪郭抽出データＤ１２３として輪郭線記録回路１１５に送出して記録し、続くステップＳＰ１３３へ移る。
【０３７８】
ステップＳＰ１３３において情報処理装置１００は、ユーザインターフェース回路１１２により、輪郭線記録回路１１５からオブジェクト輪郭抽出データＤ１２３を読み出すと共に、動画像記録回路１１１から全ての輪郭抽出用フレーム画像データＤ２００Ａを読み出し、当該輪郭抽出用フレーム画像データＤ２００Ａをオブジェクト輪郭抽出データＤ１２３と合成することにより抽出輪郭提示画像データを生成すると共に、その抽出輪郭提示画像データを輪郭抽出処理用画面データＤ１２０と合成して情報提示部１０５へ送出する。
【０３７９】
これにより情報処理装置１００は、図５９に示すように、情報提示部１０５において輪郭抽出処理用画面内の画像表示領域に、輪郭抽出用フレーム画像ＯＦ１乃至ＯＦｎにそれぞれ対応する先頭入力輪郭線ＳｔＯＬ、推測輪郭線ＯＬA1乃至ＯＬAn-2及び最後尾入力輪郭線ＥｎＯＬを重ねて表示して啓発対象ユーザに目視させ、続くステップＳＰ１３４に移る。
【０３８０】
ステップＳＰ１３４において情報処理装置１００は、ユーザインターフェース回路１１２により、啓発対象ユーザによって輪郭抽出処理を終了する処理終了命令が入力されたか否かを判断する。
【０３８１】
このステップＳＰ１３４において否定結果が得られると、このことは輪郭抽出処理用画面を介して推測輪郭線ＯＬA1乃至ＯＬAn-2を目視確認した啓発対象ユーザによって処理終了命令が入力されていないこと、すなわち輪郭抽出用中間フレーム画像ＯＦ２乃至ＯＦｎ−１中のオブジェクトＯＪ２乃至ＯＪｎ−１の輪郭が啓発対象ユーザの納得のできる精度で抽出されておらず、引き続き輪郭抽出操作が行われることを表しており、このとき情報処理装置１００は、続くステップＳＰ１３５へ移る。
【０３８２】
ステップＳＰ１３５において情報処理装置１００は、ユーザインターフェース回路１１２により、啓発対象ユーザによって入力された輪郭指定用に輪郭抽出中間フレーム画像ＯＦ２乃至ＯＦｎ−１の提示を要求する提示命令に応じて、動画像記録回路１１１から輪郭抽出用中間フレーム画像ＯＦ２乃至ＯＦｎ−１に相当する輪郭抽出用フレーム画像データＤ２００Ａを読み出し、これを輪郭抽出処理用画面データＤ１２０に合成して情報提示部１０５に送出することにより、情報提示部１０５において輪郭抽出処理用画面内の画像表示領域に輪郭抽出用中間フレーム画像ＯＦ２乃至ＯＦｎ−１を表示して啓発対象ユーザに目視させる。
【０３８３】
このようにして情報処理装置１００は、啓発対象ユーザに対して複数の輪郭抽出用中間フレーム画像ＯＦ２乃至ＯＦｎ−１を視覚的に比較させながら新たにオブジェクトＯＪ２乃至ＯＪｎ−１の輪郭を指定する輪郭抽出用中間フレーム画像ＯＦ２乃至ＯＦｎ−１を選択させる。
【０３８４】
この結果、情報処理装置１００は、図６０に示すように、啓発対象ユーザにより例えば輪郭抽出用中間フレーム画像ＯＦ１２が選択され、その輪郭抽出用中間フレーム画像ＯＦ１２中のオブジェクトＯＪ１２の輪郭が任意になぞられることにより得られた追加の入力輪郭線（以下、これを追加入力輪郭線と呼ぶ）ＡＬ１に相当する追加入力輪郭線信号Ｓ１２０をユーザインターフェース回路１１２に取り込むと、ステップＳＰ１３３に戻る。
【０３８５】
この場合、情報処理装置１００は、ステップＳＰ１３３において変換回路１１３により、追加入力輪郭線信号Ｓ１２０を所定のサンプリング間隔でサンプリングしてディジタルデータに変換することにより、当該追加入力輪郭線信号Ｓ１２０に相当する複数の追加入力輪郭形成点を生成し、当該生成した追加入力輪郭形成点の集合データを追加入力輪郭形成点群データＤ１２４として輪郭線推測生成回路１１４へ送出する。
【０３８６】
そして情報処理装置１００は、輪郭線推測生成回路１１４により、輪郭線記録回路１１５からオブジェクト輪郭抽出データＤ１２３を読み出し、当該オブジェクト輪郭抽出データＤ１２３から先頭入力輪郭形成点群データＤ１２１及び最後尾入力輪郭形成点群データＤ１２２を取り出す。
【０３８７】
ここで情報処理装置１００は、輪郭線推測生成回路１１４により、まず先頭入力輪郭形成点群データＤ１２１に相当する先頭入力輪郭線ＳｔＯＬと、追加入力輪郭形成点群データＤ１２４に相当する追加入力輪郭線ＡＬ１とから輪郭抽出用先頭フレーム画像ＯＦ１及び輪郭抽出用中間フレーム画像ＯＦ１２間の輪郭抽出用中間フレーム画像ＯＦ２乃至ＯＦ１１中のオブジェクトＯＪ２乃至ＯＪ１１の輪郭を抽出するための推測輪郭線ＯＬB1乃至ＯＬB10 を新たに推測して生成する。
【０３８８】
また情報処理装置１００は、輪郭線推測生成回路１１４により、追加入力輪郭線ＡＬ１と最後尾入力輪郭形成点群データＤ１２２に相当する最後尾入力輪郭線ＥｎＯＬとから輪郭抽出用中間フレーム画像ＯＦ１２及び輪郭抽出用最後尾フレーム画像ＯＦｎ間の輪郭抽出用中間フレーム画像ＯＦ１３乃至ＯＦｎ−１中のオブジェクトＯＪ１３乃至ＯＪｎ−１の輪郭を抽出するための推測輪郭線ＯＬB12 乃至ＯＬBn-2を新たに推測して生成する。
【０３８９】
そして情報処理装置１００は、輪郭線推測生成回路１１４により、推測輪郭線ＯＬB1乃至ＯＬB10 及びＯＬB12 乃至ＯＬBn-2をそれぞれ構成する複数の推測輪郭形成点群データを生成し、当該推測輪郭形成点群データと、先頭入力輪郭形成点群データＤ１２１と、最後尾入力輪郭形成点群データＤ１２２と、追加入力輪郭形成点群データＤ１２４とを新たなオブジェクト輪郭抽出データＤ１２３として輪郭線記録回路１１５に送出して記録することにより更新する。
【０３９０】
これにより情報処理装置１００は、ユーザインターフェース回路１１２により、輪郭線記録回路１１５から新たなオブジェクト輪郭抽出データＤ１２３を読み出すと共に、動画像記録回路１１１から輪郭抽出用フレーム画像データＤ２００Ａを読み出し、当該輪郭抽出用フレーム画像データＤ２００Ａを新たなオブジェクト輪郭抽出データＤ１２３と合成することにより抽出輪郭提示画像データを生成すると共に、その抽出輪郭提示画像データを輪郭抽出処理用画面データＤ１２０と合成して情報提示部１０５へ送出する。
【０３９１】
この結果、情報処理装置１００は、情報提示部１０５において輪郭抽出処理用画面内の画像表示領域に、輪郭抽出用フレーム画像ＯＦ１乃至ＯＦｎにそれぞれ対応する先頭入力輪郭線ＳｔＯＬと最後尾入力輪郭線ＥｎＯＬと追加入力輪郭線ＡＬ１と新たな推測輪郭線ＯＬB1乃至ＯＬB10 及びＯＬB12 乃至ＯＬBn-2とを重ねて表示してユーザに目視させる。
【０３９２】
この状態で情報処理装置１００は、ステップＳＰ１３４において例えば再び否定結果が得られると、上述したステップＳＰ１３５へ移って同様に輪郭指定用の輪郭抽出用フレーム画像ＯＦ１乃至ＯＦｎを選択させる。
【０３９３】
そして情報処理装置１００は、啓発対象ユーザによって新たに輪郭抽出用中間フレーム画像ＯＦ２２が選択（図６０）され、当該輪郭抽出用中間フレーム画像ＯＦ２２中のオブジェクトＯＪ２２が任意になぞられることにより追加入力輪郭線信号Ｓ１２１が得られると、これをユーザインターフェース回路１１２に取り込んでステップＳＰ１３２に戻る。
【０３９４】
この場合、情報処理装置１００は、ステップＳＰ１３２において、変換回路１１３により、追加入力輪郭線信号Ｓ１２１を所定のサンプリング間隔でサンプリングしてディジタルデータに変換することにより、当該追加入力輪郭線信号Ｓ１２１に相当する複数の追加入力輪郭形成点を生成し、当該生成した追加入力輪郭形成点の集合データを追加入力輪郭形成点群データＤ１２５として輪郭線推測生成回路１１４へ送出する。
【０３９５】
そして情報処理装置１００は、輪郭線推測生成回路１１４により、輪郭線記録回路１１５からオブジェクト輪郭抽出データＤ１２３を読み出し、当該オブジェクト輪郭抽出データＤ１２３から追加入力輪郭形成点群データＤ１２４及び最後尾入力輪郭形成点群データＤ１２２を取り出す。
【０３９６】
ここで情報処理装置１００は、輪郭線推測生成回路１１４により、まず追加入力輪郭形成点群データＤ１２４に相当する追加入力輪郭線ＡＬ１と、追加入力輪郭形成点群データＤ１２５に相当する追加入力輪郭線ＡＬ２とから輪郭抽出用中間フレーム画像ＯＦ１２及び輪郭抽出用中間フレーム画像ＯＦ２２間の輪郭抽出用中間フレーム画像ＯＦ１３乃至ＯＦ２１中のオブジェクトＯＪ１３乃至ＯＪ２１の輪郭を抽出するための推測輪郭線ＯＬC12 乃至ＯＬC20 を推測し直して新たに生成する。
【０３９７】
また情報処理装置１００は、輪郭線推測生成回路１１４により、追加入力輪郭線ＡＬ２と、最後尾入力輪郭形成点群データＤ１２２に相当する最後尾入力輪郭線ＥｎＯＬとから輪郭抽出用中間フレーム画像ＯＦ２２及び輪郭抽出用最後尾フレーム画像ＯＦｎ間の輪郭抽出用中間フレーム画像ＯＦ２３乃至ＯＦｎ−１中のオブジェクトＯＪ２３乃至ＯＪｎ−１の輪郭を抽出するための推測輪郭線ＯＬC22 乃至ＯＬCn-2を推測し直して新たに生成する。
【０３９８】
そして情報処理装置１００は、輪郭線推測生成回路１１４により、推測輪郭線ＯＬB1乃至ＯＬB10 、ＯＬC12 乃至ＯＬC20 及びＯＬC22 乃至ＯＬCn-2をそれぞれ構成する複数の推測輪郭形成点群データを新たに生成し、当該推測輪郭形成点群データと、先頭入力輪郭形成点群データＤ１２１と、最後尾入力輪郭形成点群データＤ１２２と、追加入力輪郭形成点群データＤ１２４及びＤ１２５とを新たなオブジェクト輪郭抽出データＤ１２３として輪郭線記録回路１１５に送出して記録することにより更新する。
【０３９９】
これにより情報処理装置１００は、ユーザインターフェース回路１１２により、輪郭線記録回路１１５から新たなオブジェクト輪郭抽出データＤ１２３を読み出すと共に、動画像記録回路１１１から輪郭抽出用フレーム画像データＤ２００Ａを読み出し、当該輪郭抽出用フレーム画像データＤ２００Ａを新たなオブジェクト輪郭抽出データＤ１２３と合成することにより抽出輪郭提示画像データを生成すると共に、その抽出輪郭提示画像データを輪郭抽出処理用画面データＤ１２０と合成して情報提示部１０５へ送出する。
【０４００】
この結果、情報処理装置１００は、情報提示部１０５において輪郭抽出処理用画面内の画像表示領域に、輪郭抽出用フレーム画像ＯＦ１乃至ＯＦｎにそれぞれ対応する先頭入力輪郭線ＳｔＯＬと最後尾入力輪郭線ＥｎＯＬと追加入力輪郭線ＡＬ１及びＡＬ２と推測輪郭線ＯＬB1乃至ＯＬB10 、ＯＬC12 乃至ＯＬC20 及びＯＬC22 乃至ＯＬCn-2とを重ねて表示してユーザに目視させる。
【０４０１】
このようにして情報処理装置１００は、ステップＳＰ１３４において肯定結果が得られるまでの間はステップＳＰ１３５−ステップＳＰ１３２−ステップＳＰ１３３−ステップＳＰ１３４の処理を繰り返す。
【０４０２】
従って情報処理装置１は、啓発対象ユーザによってオブジェクトＯＪ１乃至ＯＪｎに輪郭が指定されることにより１度は推測輪郭線を生成しても、新たにオブジェクトＯＪ１乃至ＯＪｎの輪郭が指定されると、その都度、輪郭の指定結果に応じて輪郭抽出用フレーム画像ＯＦ２乃至ＯＦｎ−１中のオブジェクトＯＪ２乃至ＯＪｎ−１の輪郭を抽出するための推測輪郭線を推測し直して修正することによりオブジェクトＯＪ１乃至ＯＪｎの輪郭を啓発対象ユーザの納得する精度で抽出することができる。
【０４０３】
これに対してステップＳＰ１３４において肯定結果が得られると、このことは輪郭抽出用中間フレーム画像ＯＦ２乃至ＯＦｎ−１中のオブジェクトＯＪ２乃至ＯＪｎ−１の輪郭が啓発対象ユーザの納得する精度で抽出できたことにより、当該啓発対象ユーザによって輪郭抽出処理を終了する処理終了命令が入力されたことを表しており、このとき情報処理装置１００は、処理終了命令をユーザインターフェース回路１１２に取り込んでステップＳＰ１３６へ移る。
【０４０４】
ステップＳＰ１３６において情報処理装置１００は、ユーザインターフェース回路１１２から処理終了命令を変換回路１１３及び輪郭線推測生成回路１１４を順次介して輪郭線記録回路１１５に送出することにより、当該輪郭線記録回路１１５によりこの時点で記録している最新のオブジェクト輪郭抽出データＤ１２３に相当する先頭入力輪郭線ＳｔＯＬと、最後尾入力輪郭線ＥｎＯＬと、追加入力輪郭線ＡＬ１及びＡＬ２と、推測輪郭線ＯＬB1乃至ＯＬB10 、ＯＬC12 乃至ＯＬC20 及びＯＬC22 乃至ＯＬCn-2とをオブジェクトＯＪ１乃至ＯＪｎの輪郭を抽出して最終的に得た輪郭線（以下、これを最終輪郭線と呼ぶ）とする。
【０４０５】
そして情報処理装置１００は、輪郭線記録回路１１５により、その最終輪郭線を最終輪郭線データＤ１２６として輪郭線出力回路１１６を介して図示しないオブジェクト抽出装置に送出することにより、当該オブジェクト抽出装置によって最終輪郭線を用いて、オブジェクト抽出用動画像２００を構成する複数の輪郭抽出用フレーム画像ＯＦ１乃至ＯＦｎ中のオブジェクトＯＪ１乃至ＯＪｎを抽出させる。
【０４０６】
また情報処理装置１００は、ユーザインターフェース回路１１２に上述した輪郭抽出処理手順ＲＴ１０２（すなわちオブジェクト抽出用動画像２００を用いた輪郭抽出処理）を実行している間、適宜表示内容を変更して情報提示部１０５で表示した一連の輪郭抽出処理用画面を輪郭抽出操作の経緯を表す輪郭抽出経緯画面データＤ１１１として記録している。
【０４０７】
従って情報処理装置１００は、ユーザインターフェース回路１１２により、輪郭抽出経緯画面データＤ１１１に啓発対象ユーザのユーザＩＤを対応付け、これを処理傾向情報抽出部１０２を介して情報蓄積部１０３に送出して、当該情報蓄積部１０３に記憶することにより、他の啓発対象ユーザによって輪郭抽出操作が行われる際にその輪郭抽出経緯画面データＤ１１１を提示情報として利用可能な状態とし、次のステップＳＰ１３７へ移って上述した輪郭抽出処理手順ＲＴ１０２を終了する。
【０４０８】
このようにして情報処理装置１００は、図６１に示すように、オブジェクト抽出用動画像２００を構成する複数の輪郭抽出用フレーム画像ＯＦ１乃至ＯＦｎ中のオブジェクトＯＪ１乃至ＯＪｎの輪郭を啓発対象ユーザの納得のできる精度で当該オブジェクトＯＪ１乃至ＯＪｎの動きに応じて推移させた理想的な最終輪郭線ＬＳ１乃至ＬＳｎとして抽出し得るようになされている。
【０４０９】
以上の構成において、情報処理装置１００は、試行モード時、啓発対象ユーザに輪郭抽出試行用動画像１２０を構成する複数の試行用フレーム画像ＴＦ１乃至ＴＦ７中の試行用オブジェクトＴＪ１乃至ＴＪ７の輪郭に対して輪郭抽出試行操作を行わせ、当該輪郭抽出試行操作に応じた輪郭抽出試行処理の結果により啓発対象ユーザに対する輪郭抽出手法の技量を判定し、その判定結果を示す技量データＤ１０７を、当該輪郭抽出試行処理中に適宜表示内容を変更して表示した一連の輪郭抽出試行処理用画面からなる輪郭抽出試行経緯画面データと、輪郭抽出試行用動画像データＤ１００等と共に入力情報データＤ１０８とする。
【０４１０】
また情報処理装置１００は、入力情報データＤ１０８に含まれる輪郭抽出試行経緯画面データ及び輪郭抽出試行用動画像データＤ１００から啓発対象ユーザがどのような輪郭抽出試行用動画像１２０からどのようにオブジェクトＴＪ１乃至ＴＪ７の輪郭を抽出しているかを表す当該啓発対象ユーザの輪郭抽出手法に対する処理傾向情報を抽出し、当該抽出した処理傾向情報を処理傾向情報データとして入力情報データＤ１０８と共に蓄積情報データＤ１０９として情報蓄積部１０３に記憶する。
【０４１１】
そして情報処理装置１００は、輪郭抽出処理モードに先立つ情報提示モード時、啓発対象ユーザの蓄積情報データＤ１０９に含まれる処理傾向情報データと、情報蓄積部１０３にすでに蓄積している過去蓄積情報データＤ１０９に含まれる処理傾向情報データとを比較することにより当該過去蓄積情報データＤ１０９の中から、啓発対象ユーザの輪郭抽出手法と類似する輪郭抽出手法の他のユーザの過去蓄積情報データＤ１０９を選択する。
【０４１２】
次いで情報処理装置１００は、その選択した過去蓄積情報データＤ１０９に含まれる技量の情報に基づいて啓発対象ユーザの技量に応じた技量のユーザに対して輪郭抽出処理時に提示した一連の輪郭抽出処理用画面でなる輪郭抽出経緯画面データ１１１を最終的に選択してこれを当該ユーザの技量の情報と共に提示情報データＤ１１０として啓発対象ユーザに提示するようにした。
【０４１３】
従って情報処理装置１００は、処理能力に優れた指導者による指導を特には必要とせずに、技量の異なる他のユーザの輪郭抽出手法をもとに啓発対象ユーザに対して自分の輪郭抽出手法における注意すべき点等を、オブジェクト抽出用動画像２００に対する輪郭抽出操作の実施に先立って気付かせて当該啓発対象ユーザの輪郭抽出手法の向上を促すことができる。
【０４１４】
また情報処理装置１００は、情報提示モード時、啓発対象ユーザに対して提示情報データＤ１１０の他に、引き続き啓発対象ユーザによって行われる輪郭抽出操作に用いるオブジェクト抽出用動画像２００も提示するため、提示情報の内容とオブジェクト抽出用動画像２００の内容とを照らし合わせて目視確認させることができ、かくしてオブジェクト抽出用動画像２００からオブジェクトＯＪ１乃至ＯＪｎの輪郭を例えば効率良く等のようにどのように抽出すべきかをその時点で容易に気付かせて当該啓発対象ユーザに自分の輪郭抽出手法の向上をさらに適確に促すことができる。
【０４１５】
以上の構成によれば、試行モード時に啓発対象ユーザに輪郭抽出試行用動画像１２０から試行用オブジェクトＴＪ１乃至ＴＪ７の輪郭を抽出する輪郭抽出試行操作を行わせて輪郭抽出手法の技量を判定し、その技量の情報を、輪郭抽出試行処理中に適宜表示内容を変更して表示した一連の輪郭抽出試行処理用画面と輪郭抽出試行用動画像１２０とから抽出した啓発対象ユーザの輪郭抽出手法に対する処理傾向情報と共に蓄積情報データＤ１０９として情報蓄積部１０３に記憶しておき、輪郭抽出処理モードに先立つ情報提示モード時に啓発対象ユーザの蓄積情報データＤ１０９に含まれる処理傾向情報と、情報蓄積部１０３にすでに蓄積している過去蓄積情報データＤ１０９に含まれる処理傾向情報とを比較して当該啓発対象ユーザの輪郭抽出手法と類似する輪郭抽出手法の他のユーザの過去蓄積情報データＤ１０９を選択すると共に、当該選択した過去蓄積情報データＤ１０９に含まれる技量の情報に基づいて啓発対象ユーザの技量に応じた技量のユーザに対して輪郭抽出処理時に提示した一連の輪郭抽出処理用画面を最終的に選択してこれを当該ユーザの技量の情報と共に提示情報データＤ１１０として啓発対象ユーザに提示するようにしたことにより、技量の異なる他のユーザの輪郭抽出手法をもとに啓発対象ユーザに対して自分の輪郭抽出操作における注意すべき点等を、オブジェクト抽出用動画像２００に対する輪郭抽出操作の実施に先立って気付かせて当該啓発対象ユーザの輪郭抽出手法の向上を促すことができ、かくして処理対象となるオブジェクト抽出用動画像２００からオブジェクトＯＪ１乃至ＯＪｎの輪郭を抽出するという処理の処理能力を容易に向上させることができる。
【０４１６】
なお上述した第３の実施の形態においては、啓発対象ユーザに過去の他のユーザによって行われた輪郭抽出操作の経緯を表す一連の輪郭抽出処理用画面を提示した後に当該啓発対象ユーザにオブジェクト抽出用動画像２００中のオブジェクトＯＪ１乃至ＯＪｎの輪郭に対する輪郭抽出操作を行わせるようにした場合について述べたが、本発明はこれに限らず、図６２に示すように、輪郭抽出処理モード時、過去の他のユーザによって行われた輪郭抽出操作の経緯を表す一連の輪郭抽出処理用画面１４５を表示する画像表示領域１４９Ａと、啓発対象ユーザによって行われる輪郭抽出操作に応じて一連の輪郭抽出処理用画面１４６を表示する輪郭抽出領域１４９Ｂとを有する処理画面１５０を情報提示部１０５で表示し、当該啓発対象ユーザによって行われる輪郭抽出操作に合わせて過去のユーザによる輪郭抽出操作時の一連の輪郭抽出処理用画面１４５を提示するようにしても良い。
【０４１７】
また上述した第３の実施の形態においては、試行モード時、予め設定されたフレーム画像基準数Ｂｏｒ１（図４８）を基準とした入力フレーム画像の総数に応じて各ユーザの技量を判定するようにした場合について述べたが、本発明はこれに限らず、試行モード時、図６３に示すように入力フレーム画像の総数の少ない順に各ユーザの蓄積情報データＤ１０９を並べて、全ユーザの数をほぼ半分に区切る閾値Ｂｏｒ２により各ユーザの技量を判定し、又は図６４に示すように入力フレーム画像の総数の少ない順に各ユーザの蓄積情報データＤ１０９を並べて、技量の高い又は低いユーザを所定人数に限定するような閾値Ｂｏｒ３により各ユーザの技量を判定するようにしても良い。この場合、各ユーザにおける入力フレーム画像の総数の傾向に応じてユーザの技量を判定することができる。
【０４１８】
さらに上述した第３の実施の形態においては、情報提示モード時、過去蓄積情報データＤ１０９の中から啓発対象ユーザの輪郭抽出手法と類似する輪郭抽出手法のユーザの過去蓄積情報データＤ１０９を選択（限定）するようにした場合について述べたが、本発明はこれに限らず、各ユーザによって行われた輪郭抽出試行操作及び又は輪郭抽出操作で抽出したオブジェクトの名称を過去蓄積情報データＤ１０９に格納しておき、情報提示モード時、啓発対象ユーザにオブジェクト抽出用動画像中のオブジェクトの名称（例えば星型や人間の上半身等）を入力させ、当該オブジェクトの名称の情報を含む過去蓄積情報データＤ１０９を選択（限定）したり、当該啓発対象ユーザの蓄積情報データＤ１０９に処理傾向情報として含まれる画像特徴情報と、過去蓄積情報データＤ１０９に処理傾向情報として含まれる画像特徴情報とを比較することにより、啓発対象ユーザの抽出する輪郭を有するオブジェクトと同じ又は類似するオブジェクト（又は類似するオブジェクト抽出用動画像中のオブジェクト）の輪郭を抽出したユーザの過去蓄積情報データＤ１０９を選択（限定）するようにしても良い。
【０４１９】
この場合、啓発対象ユーザにこれから輪郭を抽出するオブジェクトと同じ又は類似するオブジェクト、又はその輪郭の抽出に用いるオブジェクト抽出用動画像と同じ又は類似するオブジェクト抽出用動画像に対して輪郭抽出操作を行った他のユーザの輪郭抽出手法を表す一連の輪郭抽出処理用画面を提示することができることにより、啓発対象ユーザに自分の輪郭抽出手法の向上をより適確に促すことができる。
【０４２０】
さらに上述した第３の実施の形態においては、情報提示モード時、啓発対象ユーザＹ１（図５１）の技量が低い場合、過去蓄積情報データＤ１０９の中から最も技量の高いユーザＹ２の過去蓄積情報データＤ１０９を最終的に選択し、啓発対象ユーザＹ３の技量が高い場合、過去蓄積情報データＤ１０９の中から最も技量の低いユーザＹ４の過去蓄積情報データＤ１０９を最終的に選択するようにした場合について述べたが、本発明はこれに限らず、図６５に示すように、情報提示モード時、啓発対象ユーザＹ５の技量が低い場合、過去蓄積情報データＤ１０９の中から当該啓発対象ユーザＹ５の技量を基準とした一定範囲Ｗ内で最も技量の高いユーザＹ６の過去蓄積情報データＤ１０９を最終的に選択し、啓発対象ユーザＹ７の技量が高い場合、過去蓄積情報データＤ１０９の中から当該啓発対象ユーザＹ７の技量を基準とした一定範囲Ｗ内で最も技量の低いユーザＹ８の過去蓄積情報データＤ１０９を最終的に選択するようにしても良い。
【０４２１】
この場合、啓発対象ユーザに輪郭抽出手法を提示するために選択したユーザの技量が高すぎ又は低すぎて当該ユーザによって輪郭抽出操作が行われた際の一連の輪郭抽出処理用画面が啓発対象ユーザの輪郭抽出手法の向上を促すために利用し難くなることを防止することができる。
【０４２２】
さらに上述した第３の実施の形態においては、試行モード時に啓発対象ユーザの輪郭抽出試行操作の結果を蓄積情報データＤ１０９として情報蓄積部１０３に記憶しておき、情報提示モード時にその蓄積情報データＤ１０９に基づいて他のユーザの輪郭抽出経緯画面データＤ１１１を選択するようにした場合について述べたが、本発明はこれに限らず、輪郭抽出処理モード時、啓発対象ユーザがすでに行ったオブジェクト抽出用動画像中のオブジェクトの輪郭に対する輪郭抽出操作の結果を基に当該啓発対象ユーザの輪郭抽出操作に対する技量や輪郭の抽出傾向（すなわち処理傾向情報で表される傾向）を判定し、これを蓄積情報データＤ１０９として情報記憶部１０３に記憶しておき、再び啓発対象ユーザがオブジェクト抽出用動画像に対して輪郭抽出操作を行う情報提示モード時に、当該蓄積情報データＤ１０９に応じて他のユーザの輪郭抽出経緯画面データＤ１１１を選択するようにしても良い。
【０４２３】
さらに上述した第３の実施の形態においては、マウス等の操作部を介してオブジェクトの輪郭がなぞられることにより得られた入力輪郭線から推測輪郭線を推測して生成するようにした場合について述べたが、本発明はこれに限らず、オブジェクトの輪郭内側の領域を塗りつぶして当該オブジェクトを指定する指定領域や、オブジェクトの背景を塗りつぶして当該オブジェクトを指定する指定領域等から推定輪郭線を推定して生成するようにしても良い。
【０４２４】
さらに上述した第３の実施の形態においては、動画像からオブジェクトの輪郭を抽出する際に当該動画像を構成する複数のフレーム画像からまず先頭及び最後尾の輪郭抽出用フレーム画像及び試行用フレーム画像を選択するようにした場合について述べたが、本発明はこれに限らず、動画像からオブジェクトの輪郭を抽出する際に当該動画像を構成する複数のフレーム画像からまず任意に２つのフレーム画像を選択するようにしても良い。
【０４２５】
（４）他の実施の形態
なお上述した第１乃至第３の実施の形態においては、本発明による情報処理装置を図１乃至図６５について上述した情報処理装置１、５０、１００に適用するようにした場合について述べたが、本発明はこれに限らず、パーソナルコンピュータや画像処理装置、上述した情報処理装置５０及び１００から領域抽出部５１及び輪郭生成部１０１を分離した情報処理装置等のように、この他種々の情報処理装置に広く適用することができる。
【０４２６】
また上述した第１乃至第３の実施の形態においては、本発明による情報処理プログラムを図１乃至図６５について上述した第１及び第２の啓発促進プログラム、輪郭抽出試行プログラム、情報提示プログラム及び輪郭抽出処理プログラムに適用し、当該第１及び第２の啓発促進プログラムに従って図２及び図１４について上述した第１及び第２の啓発促進処理手順ＲＴ１及びＲＴ５０を実行すると共に、輪郭抽出試行プログラム、情報提示プログラム及び輪郭抽出処理プログラムに従って図３４及び図４９並びに図５３について上述した輪郭抽出試行処理手順ＲＴ１００及び情報提示処理手順ＲＴ１０１並びに輪郭抽出処理手順ＲＴ１０２を実行するようにした場合について述べたが、本発明はこれに限らず、第１及び第２の啓発促進プログラム、輪郭抽出試行プログラム、情報提示プログラム及び輪郭抽出処理プログラムをローカルエリアネットワークやインターネット、ディジタル衛星放送等の有線及び無線通信媒体を利用して情報処理装置１、５０、１００にインストールすることにより第１及び第２の啓発促進処理手順ＲＴ１及びＲＴ５０、輪郭抽出試行処理手順ＲＴ１００、情報提示処理手順ＲＴ１０１及び輪郭抽出処理手順ＲＴ１０２を実行するようにしても良いし、当該第１及び第２の啓発促進プログラム、輪郭抽出試行プログラム、情報提示プログラム及び輪郭抽出処理プログラムが格納されたプログラム格納媒体を情報処理装置１、５０、１００にインストールすることにより第１及び第２の啓発促進処理手順ＲＴ１及びＲＴ５０、輪郭抽出試行処理手順ＲＴ１００、情報提示処理手順ＲＴ１０１及び輪郭抽出処理手順ＲＴ１０２を実行するようにしても良い。
【０４２７】
因みに上述した第１及び第２の啓発促進処理手順ＲＴ１及びＲＴ５０、輪郭抽出試行処理手順ＲＴ１００、情報提示処理手順ＲＴ１０１及び輪郭抽出処理手順ＲＴ１０２を実行するための第１及び第２の啓発促進プログラム、輪郭抽出試行プログラム、情報提示プログラム及び輪郭抽出処理プログラムを情報処理装置１、５０、１００にインストールして実行可能な状態にするためのプログラム格納媒体としては、例えばフレキシブルディスク、ＣＤ−ＲＯＭ（Compact Disc-Read Only Memory ）、ＤＶＤ（Digital Versatile Disc）等のパッケージメディアのみならず、第１及び第２の啓発促進プログラム、輪郭抽出試行プログラム、情報提示プログラム及び輪郭抽出処理プログラムが一時的もしくは永続的に格納される半導体メモリや磁気ディスク等で実現しても良い。またこれらプログラム格納媒体に第１及び第２の啓発促進プログラム、輪郭抽出試行プログラム、情報提示プログラム及び輪郭抽出処理プログラムを格納する手段としては、ローカルエリアネットワークやインターネット、ディジタル衛星放送等の有線及び無線通信媒体を利用しても良く、ルータやモデム等の各種通信インターフェイスを介して格納するようにしても良い。
【０４２８】
さらに上述した第１乃至第３の実施の形態においては、ユーザにより処理対象に対して行われた処理の処理手法及び当該処理に対する評価値を含む蓄積情報を複数ユーザ分蓄積する蓄積手段として、図１乃至図６５について上述した情報蓄積部４、５３、１０３を適用するようにした場合について述べたが、本発明はこれに限らず、ユーザにより処理対象に対して行われた処理の処理手法及び当該処理に対する評価値を含む蓄積情報を複数ユーザ分蓄積することができれば、ハードディスクドライブや情報処理装置１、５０、１００の外部の外部記録装置等のように、この他種々の蓄積手段を広く適用することができる。
【０４２９】
さらに上述した第１乃至第３の実施の形態においては、特定ユーザの処理手法及び評価値のうちいずれか一方と、蓄積手段に蓄積している蓄積情報に含まれる一方とを比較する比較手段として、図１乃至図６５について上述した提示情報選択部５、５４、１０４を適用するようにした場合について述べたが、本発明はこれに限らず、特定ユーザ（すなわち啓発対象ユーザ）の処理手法及び評価値のうちいずれか一方と、蓄積手段に蓄積している蓄積情報に含まれる一方とを比較することができれば、提示情報選択部５、５４、１０４とは異なる専用の比較回路等のように、この他種々の比較手段を広く適用することができる。
【０４３０】
さらに上述した第１乃至第３の実施の形態においては、蓄積手段に蓄積している複数の蓄積情報の中から比較手段による比較結果に応じて蓄積情報を選択する情報選択手段として、図１乃至図６５について上述した提示情報選択部５、５４、１０４を適用するようにした場合について述べたが、本発明はこれに限らず、蓄積手段に蓄積している複数の蓄積情報の中から比較手段による比較結果に応じて蓄積情報を選択することができれば、提示情報選択部５、５４、１０４から特定ユーザの処理手法及び評価値のうちいずれか一方と、蓄積手段に蓄積している蓄積情報に含まれる一方とを比較する機能を除いた専用の情報選択回路等のように、この他種々の情報選択手段を広く適用することができる。
【０４３１】
さらに上述した第１乃至第３の実施の形態においては、情報選択手段によって選択された蓄積情報に含まれる処理手法を特定ユーザに提示する提示手段として、図１乃至図６５について上述したモニタ及びスピーカを有する情報提示部６、５５、１０５を適用するようにした場合について述べたが、本発明はこれに限らず、情報選択手段によって選択された蓄積情報に含まれる処理手法を特定ユーザに提示することができれば、表示部や情報処理装置１、５０、１００の外部の外部表示装置等のように、この他種々の提示手段を広く適用することができる。
【０４３２】
さらに上述した第１乃至第３の実施の形態においては、動画像を構成する複数のフレーム画像の中からオブジェクトの輪郭の指定用に１つのフレーム画像を選択するための画像選択手段として、図１３乃至図３１について上述した図示しないマウス等の操作部を適用するようにした場合について述べたが、本発明はこれに限らず、ジョイスティック、スタイラスペン、タッチパネル等のポインティングデバイスやキーボード等のように、この他種々の画像選択手段を広く適用することができる。
【０４３３】
さらに上述した第１乃至第３の実施の形態においては、動画像を構成する複数のフレーム画像の中からオブジェクト指定領域の抽出用の複数のフレーム画像を設定するための画像設定手段として、図１３乃至図３１について上述した図示しないマウス等の操作部を適用するようにした場合について述べたが、本発明はこれに限らず、ジョイスティック、スタイラスペン、タッチパネル等のポインティングデバイスやキーボード等のように、この他種々の画像設定手段を広く適用することができる。
【０４３４】
さらに上述した第１乃至第３の実施の形態においては、動画像中のオブジェクトの動きベクトルを検出する動きベクトル検出手段として、図１３乃至図３１について上述した動きベクトル検出記録回路６２を適用するようにした場合について述べたが、本発明はこれに限らず、動きベクトルの検出機能のみを有する動きベクトル検出回路等のように、この他種々の動きベクトル検出手段を広く適用することができる。
【０４３５】
さらに上述した第１乃至第３の実施の形態においては、画像選択手段を介して選択された１つのフレーム画像中のオブジェクトの輪郭を指定するための輪郭指定手段として、図１３乃至図３１について上述した図示しないマウス等の操作部を適用するようにした場合について述べたが、本発明はこれに限らず、ジョイスティック、スタイラスペン、タッチパネル等のポインティングデバイスのように、この他種々の輪郭指定手段を広く適用することができる。
【０４３６】
さらに上述した第１乃至第３の実施の形態においては、動きベクトル検出手段によって検出された動きベクトルと、輪郭指定手段を介して指定された輪郭とに基づいて、画像設定手段によって設定された複数のフレーム画像に対するオブジェクト指定領域を抽出する指定領域抽出手段として、図１３乃至図３１について上述した領域抽出部５１を適用するようにした場合について述べたが、本発明はこれに限らず、情報処理装置５０から分離された外部の領域抽出装置等のように、この他種々の指定領域抽出手段を広く適用することができる。
【０４３７】
さらに上述した第１乃至第３の実施の形態においては、蓄積手段に蓄積する蓄積情報に含まれる処理手法となる、画像選択手段、画像設定手段及び輪郭指定手段による入力履歴として、図１３乃至図３１について上述した一連の領域抽出処理用画面でなる領域抽出経緯画面データを適用するようにした場合について述べたが、本発明はこれに限らず、領域抽出手法の経緯を文字情報で表す入力履歴等のように、この他種々の入力履歴を広く適用することができる。
【０４３８】
さらに上述した第１乃至第３の実施の形態においては、動画像を構成する複数のフレーム画像の中からオブジェクトの輪郭の指定用に少なくとも２つの第１及び第２のフレーム画像を選択するための画像選択手段として、図３２乃至図６５について上述した図示しないマウス等の操作部を適用するようにした場合について述べたが、本発明はこれに限らず、ジョイスティック、スタイラスペン、タッチパネル等のポインティングデバイスやキーボード等のように、この他種々の画像選択手段を広く適用することができる。
【０４３９】
さらに上述した第１乃至第３の実施の形態においては、画像選択手段を介して選択された第１及び第２のフレーム画像中のオブジェクトの輪郭をそれぞれ指定するための輪郭指定手段として、図３２乃至図６５について上述した図示しないマウス等の操作部を適用するようにした場合について述べたが、本発明はこれに限らず、ジョイスティック、スタイラスペン、タッチパネル等のポインティングデバイスのように、この他種々の輪郭指定手段を広く適用することができる。
【０４４０】
さらに上述した第１乃至第３の実施の形態においては、第１及び第２のフレーム画像間に他のフレーム画像が存在するとき、輪郭指定手段を介して第１及び第２のフレーム画像中のオブジェクトの輪郭がそれぞれ指定されることにより得られた第１及び第２の輪郭指定結果から他のフレーム画像中のオブジェクトの輪郭を推測する輪郭推測手段として、図３２乃至図６５について上述した輪郭線推測生成回路１１４を適用するようにした場合について述べたが、本発明はこれに限らず、第１及び第２のフレーム画像間に他のフレーム画像が存在するとき、輪郭指定手段を介して第１及び第２のフレーム画像中のオブジェクトの輪郭がそれぞれ指定されることにより得られた第１及び第２の輪郭指定結果から他のフレーム画像中のオブジェクトの輪郭を推測することができれば、ＣＰＵ（Central Processing Unit ）やマイクロプロセッサ等のように、この他種々の輪郭推測手段を広く適用することができる。
【０４４１】
さらに上述した第１乃至第３の実施の形態においては、蓄積手段に蓄積する蓄積情報に含まれる処理手法となる、画像選択手段及び輪郭指定手段による入力履歴として、図３２乃至図６５について上述した一連の輪郭抽出処理用画面でなる輪郭抽出経緯画面データＤ１１１を適用するようにした場合について述べたが、本発明はこれに限らず、輪郭抽出手法の経緯を文字情報で表す入力履歴等のように、この他種々の入力履歴を広く適用することができる。
【図面の簡単な説明】
【０４４２】
【図１】本発明による情報処理装置の回路構成の第１の実施の形態を示すブロック図である。
【図２】第１の啓発促進処理手順を示すフローチャートである。
【図３】入力情報の構成を示す略線図である。
【図４】入力情報データを示す略線図である。
【図５】バッティング動画像の構成を示す略線図である。
【図６】ボールのコース及びバットのグリップと先端との高低差の検出の説明に供する略線図である。
【図７】処理傾向情報の構成を示す略線図である。
【図８】蓄積情報データの記憶の説明に供する略線図である。
【図９】蓄積情報データの限定の説明に供する略線図である。
【図１０】提示情報を選択するための選択条件を示す略線図である。
【図１１】提示情報の構成を示す略線図である。
【図１２】他の実施の形態による提示情報の選択条件を示す略線図である。
【図１３】第２の実施の形態による情報処理装置の回路構成を示すブロック図である。
【図１４】第２の啓発促進処理手順を示すフローチャートである。
【図１５】領域抽出部の回路構成を示すブロック図である。
【図１６】領域抽出処理ルーチン（１）を示すフローチャートである。
【図１７】領域抽出処理ルーチン（２）を示すフローチャートである。
【図１８】オブジェクト抽出用動画像の構成を示す略線図である。
【図１９】作業フレーム画像及び伝播範囲の設定の説明に供する略線図である。
【図２０】作業フレーム画像におけるオブジェクトの輪郭の指定の説明に供する略線図である。
【図２１】オブジェクト指定伝播領域の生成の説明に供する略線図である。
【図２２】伝播範囲におけるオブジェクト指定領域の生成の説明に供する略線図である。
【図２３】オブジェクト指定領域に対する修正箇所の指示の説明に供する略線図である。
【図２４】オブジェクト指定領域の修正の説明に供する略線図である。
【図２５】修正したオブジェクト指定領域の提示の説明に供する略線図である。
【図２６】領域を反転したオブジェクト指定領域の説明に供する略線図である。
【図２７】入力情報の構成を示す略線図である。
【図２８】処理傾向情報の構成を示す略線図である。
【図２９】提示情報を選択するための選択条件を示す略線図である。
【図３０】提示情報の構成を示す略線図である。
【図３１】他の実施の形態による提示情報の選択条件を示す略線図である。
【図３２】第３の実施の形態による情報処理装置の回路構成を示すブロック図である。
【図３３】輪郭生成部の回路構成を示すブロック図である。
【図３４】輪郭抽出試行処理手順を示すフローチャートである。
【図３５】技量判定処理ルーチンを示すフローチャートである。
【図３６】輪郭抽出試行用動画像の構成を示す略線図である。
【図３７】推測輪郭線生成処理ルーチンを示すフローチャートである。
【図３８】試行先頭入力輪郭形成点及び試行最後尾入力輪郭形成点の説明に供する略線図である。
【図３９】試行先頭入力輪郭線を新たに構成する新規輪郭形成点の生成の説明に供する略線図である。
【図４０】試行先頭入力輪郭線及び試行最後尾入力輪郭線の重心を一致させた場合の説明に供する略線図である。
【図４１】起点ペアの決定の説明に供する略線図である。
【図４２】順回り方向及び逆回り方向の対応付けの説明に供する略線図である。
【図４３】試行推測輪郭線の生成の説明に供する略線図である。
【図４４】各試行用フレーム画像での重心位置の推測の説明に供する略線図である。
【図４５】試行先頭入力輪郭線、試行推測輪郭線及び試行最後尾入力輪郭線の提示結果の説明に供する略線図である。
【図４６】入力情報の構成を示す略線図である。
【図４７】処理傾向情報の構成を示す略線図である。
【図４８】蓄積情報データのデータベース化の説明に供する略線図である。
【図４９】情報提示処理手順を示すフローチャートである。
【図５０】オブジェクト抽出用動画像の構成を示す略線図である。
【図５１】蓄積情報データの選択の説明に供する略線図である。
【図５２】提示情報の構成を示す略線図である。
【図５３】輪郭抽出処理手順を示すフローチャートである。
【図５４】先頭入力輪郭線及び最後尾入力輪郭線の生成の説明に供する略線図である。
【図５５】先頭入力輪郭線及び最後尾入力輪郭線の重心を一致させた場合の説明に供する略線図である。
【図５６】起点ペアの決定の説明に供する略線図である。
【図５７】順回り方向及び逆回り方向の対応付けの説明に供する略線図である。
【図５８】推測輪郭線の生成の説明に供する略線図である。
【図５９】輪郭抽出用中間フレーム画像に対する推測輪郭線の生成結果を示す略線図である。
【図６０】追加入力輪郭線に基づく推測輪郭線の生成の説明に供する略線図である。
【図６１】最終輪郭線の説明に供する略線図である。
【図６２】他の実施の形態による輪郭抽出処理用画面の提示の説明に供する略線図である。
【図６３】他の実施の形態によるユーザの技量の判定（１）の説明に供する略線図である。
【図６４】他の実施の形態によるユーザの技量の判定（２）の説明に供する略線図である。
【図６５】他の実施の形態による蓄積情報データの選択の説明に供する略線図である。
【符号の説明】
【０４４３】
１、５０、１００……情報処理装置、２……情報入力部、３、５２、１０２……処理傾向情報抽出部、４、５３、１０３……情報蓄積部、５、５４、１０４……提示情報選択部、６、５５、１０５……情報提示部、５１……領域抽出部、６２……動きベクトル検出記録回路、１１４……輪郭線推測回路、７０、２００……オブジェクト抽出用動画像、７０Ａ乃至７０Ｇ……領域抽出用フレーム画像、７１、１２０……輪郭抽出試行用動画像、ＴＦ１乃至ＴＦ７……試行用フレーム画像、ＴＪ１乃至ＴＪ７……試行用オブジェクト、ＯＪ１乃至ＯＪｎ……オブジェクト、１０１……輪郭生成部、７４Ａ……オブジェクト指定基準領域、７７Ａ乃至７７Ｄ、７７ＡＸ乃至７７ＤＸ……オブジェクト指定伝播領域、８０……オブジェクト指定基準反転領域、８１Ａ乃至８１Ｄ……オブジェクト指定伝播反転領域、Ｄ１……バッティング動画像データ、Ｄ２、Ｄ６５……入力情報データ、Ｄ３、Ｄ６６……処理傾向情報データ、Ｄ４、Ｄ６７、Ｄ１０９……蓄積情報データ、Ｄ５、Ｄ６８、Ｄ１１０……提示情報データ、Ｄ５０、Ｄ２００……オブジェクト抽出用動画像データ、Ｄ５１……領域抽出用フレーム画像データ、Ｄ５２……領域抽出処理用画面データ、Ｄ１００……輪郭抽出試行用動画像データ、Ｄ１００Ａ……試行用フレーム画像データ、Ｄ２００Ａ……輪郭抽出用フレーム画像データ、Ｄ１０８……技量データ、Ｄ１１１……輪郭抽出経緯画面データ、Ｓ１、Ｓ５５……ユーザ情報、ＯＦ１乃至ＯＦｎ……輪郭抽出用フレーム画像、ＳｔＯＬ……先頭入力輪郭線、ＥｎＯＬ……最後尾入力輪郭線、ＯＬA1乃至ＯＬAn-2、ＯＬB1乃至ＯＬB10 、ＯＬC12 乃至ＯＬC20 、ＯＬC22 乃至ＯＬCn-2d……推測輪郭線、ＳＨ１……コース閾値範囲、ＳＨ２……高低差閾値範囲、ＲＴ１……第１の啓発促進処理手順、ＲＴ５０……第２の啓発促進処理手順ＲＴ１０１……情報提示処理手順、ＲＴ１０２……輪郭抽出処理手順。
【図１】
2008090862.tif 000003
【図２】
2008090862.tif 000004
【図３】
2008090862.tif 000005
【図４】
2008090862.tif 000006
【図５】
2008090862.tif 000007
【図６】
2008090862.tif 000008
【図７】
2008090862.tif 000009
【図８】
2008090862.tif 000010
【図９】
2008090862.tif 000011
【図１０】
2008090862.tif 000012
【図１１】
2008090862.tif 000013
【図１２】
2008090862.tif 000014
【図１３】
2008090862.tif 000015
【図１４】
2008090862.tif 000016
【図１５】
2008090862.tif 000017
【図１６】
2008090862.tif 000018
【図１７】
2008090862.tif 000019
【図１８】
2008090862.tif 000020
【図１９】
2008090862.tif 000021
【図２０】
2008090862.tif 000022
【図２１】
2008090862.tif 000023
【図２２】
2008090862.tif 000024
【図２３】
2008090862.tif 000025
【図２４】
2008090862.tif 000026
【図２５】
2008090862.tif 000027
【図２６】
2008090862.tif 000028
【図２７】
2008090862.tif 000029
【図２８】
2008090862.tif 000030
【図２９】
2008090862.tif 000031
【図３０】
2008090862.tif 000032
【図３１】
2008090862.tif 000033
【図３２】
2008090862.tif 000034
【図３３】
2008090862.tif 000035
【図３４】
2008090862.tif 000036
【図３５】
2008090862.tif 000037
【図３６】
2008090862.tif 000038
【図３７】
2008090862.tif 000039
【図３８】
2008090862.tif 000040
【図３９】
2008090862.tif 000041
【図４０】
2008090862.tif 000042
【図４１】
2008090862.tif 000043
【図４２】
2008090862.tif 000044
【図４３】
2008090862.tif 000045
【図４４】
2008090862.tif 000046
【図４５】
2008090862.tif 000047
【図４６】
2008090862.tif 000048
【図４７】
2008090862.tif 000049
【図４８】
2008090862.tif 000050
【図４９】
2008090862.tif 000051
【図５０】
2008090862.tif 000052
【図５１】
2008090862.tif 000053
【図５２】
2008090862.tif 000054
【図５３】
2008090862.tif 000055
【図５４】
2008090862.tif 000056
【図５５】
2008090862.tif 000057
【図５６】
2008090862.tif 000058
【図５７】
2008090862.tif 000059
【図５８】
2008090862.tif 000060
【図５９】
2008090862.tif 000061
【図６０】
2008090862.tif 000062
【図６１】
2008090862.tif 000063
【図６２】
2008090862.tif 000064
【図６３】
2008090862.tif 000065
【図６４】
2008090862.tif 000066
【図６５】
2008090862.tif 000067